(57)【特許請求の範囲】
【請求項１】
電波を用いて非接触に読み書き可能な情報記憶媒体と前記情報記憶媒体との間で電波を用いて情報を送受信するアクセス装置とから構成されるアクセスシステムであって、
前記アクセス装置は、
それぞれ異なる周波数の電波により情報を送信する複数の装置送信手段と、
前記複数の周波数とそれぞれ同一の周波数の電波により送信される情報を受信する複数の装置受信手段と、
前記複数の装置送信手段に対して、一の時間帯において前記情報記憶媒体に対するアクセスの開始を示すアクセス要求情報を送信するように制御する装置制御手段とを備え、
前記情報記憶媒体は、
前記アクセス装置の送信する周波数のうちの１と同一の周波数の電波により前記アクセス要求情報を受信する媒体受信手段と、
前記受信する周波数と同一の周波数の電波により情報を送信する媒体送信手段と、
前記アクセス要求情報を受信すると、前記アクセス要求情報に対する応答を示すアクセス応答情報を送信するように、前記媒体送信手段に対して制御する媒体制御手段と
を備え、
前記情報記憶媒体は、さらに、前記媒体受信手段が受信する周波数を識別する周波数識別子を記憶しているタイプ記憶手段を有し、
前記媒体制御手段は、前記タイプ記憶手段から周波数識別子を読み出し、読み出した周波数識別子を含むアクセス応答情報を送信するように制御し、
前記複数の装置受信手段のうちの１の装置受信手段は、前記アクセス応答情報を受信し、
前記装置制御手段は、さらに、受信したアクセス応答情報に含まれる周波数識別子により識別される周波数を用いる前記装置送信手段及び前記装置受信手段に対して、それぞれ送信及び受信を行うように制御する
ことを特徴とするアクセスシステム。
【請求項２】
前記アクセス装置は、さらに、前記アクセス装置により用いられる複数の通信手順をそれぞれ示す通信手順識別子を記憶している通信手順記憶手段を有し、
前記タイプ記憶手段は、さらに、前記情報記憶媒体が用いる１の通信手順を識別する通信手順識別子を含み、
前記媒体制御手段は、さらに、前記タイプ記憶手段から通信手順識別子を読み出し、読み出した通信手順識別子を含むアクセス応答情報を送信するように制御し、前記通信手順識別子により識別される通信手順により前記アクセス装置との間の通信を制御し、
前記複数の装置受信手段のうちの１の装置受信手段は、前記アクセス応答情報を受信し、
前記装置制御手段は、さらに、受信したアクセス応答情報に含まれる通信手順識別子により識別される通信手順を前記通信手順記憶手段から読み出し、読み出した通信手順を用いて前記情報記憶媒体との間の通信を制御する
ことを特徴とする請求項１に記載のアクセスシステム。
【請求項３】
前記通信手順識別子により識別される通信手順は、アクセス装置と情報記憶媒体との間で認証手続きを伴わずにアクセスを許可するフリーアクセス手順であり、
前記情報記憶媒体は、情報を記憶する領域を有する記憶手段を含み、
前記装置制御手段は、前記周波数識別子により識別される周波数を用いる前記装置送信手段に対して、情報記憶媒体へのアクセスを指示するアクセス命令を送信するように制御し、
前記媒体受信手段は、さらに、前記アクセス命令を受信し、
前記媒体制御手段は、さらに、受信した前記アクセス命令に従って、前記記憶手段にアクセスし、前記アクセスにより得られる情報を示すアクセス結果情報を送信するように前記媒体送信手段に対して制御し、
前記周波数識別子により識別される周波数を用いる前記装置受信手段は、さらに、前記アクセス結果情報を受信する
ことを特徴とする請求項２に記載のアクセスシステム。
【請求項４】
前記通信手順識別子により識別される通信手順は、前記アクセス装置と前記情報記憶媒体との間の双方向認証が成功した場合にアクセスを許可する双方向認証手順であり、
前記情報記憶媒体は、情報を記憶する領域を有する記憶手段を含み、
前記アクセス装置と前記情報記憶媒体とは、相互に認証を行い、
前記装置制御手段は、相互の認証が成功した場合に、前記周波数識別子により識別される周波数を用いる前記装置送信手段に対して、情報記憶媒体へのアクセスを指示するアクセス命令を送信するように制御し、
前記媒体受信手段は、さらに、相互の認証が成功した場合に、前記アクセス命令を受信し、
前記媒体制御手段は、さらに、受信した前記アクセス命令に従って、前記記憶手段にアクセスし、前記アクセスにより得られる情報を示すアクセス結果情報を送信するように前記媒体送信手段に対して制御し、
前記周波数識別子により識別される周波数を用いる前記装置受信手段は、さらに、前記アクセス結果情報を受信する
ことを特徴とする請求項２に記載のアクセスシステム。
【請求項５】
前記通信手順識別子により識別される通信手順は、前記情報記憶媒体が前記アクセス装置を認証する片方向認証が成功した場合にアクセスを許可する片方向認証手順であり、
前記情報記憶媒体は、情報を記憶する領域を有する記憶手段を含み、
前記情報記憶媒体は前記アクセス装置の認証を行い、
前記装置制御手段は、認証が成功した場合に、前記周波数識別子により識別される周波数を用いる前記装置送信手段に対して、情報記憶媒体からの情報の読み出しを指示する読出命令を含むアクセス命令を送信するように制御し、
前記媒体受信手段は、さらに、認証が成功した場合に、前記アクセス命令を受信し、
前記媒体制御手段は、さらに、受信した前記アクセス命令に含まれる読出命令に従って、前記記憶手段にアクセスし、前記アクセスにより得られる情報を示すアクセス結果情報を送信するように前記媒体送信手段に対して制御し、
前記周波数識別子により識別される周波数を用いる前記装置受信手段は、さらに、前記アクセス結果情報を受信する
ことを特徴とする請求項２に記載のアクセスシステム。
【請求項６】
前記通信手順識別子により識別される通信手順は、アクセス装置が情報記憶媒体を認証する片方向認証が成功した場合にアクセスを許可する片方向認証手順であり、
前記情報記憶媒体は、情報を記憶する領域を有する記憶手段を含み、
前記アクセス装置は前記情報記憶媒体の認証を行い、
前記装置制御手段は、認証が成功した場合に、前記周波数識別子により識別される周波数を用いる前記装置送信手段に対して、情報記憶媒体への情報の書き込みを指示する書込命令を含むアクセス命令を送信するように制御し、
前記媒体受信手段は、さらに、認証が成功した場合に、前記アクセス命令を受信し、
前記媒体制御手段は、さらに、受信した前記アクセス命令に含まれる書込命令に従って、前記記憶手段にアクセスし、前記アクセスにより得られる情報を示すアクセス結果情報を送信するように前記媒体送信手段に対して制御し、
前記周波数識別子により識別される周波数を用いる前記装置受信手段は、さらに、前記アクセス結果情報を受信する
ことを特徴とする請求項２に記載のアクセスシステム。
【発明の詳細な説明】
【０００１】
【発明の属する技術分野】
本発明は、電波を用いて非接触に読み書き可能な情報記憶媒体及び前記情報記憶媒体との間で情報を送受信するアクセス技術に関する。
【０００２】
【従来の技術】
物品と情報とを一体として管理する技術が提案されている。例えば、特開平１１−１２０３０８号公報によると、製品機器に関する履歴情報が製品と一体的に記憶されるようにした履歴情報記憶装置が開示されている。
【０００３】
【発明が解決しようとする課題】
しかしながら、物品と情報とを一体とした管理において、さらに多様な利用の要望がある。
本発明は、上記の要望に鑑み、さらに多様な利用が可能な情報記憶媒体、アクセス装置、アクセスシステム及びアクセスプログラムを記録している記録媒体を提供することを目的とする。
【０００４】
【課題を解決するための手段】
上記目的を達成するために、本発明は、電波を用いて非接触に読み書き可能な情報記憶媒体と前記情報記憶媒体との間で電波を用いて情報を送受信するアクセス装置とから構成されるアクセスシステムであって、前記アクセス装置は、それぞれ異なる周波数の電波により情報を送信する複数の装置送信手段と、前記複数の周波数とそれぞれ同一の周波数の電波により送信される情報を受信する複数の装置受信手段と、前記複数の装置送信手段に対して、一の時間帯において前記情報記憶媒体に対するアクセスの開始を示すアクセス要求情報を送信するように制御する装置制御手段とを備え、前記情報記憶媒体は、前記アクセス装置の送信する周波数のうちの１と同一の周波数の電波により前記アクセス要求情報を受信する媒体受信手段と、前記受信する周波数と同一の周波数の電波により情報を送信する媒体送信手段と、前記アクセス要求情報を受信すると、前記アクセス要求情報に対する応答を示すアクセス応答情報を送信するように、前記媒体送信手段に対して制御する媒体制御手段とを備えることを特徴とする。
【０００５】
また、本発明は、形象が印刷された印刷媒体と、電波を用いて非接触に読み書き可能な情報記憶媒体と、前記情報記憶媒体との間で電波を用いて情報を送受信するアクセス装置とから構成されるアクセスシステムであって、前記印刷媒体の面上に第１情報を表示する形象が印刷され、前記アクセス装置は、光読出手段と、装置送信手段と、装置受信手段と、照合手段とから構成され、前記情報記憶媒体は、前記情報記憶媒体に関連する第１媒体情報を記憶している情報記憶手段と、媒体受信手段と、媒体送信手段とから構成され、前記光読出手段は、光を用いて前記印刷媒体面上に印刷されている形象を読み出し、読み出した形象に基づいて第２情報を生成し、前記装置送信手段は、アクセス要求を電波を用いて送信し、前記媒体受信手段は、アクセス要求を電波を用いて受信し、前記媒体送信手段は、前記情報記憶手段から第１媒体情報を読み出し、読み出した第１媒体情報を電波を用いて送信し、前記装置受信手段は、電波を用いて送信された第１媒体情報を受信し、前記照合手段は、受信した前記第１媒体情報と生成された前記第２情報とが一致しているか否かを判断し、前記アクセス装置と前記情報記憶媒体とは、一致すると判断される場合に、第１情報と第１媒体情報とが同一であるとみなして、前記アクセス装置と前記情報記憶媒体との間で情報を送受信することを特徴とする。
【０００６】
また、本発明は、電波を用いて非接触に読み書き可能な情報記憶媒体と、前記情報記憶媒体から電波を用いて情報を読み出して印刷媒体上に印刷する印刷装置とから構成される印刷システムであって、前記印刷装置は、装置送信手段と、装置受信手段と、形象生成手段と、印刷手段とから構成され、前記情報記憶媒体は、前記情報記憶媒体に関する媒体情報を記憶している情報記憶手段と、媒体受信手段と、媒体送信手段とから構成され、前記装置送信手段は、アクセス要求を電波を用いて送信し、前記媒体受信手段は、アクセス要求を電波を用いて受信し、前記媒体送信手段は、前記情報記憶手段から媒体情報を読み出し、読み出した前記媒体情報を電波を用いて送信し、前記装置受信手段は、電波を用いて送信された前記媒体情報を受信し、前記形象生成手段は、受信した前記媒体情報に基づいて形象を生成し、前記印刷手段は、生成された形象を印刷媒体上に印刷することを特徴とする。
【０００７】
また、本発明は、電波を用いて非接触に読み書き可能な情報記憶媒体と、前記情報記憶媒体との間で情報を送受信する移動電話機と、前記移動電話機との間で公衆回線網を介して通信を行うセンタ装置とから構成されるアクセス通信システムであって、前記情報記憶媒体は、前記センタ装置の電話番号を記憶している記憶手段と、前記電話番号を電波を用いて送信する送信手段とを備え、前記移動電話機は、電波を用いて前記電話番号を受信する受信手段と、前記センタ装置との間で前記公衆回線網を介して回線を接続するために、受信した前記電話番号に基づいて発呼する発呼手段と、回線の接続されたセンタ装置との間で通信を行う第１通信手段とを備え、前記センタ装置は、回線の接続された前記移動電話機との間で通信を行う第２通信手段を備え、前記移動電話機と前記センタ装置との間で回線が接続された場合に、前記センタ装置と前記情報記憶媒体との間で通信を行うことを特徴とする。
【０００８】
また、本発明は、光を用いて情報の読み出し又は書込みが可能な光ディスク媒体であって、半導体メモリから構成される情報記憶手段と、電波を用いてアクセス要求を受信する受信手段と、受信したアクセス要求に応じて前記情報記憶手段にアクセスし、アクセス結果情報を生成するアクセス手段と、生成された前記アクセス結果情報を電波を用いて送信する送信手段とを備えることを特徴とする。
【０００９】
また、本発明は、前記光ディスク媒体から情報を読み出して再生する光ディスク媒体再生装置であって、前記光ディスク媒体は、光を用いて情報の読み書きが可能な光記憶手段を有し、前記情報記憶手段は、光記憶手段に記憶されている情報の再生が許可されるか否かを示す権利情報を記憶しており、前記アクセス手段は、前記権利情報を含むアクセス結果情報を生成し、前記光ディスク媒体再生装置は、電波を用いてアクセス要求を送信する送信手段と、アクセス要求に応じたアクセス結果情報を電波を用いて受信する受信手段と、アクセス結果情報に含まれる権利情報に基づいて、情報の再生が許可されるか否かを判断する判断手段と、情報の再生が許可される場合に、前記光記憶手段から情報を読み出して再生する再生手段とを備えることを特徴とする。
【００１０】
また、本発明は、電波を用いて非接触に読み書き可能な情報記憶媒体であって、情報を記憶する領域を有する情報記憶手段と、複数種類の周波数の電波のいずれかを用いて前記情報記憶手段へのアクセス指示を要求するアクセス要求を受信する媒体受信手段と、受信したアクセス要求に基づいて、前記情報記憶手段にアクセスし、アクセス結果情報を生成するアクセス手段と、生成された前記アクセス結果情報を前記媒体受信手段により用いられた周波数の電波を用いて送信する媒体送信手段とを備えることを特徴とする。
【００１１】
また、本発明は、電波を用いて非接触に読み書き可能な前記情報記憶媒体に対して情報を送受信するアクセス装置であって、前記情報記憶手段へのアクセス指示を要求するアクセス要求を生成する生成手段と、複数種類の周波数の電波を用いて、生成されたアクセス要求を送信する装置送信手段と、複数種類の周波数の電波のいずれかを用いて、送信された前記アクセス結果情報を受信する装置受信手段と含むことを特徴とする。
【００１２】
【発明の実施の形態】
１  第１の実施の形態
本発明の１の実施の形態としてのアクセスシステム１について説明する。
アクセスシステム１は、部材や製品に固体識別情報や履歴情報を記憶する無線ＩＣタグをメディアとて添付又は埋め込むことにより、「物」に「情報」を付加して、物の生産、物流、販売、使用、回収リサイクルのライフサイクルの各ステージ又は全体に渡って、「物」と「情報」とを一体として管理するためのシステムである。
１．１  アクセスシステム１の構成
アクセスシステム１は、図１に外観を示すように、記憶領域を有する無線ＩＣタグ１０が添付された物品と、携帯型リーダライタ２０とから構成されている。無線ＩＣタグ１０は、１２５ＫＨｚ帯、１３ＭＨｚ帯又は２．４ＧＨｚ帯の周波数帯域において通信を行うことができる無線ＩＣタグのうちいずれか１である。携帯型リーダライタ２０は、上記無線ＩＣタグ１０に記録されている情報を読み出し、読み出した情報を携帯型リーダライタ２０に装着されている記録媒体３０に書き込む。また、携帯型リーダライタ２０は、無線ＩＣタグ１０に情報を書き込む。記録媒体３０は、管理装置４０に装着され、管理装置４０は、記録媒体３０に書き込まれた前記情報を利用する。
１．２  携帯型リーダライタ２０の構成
携帯型リーダライタ２０は、図２に示すように、アンテナ部１０１〜１０３、変復調部１０４〜１０６、命令生成部１０７、命令解読部１０８、入力部１０９、表示部１１０、入出力部１１１、制御部１１２、フリーアクセス部１１３、双方向認証部１１４、片方向認証部１１５、テーブル記憶部１１６、タグタイプ記憶部１１７及び印刷部１１８から構成される。
【００１３】
携帯型リーダライタ２０は、具体的には、マイクロプロセッサ、ＲＡＭ、ＲＯＭなどから構成され、ＲＯＭには、ＪＡＶＡ言語により記述されているコンピュータプログラムが記録されており、マイクロプロセッサは、前記コンピュータプログラムを実行することにより、携帯型リーダライタ２０を構成する変復調部１０４〜１０６、命令生成部１０７、命令解読部１０８、入力部１０９、表示部１１０、入出力部１１１、制御部１１２、フリーアクセス部１１３、双方向認証部１１４、片方向認証部１１５及び印刷部１１８などは、その機能を達成する。
（１）携帯型リーダライタ２０と無線ＩＣタグ１０との間で通信される命令
携帯型リーダライタ２０と無線ＩＣタグ１０との間で通信される命令は、図３に示すように、アクセス命令、アクセス応答命令、アクセス要求命令、タグタイプ送信命令、認証子送信命令及び認証子応答命令である。
【００１４】
アクセス命令は、携帯型リーダライタ２０から無線ＩＣタグ１０へ出力され、Ｒｅａｄ命令及びＷｒｉｔｅ命令を含んでいる。Ｒｅａｄ命令は、無線ＩＣタグ１０に記憶されている情報を読み出す命令であり、そのオペランドは、無線ＩＣタグ１０内において、読み出す情報が記憶されている記憶領域の物理アドレスと読み出す情報のバイト数を示す読出バイト数とから構成される。Ｗｒｉｔｅ命令は、無線ＩＣタグ１０が有する記憶領域に情報を書き込む命令であり、そのオペランドは、無線ＩＣタグ１０内において、情報を書き込む記憶領域の物理アドレスと書き込む情報のバイト数を示す書込バイト数と書き込む情報を示す書込内容とから構成される。
【００１５】
アクセス応答命令は、アクセス命令に応答して無線ＩＣタグ１０から携帯型リーダライタ２０へ出力される命令である。そのオペランドは、終了コードを含む。なお、そのオペランドは、アクセス応答命令がＲｅａｄ命令に応答する場合には、さらに、読出内容を含む。終了コードは、アクセス命令に応答する状態を示し、数値で表現される。終了コードが０の場合、正常終了を示し、１０の場合、アクセス不許可を示し、１１の場合、指定アドレス無しを示し、１２の場合、書込不許可を示し、１３の場合、書込領域不足を示している。
【００１６】
アクセス要求命令は、携帯型リーダライタ２０から無線ＩＣタグ１０へ出力される命令であり、携帯型リーダライタ２０から無線ＩＣタグ１０へのアクセス要求の開始を示している。オペランドはない。
タグタイプ送信命令は、無線ＩＣタグ１０から携帯型リーダライタ２０へ出力される命令であり、タグタイプの送信を示す。オペランドは、タグタイプを含む。
【００１７】
認証子送信命令は、携帯型リーダライタ２０から無線ＩＣタグ１０へ、又は無線ＩＣタグ１０から携帯型リーダライタ２０へ送信され、認証子の送信を示す命令である。オペランドは、認証子を含む。
認証子応答命令は、携帯型リーダライタ２０から無線ＩＣタグ１０へ、又は無線ＩＣタグ１０から携帯型リーダライタ２０へ送信され、認証子送信命令に応答して、認証子の送信を示す。オペランドは、認証子を含む。
【００１８】
なお、各命令に含まれる命令種別（オペコード）は、４ビット長からなるコードであり、各オペランドは、それぞれに応じた長さを有する。
（２）入力部１０９及び表示部１１０
入力部１０９は、携帯型リーダライタ２０の一面上に設けられた電源ボタン、上ボタン、下ボタン、左ボタン、右ボタン及び決定ボタンからなり、これらのボタンは、操作者により操作される。
【００１９】
表示部１１０は、携帯型リーダライタ２０の一面上に設けられ、図４に一例として示すように、画面１３１を表示する。画面１３１は、メニュー部１３２とデータ表示部１３３とメッセージ表示部１３４とを含む。
メニュー部１３２は、操作者が操作するコマンドを複数個表示する。コマンドには、一例として、「配送一覧表示」、「配送先読出し」、「配送実績日書込」、「戻る」、「データ保存」及び「印刷」があり、メニュー部１３２には、これらのコマンドが表示されている。メニュー部１３２に表示されているこれらのコマンドのうち、１個のコマンドは操作者により選択されており、選択されたコマンドは、メニュー部１３２において、他の表示されているコマンドと区別するために、背景色が黒色で表示され、コマンド名が白抜き文字で表示されている。
【００２０】
データ表示部１３３は、情報を表示する。この図に示す一例では、１件の配送先に関する情報として、「配送番号」、「配送先名」、「配送先住所」及び「配送実績日」を表示している。この他、複数個の配送先名を表示する。
メッセージ表示部１３４は、各種メッセージを表示する。
入力部１０９の電源ボタンが操作されると、携帯型リーダライタ２０の電源がＯＮ又はＯＦＦにされる。
【００２１】
また、入力部１０９の上ボタン又は下ボタンが操作されると、表示部１１０は、メニュー部１３２において選択されたコマンドの表示を上方向又は下方向に変える。ここで、決定ボタンが操作されると、入力部１０９は、選択されたコマンドを制御部１１２へ出力する。
（３）タグタイプ記憶部１１７及びテーブル記憶部１１６
タグタイプ記憶部１１７は、図５に一例として示すように、タグタイプを記憶する領域を有している。タグタイプは、周波数帯域タイプとプロトコルタイプとを含む。周波数帯域タイプ及びプロトコルタイプは、それぞれ携帯型リーダライタ２０が通信する相手の無線ＩＣタグ１０の有する周波数帯域及びプロトコルタイプを示している。ここで、プロトコルタイプは、無線ＩＣタグ１０が有する通信方式である。この図に示すように、周波数帯域タイプ及びプロトコルタイプは、それぞれ、「１２５ＫＨｚ帯」及び「双方向認証プロトコル」であり、無線ＩＣタグ１０が、「１２５ＫＨｚ帯」の周波数帯域を有し、通信方式として、「双方向認証プロトコル」を有していることを示している。
【００２２】
テーブル記憶部１１６は、図６に一例として示すように、周波数帯域タイプテーブル１４１とプロトコルタイプテーブル１４２とを有する。
周波数帯域タイプテーブル１４１は、携帯型リーダライタ２０が通信可能な複数個の周波数帯域タイプを含んでいる。この図に示すように、携帯型リーダライタ２０は、「１２５ＫＨｚ帯」、「１３ＭＨｚ帯」及び「２．４ＧＨｚ帯」により通信可能である。
【００２３】
プロトコルタイプテーブル１４２は、携帯型リーダライタ２０が有している複数個の通信方式を示すプロトコルタイプを含んでいる。この図に示すように、携帯型リーダライタ２０は、「フリーアクセスプロトコル」、「片方向認証プロトコル」、「双方向認証プロトコル」及び「ステージ別アクセスプロトコル」を含んでいる。「フリーアクセスプロトコル」、「片方向認証プロトコル」、「双方向認証プロトコル」については、後述する。また、「ステージ別アクセスプロトコル」については、出願人は、「特願２０００−３７１３４」において、そのプロトコルの詳細を提案しているので、ここでは説明を省略する。
（４）フリーアクセス部１１３
フリーアクセス部１１３は、制御部１１２の制御により起動し、図７に示すように、命令制御部１５１を含む。
（命令制御部１５１）
命令制御部１５１は、制御部１１２から入出力命令を受け取り、また、命令解読部１０８からアクセス応答命令を受け取る。ここで、アクセス応答命令の終了コードには、０（正常終了）、１１（指定アドレス無し）又は１３（書込領域不足）が含まれる。
【００２４】
命令制御部１５１は、受け取った入出力命令に基づいてアクセス命令を生成し、生成したアクセス命令を命令生成部１０７へ出力する。具体的には、後述するように、入出力命令が「配送先」の読出しを示す読出命令である場合には、命令制御部１５１は、アクセス命令としてＲｅａｄ命令を生成する。Ｒｅａｄ命令は、オペランドとして、「配送先」物理アドレスと読出バイト数「４０」とを含む。また、入出力命令が「配送実績日」の書込みを示す書込命令である場合には、命令制御部１５１は、アクセス命令としてＷｒｉｔｅ命令を生成する。Ｗｒｉｔｅ命令は、オペランドとして、「配送実績日」物理アドレスと書込バイト数「８」と書込内容「２０００１０２１」を含む。ここで、「２０００１０２１」は、２０００年１０月２１日を示す。命令制御部１５１は、生成したアクセス命令を命令生成部１０７へ出力する。
【００２５】
また、命令制御部１５１は、受け取ったアクセス応答命令を制御部１１２へ出力する。
（５）片方向認証部１１５
片方向認証部１１５は、制御部１１２の制御により起動し、図８に示すように、暗号化部１６１、鍵記憶部１６２及び命令制御部１６３を含む。無線ＩＣタグ１０が携帯型リーダライタ２０の正当性を認証し、認証が成功した場合にのみ、無線ＩＣタグ１０と携帯型リーダライタ２０との間の通信を許可する。この場合に、リーダライタは無線ＩＣタグから情報の読み出しを行うとしてもよい。なお、携帯型リーダライタ２０が無線ＩＣタグ１０の正当性を認証し、認証が成功した場合にのみ、無線ＩＣタグ１０と携帯型リーダライタ２０との間の通信を許可するように構成してもよい。この場合に、リーダライタは無線ＩＣタグに情報を書き込むとしてもよい。
（命令制御部１６３）
命令制御部１６３は、制御部１１２から入出力命令を受け取り、また、命令解読部１０８からアクセス応答命令を受け取る。ここで、アクセス応答命令の終了コードには、０（正常終了）、１０（アクセス不許可）、１１（指定アドレス無し）又は１３（書込領域不足）が含まれる。
【００２６】
命令制御部１６３は、命令制御部１５１と同様に、受け取った入出力命令に基づいてアクセス命令を生成し、生成したアクセス命令を命令生成部１０７へ出力する。
また、命令制御部１６３は、受け取ったアクセス応答命令を制御部１１２へ出力する。
（鍵記憶部１６２）
鍵記憶部１６２は、１個の鍵Ｋ１を記憶している。この鍵は、５６ビット長である。
（暗号化部１６１）
暗号化部１６１は、暗号アルゴリズムＥ１を備えている。ここで、暗号アルゴリズムＥ１は、ＤＥＳ（データ暗号化規格、Ｄａｔａ  Ｅｎｃｒｙｐｔｉｏｎ  Ｓｔａｎｄａｒｄ）により規定されている暗号アルゴリズムである。この暗号アルゴリズムの暗号鍵は５６ビット長であり、この暗号アルゴリズムＥ１に入力される平文及びこの暗号アルゴリズムＥ１により生成される暗号文の長さは６４ビットである。
【００２７】
暗号化部１６１は、命令解読部１０８から認証子送信命令を受け取り、認証子送信命令に含まれる認証子Ｒ１を抽出し、鍵記憶部１６２から鍵Ｋ１を読み出す。次に、鍵Ｋ１を用いて、抽出した前記認証子Ｒ１に暗号アルゴリズムＥ１を施して、認証子Ｒｂを生成し、生成した認証子Ｒｂを命令生成部１０７へ出力する。
【００２８】
なお、この明細書において、鍵Ｋを用いて、平文Ｍに対して、暗号アルゴリズムＥを施し、暗号文Ｃを生成するとき、次の式に示すように表現することとする。
Ｃ＝Ｅ（Ｍ、Ｋ）
認証子Ｒｂは、次のように表現できる。
【００２９】
Ｒｂ＝Ｅ１（Ｒ１、Ｋ１）
（６）双方向認証部１１４
双方向認証部１１４は、制御部１１２の制御により起動し、図９に示すように、暗号化部１７１、鍵記憶部１７２、乱数生成部１７３、暗号化部１７４、比較部１７５及び命令制御部１７６を含む。無線ＩＣタグ１０及び携帯型リーダライタ２０が互いに相手の装置の正当性を認証し、両方の認証が成功した場合にのみ、無線ＩＣタグ１０と携帯型リーダライタ２０との間の通信を許可する。
（命令制御部１７６）
命令制御部１７６は、制御部１１２から入出力命令を受け取り、また、命令解読部１０８からアクセス応答命令を受け取る。ここで、アクセス応答命令の終了コードには、０（正常終了）、１０（アクセス不許可）、１１（指定アドレス無し）又は１３（書込領域不足）が含まれる。また、比較部１７５から後述する比較結果を受け取る。
【００３０】
命令制御部１７６は、命令制御部１５１と同様に、受け取った入出力命令に基づいてアクセス命令を生成し、生成したアクセス命令を命令生成部１０７へ出力する。
また、命令制御部１７６は、受け取ったアクセス応答命令を制御部１１２へ出力する。
【００３１】
また、命令制御部１７６は、比較部１７５から比較結果を受け取り、受け取った比較結果が一致しないを示す場合には、終了コードとして１０（アクセス不許可）を含むアクセス応答命令を生成し、生成したアクセス応答命令を制御部１１２へ出力する。
（鍵記憶部１７２）
鍵記憶部１７２は、２個の鍵Ｋ１及びＫ２を記憶している。これらの鍵は、それぞれ５６ビット長である。ここで、鍵Ｋ１は、鍵記憶部１６２が記憶している鍵と同じ鍵である。なお、異なる鍵であるとしてもよい。
（暗号化部１７１）
暗号化部１７１は、暗号アルゴリズムＥ１を備えている。ここで、暗号アルゴリズムＥ１は、暗号化部１６１が備えている暗号アルゴリズムと同じアルゴリズムである。なお、異なるアルゴリズムであるとしてもよい。
【００３２】
暗号化部１７１は、暗号化部１６１と同様に、命令解読部１０８から認証子送信命令を受け取り、認証子Ｒ１を抽出し、鍵記憶部１７２から鍵Ｋ１を読み出し、鍵Ｋ１を用いて、抽出した認証子Ｒ１に暗号アルゴリズムＥ１を施して、認証子Ｒｂを生成し、生成した認証子Ｒｂを命令生成部１０７へ出力する。
ここで、  認証子Ｒｂは、次のように表現できる。
【００３３】
Ｒｂ＝Ｅ１（Ｒ１、Ｋ１）
（乱数生成部１７３）
乱数生成部１７３は、乱数として認証子Ｒ２を生成し、生成した認証子Ｒ２を暗号化部１７４へ出力する。認証子Ｒ２は、６４ビット長である。
（暗号化部１７４）
暗号化部１７４は、暗号アルゴリズムＥ２を備えている。ここで、暗号アルゴリズムＥ２は、暗号化部１７１が備えている暗号アルゴリズムＥ１とは異なるアルゴリズムである。
【００３４】
暗号化部１７４は、乱数生成部１７３から認証子Ｒ２を受け取り、鍵記憶部１７２から鍵Ｋ２を読み出し、鍵Ｋ２を用いて、受け取った認証子Ｒ２に暗号アルゴリズムＥ２を施して、認証子Ｒｃを生成し、生成した認証子Ｒｃを比較部１７５へ出力する。
ここで、  認証子Ｒｃは、次のように表現できる。
【００３５】
Ｒｃ＝Ｅ２（Ｒ２、Ｋ２）
（比較部１７５）
比較部１７５は、命令解読部１０８から認証子送信命令を受け取り、認証子送信命令に含まれる認証子Ｒｄを抽出し、暗号化部１７４から認証子Ｒｃを受け取り、認証子Ｒｄと認証子Ｒｃとが一致するか否かを判定し、一致するか否かを示す判定結果を命令制御部１７６へ出力する。
（７）制御部１１２
（操作指示の受け取り）
制御部１１２は、入力部１０９から、操作者からの操作指示としてのコマンド「配送一覧表示」、「配送先読出し」、「配送実績日書込」、「戻る」、「データ保存」及び「印刷」を受け取る。
（アクセス要求命令の生成）
コマンド「配送先読出し」又は「配送実績日書込」を受け取ると、制御部１１２は、アクセス要求命令を生成し、変復調部識別コード「１」、「２」及び「３」を生成し、生成したアクセス要求命令と、変復調部識別コード「１」、「２」及び「３」を命令生成部１０７へ出力する。
【００３６】
なお、変復調部識別コード「１」、「２」及び「３」は、それぞれ、変復調部１０４、１０５及び１０６を識別するためのコードであり、命令生成部１０７が各命令を出力する変復調部を指定するためのものである。ここでは、制御部１１２は、生成したアクセス要求命令と、変復調部識別コード「１」、「２」及び「３」を命令生成部１０７へ出力しているので、命令生成部１０７に対して、変復調部１０４、１０５及び１０６のそれぞれに前記アクセス要求命令を出力するように制御するものである。
【００３７】
このように、制御部１１２は、前記アクセス要求命令を、命令生成部１０７を介して、変復調部１０４、１０５及び１０６へ出力するので、同一の時間帯内において、前記アクセス要求命令が、３種類の搬送波により電波として空間に出力される。
（タグタイプの受信）
制御部１１２は、タグタイプ送信命令を命令解読部１０８から受け取り、受け取ったタグタイプ送信命令に含まれるタグタイプを、タグタイプ記憶部１１７へ書き込む。次に、受け取ったタグタイプに含まれるプロトコルタイプが「フリーアクセスプロトコル」、「双方向認証プロトコル」及び「片方向認証プロトコル」であれば、制御部１１２は、それぞれ、フリーアクセス部１１３、双方向認証部１１４及び片方向認証部１１５を起動する。
【００３８】
また、受け取ったタグタイプに含まれる周波数帯域タイプが「１２５ＫＨｚ帯」、「１３ＭＨｚ帯」及び「２．４ＧＨｚ帯」であれば、制御部１１２は、それぞれ、変復調部識別コード「１」、「２」及び「３」を命令生成部１０７へ出力する。
（入出力命令の生成）
操作者からの操作指示としてのコマンド「配送先読出し」又は「配送実績日書込」を受け取ると、制御部１１２は、入出力命令として、それぞれ、読出命令と書込命令とを生成する。ここで、前記読出命令は、オペランドとして、「配送先」アドレスを含む。また、前記書込命令は、オペランドとして、「配送実績日」アドレスと「配送実績日」とを含む。制御部１１２は、内部にクロックを有しており、「配送実績日」は、クロックにより計時される本日の日付である。「配送実績日」の具体例は、「２０００１０２１」である。
【００３９】
次に、制御部１１２は、タグタイプ記憶部１１７に記憶されているプロトコルタイプを読み出し、読み出したプロトコルタイプの内容を判断し、プロトコルタイプが「フリーアクセスプロトコル」、「双方向認証プロトコル」又は「片方向認証プロトコル」であるなら、生成した入出力命令を、それぞれフリーアクセス部１１３、双方向認証部１１４又は片方向認証部１１５へ出力する。
（アクセス応答命令に対する処理）
制御部１１２は、フリーアクセス部１１３、双方向認証部１１４又は片方向認証部１１５からアクセス応答命令を受け取り、アクセス応答命令から終了コードを抽出する。
【００４０】
終了コードが１０（アクセス不許可）、１１（指定アドレス無し）、１２（書込不許可）及び１３（書込領域不足）であるなら、それぞれの終了コードに応じて、制御部１１２は、メッセージ「アクセス不許可」、「指定アドレス無し」、「書込不許可」及び「書込領域不足」を表示部１１０へ出力し、表示部１１０は、受け取ったメッセージをメッセージ表示部１３４へ表示する。
【００４１】
また、終了コードが０（正常終了）である場合、アクセス応答命令に対応するアクセス命令がＲｅａｄ命令又はＷｒｉｔｅ命令であるとき、制御部１１２は、それぞれ、メッセージ「読出終了」又は「書込終了」を表示部１１０へ出力し、表示部１１０は、受け取ったメッセージをメッセージ表示部１３４へ表示する。
また、終了コードが０（正常終了）である場合、アクセス応答命令に対応するアクセス命令がＲｅａｄ命令であるとき、制御部１１２は、アクセス応答命令から読出内容を抽出し、抽出した読出内容を表示部１１０へ出力し、表示部１１０は、受け取った読出内容をデータ表示部１３３へ表示する。
（一覧表示、印刷、出力）
制御部１１２は、コマンド「配送一覧表示」を受け取ると、記録媒体３０が有する配送実績テーブル１８１から、入出力部１１１を介して、「配送先名」を複数個読み出し、読み出した複数個の配送先名を表示部１１０へ出力する。
【００４２】
制御部１１２は、コマンド「戻る」を受け取ると、図４に示すメニュー部１３２に表示されているコマンド群とは別のコマンド群を表示部１１０へ出力し、表示部１１０は、この別のコマンド群を表示する。
制御部１１２は、コマンド「データ保存」を受け取ると、表示部１１０のデータ表示部１３３に表示されている「配送番号」、「配送先名」、「配送先住所」及び「配送実績日」を入出力部１１１へ出力し、これらの情報を記録媒体３０へ書き込むように入出力部１１１へ指示を出力する。
【００４３】
制御部１１２は、コマンド「印刷」を受け取ると、表示部１１０のデータ表示部１３３に表示されている「配送番号」、「配送先名」、「配送先住所」及び「配送実績日」を印刷部１１８へ出力し、これらの情報を印刷するように印刷部１１８へ指示を出力する。
（８）命令生成部１０７
命令生成部１０７は、フリーアクセス部１１３、双方向認証部１１４及び片方向認証部１１５から、アクセス命令を受け取る。また、双方向認証部１１４及び片方向認証部１１５から、認証子Ｒｂを受け取る。また、制御部１１２からアクセス要求命令及び変復調部識別コードを受け取る。
【００４４】
命令生成部１０７は、双方向認証部１１４及び片方向認証部１１５から、認証子Ｒｂを受け取ると、認証子送信命令を生成する。認証子送信命令は、オペランドとして、受け取った前記認証子Ｒｂを含む。
次に、命令生成部１０７は、これらの命令に基づいて、パルス信号波を生成し、生成したパルス信号波を変復調部１０４〜１０６へ出力する。なお、生成したパルス信号波をどの変復調部へ出力するかは、制御部１１２から受け取った変復調部識別コードに従って決定する。受け取った変復調部識別コードが「１」、「２」及び「３」であれば、生成したパルス信号波を変復調部１０４、１０５及び１０６へ出力する。受け取った変復調部識別コードが「１」のみであれば、生成したパルス信号波を変復調部１０４へのみ出力する。受け取った変復調部識別コードが「２」のみであれば、生成したパルス信号波を変復調部１０５へのみ出力する。受け取った変復調部識別コードが「３」のみであれば、生成したパルス信号波を変復調部１０６へのみ出力する。
（９）命令解読部１０８
命令解読部１０８は、変復調部１０４〜１０６からパルス信号波を受け取る。受け取ったパルス信号波を解読して、オペランドを含む命令を抽出する。抽出される命令には、アクセス応答命令、タグタイプ送信命令、認証子送信命令及び認証子応答命令が含まれる。抽出した命令のうち、アクセス応答命令、認証子送信命令及び認証子応答命令は、制御部１１２の制御により、フリーアクセス部１１３、双方向認証部１１４又は片方向認証部１１５へ出力する。抽出した命令のうち、タグタイプ送信命令は、制御部１１２へ出力する。
（１０）変復調部１０４〜１０６
変復調部１０４は、命令生成部１０７からパルス信号波を受け取る。パルス信号波を受け取ると、受け取ったパルス信号波を変調信号として、変調信号に基づいて２．４ＧＨｚの搬送波の振幅を変化させ、振幅の変化した搬送波をアンテナ部１０１へ出力する。
【００４５】
また、変復調部１０４は、アンテナ部１０１から電力信号を受け取り、受け取った電力信号から２．４ＧＨｚの周波数を有する信号を選択し、選択した信号からパルス信号波を抽出し、抽出したパルス信号波を命令解読部１０８へ出力する。
変復調部１０５は、１３ＭＨｚの搬送波を用い、変復調部１０６は、１２５ＫＨｚの搬送波を用いるという点を除いて、変復調部１０５及び１０６は、それぞれ変復調部１０４と同様である。
（１１）アンテナ部１０１〜１０３
アンテナ部１０１は、送信アンテナと受信アンテナとから構成される。
【００４６】
アンテナ部１０１は、送信アンテナとして、特定の方向に電波を放射する指向性アンテナである。変復調部１０４から振幅の変化した搬送波を受け取り、電波として空間に放射する。
アンテナ部１０１は、受信アンテナとして、電波を受信し、受信した電波を電力信号に変換して、電力信号を変復調部１０４へ出力する。
【００４７】
アンテナ部１０２及び１０３については、アンテナ部１０１と同様である。
（１２）印刷部１１８
印刷部１１８は、制御部１１２による制御により、情報を印刷する。
具体的には、印刷部１１８は、制御部１１２から「配送番号」、「配送先名」、「配送先住所」及び「配送実績日」と、これらの情報を印刷する旨の指示を受け取ると、受け取った「配送番号」、「配送先名」、「配送先住所」及び「配送実績日」を印刷する。
（１３）入出力部１１１及び記録媒体３０
入出力部１１１は、制御部１１２の制御に基づいて、記録媒体３０から情報を読み出して、制御部１１２へ出力し、又は制御部１１２から情報を受け取って、記録媒体３０へ書き込む。
【００４８】
具体的には、入出力部１１１は、制御部１１２から「配送番号」、「配送先名」、「配送先住所」及び「配送実績日」と、これらの情報を記録媒体３０へ書き込む旨の指示を受け取り、これらの情報と前記指示を受け取ると、入出力部１１１は、受け取った「配送番号」、「配送先名」、「配送先住所」及び「配送実績日」を記録媒体３０へ書き込む。
【００４９】
また、入出力部１１１は、制御部１１２の制御により、記録媒体３０が有する配送実績テーブル１８１から配送先名を複数個読み出し、読み出した複数個の配送先名を制御部１１２へ出力する。
記録媒体３０は、１Ｍバイトの記憶領域を有する半導体メモリを内部に備えている。
【００５０】
記録媒体３０に記憶されている情報の一例を図１０に示す。この図に示すように、記録媒体３０は、配送実績テーブル１８１を有している。配送実績テーブル１８１は、配送番号、配送先名、配送先住所及び配送実績日からなる組を複数個有している。
１．３  無線ＩＣタグ１０ａの構成
無線ＩＣタグ１０の一例として、フリーアクセスプロトコルを有する無線ＩＣタグ１０ａの構成について、説明する。
【００５１】
無線ＩＣタグ１０ａは、長さ３０ｍｍ、幅５ｍｍ、厚さ０．５ｍｍの板状に成形された樹脂内に、ＩＣチップ部とアンテナ部２０１とが、封入されて形成されている。ＩＣチップ部２００の寸法は、縦１ｍｍ、横１ｍｍ、厚さ０．２５ミクロンである。なお、無線ＩＣタグの形成方法については、特開平８−２７６４５８号公報に記載されているので、詳細の説明を省略する。
【００５２】
無線ＩＣタグ１０ａの通信可能な距離は、１ｍ程度以内であり、通信速度は、１０〜２０ｍ秒／ｂｙｔｅである。
無線ＩＣタグ１０ａは、図１１に示すように、アンテナ部２０１とＩＣチップ部とから構成され、ＩＣチップ部は、復調部２０２、変調部２０３、電源部２０４、命令解読部２０５、タグタイプ記憶部２０６、制御部２０７、識別コード記憶部２０８、入出力部２０９及びメモリ部２１０を含む。
（１）識別コード記憶部２０８
識別コード記憶部２０８は、あらかじめ無線ＩＣタグ１０ａを個別に識別する識別コードを記憶している。識別コードは、３２ビットからなり、無線ＩＣタグを製造する製造業者を識別する製造業者識別コード（１０ビット長）と、無線ＩＣタグが複数の仕様や種類を有する場合に、その仕様や種類などを識別する種類コード（１０ビット長）と、製造業者及び種類毎に個別に異なる値が設定される製造番号（１２ビット長）とから構成される。
（２）メモリ部２１０
メモリ部２１０は、１Ｋバイトの記憶容量を有し、ＥＥｐｒｏｍ（Ｅｌｅｃｔｏｒｉｃ  Ｅｒａｓａｂｌｅ  ａｎｄ  Ｐｒｏｇｒａｍｍａｂｌｅ  ＲＯＭ）とヒューズＲＯＭとから構成される。ここで、ヒューズＲＯＭは、一度データを書き込むと消去することができないタイプのメモリである。ヒューズＲＯＭを用いることにより、データの改竄を防ぐことができる。
【００５３】
メモリ部２１０は、図１２に一例として示すように、非プロテクト部２３１とプロテクト部２３２とワンタイム部２３３とから構成される。非プロテクト部２３１及びプロテクト部２３２は、ＥＥｐｒｏｍから構成され、ワンタイム部２３３は、前記ヒューズＲＯＭから構成される。非プロテクト部２３１は、情報の読み書きが制限なく行える領域であり、プロテクト部２３２は、一定の条件の元に情報の読み書きが許可される領域であり、ワンタイム部２３３は、一度情報を書き込むと消去することができない領域である。
【００５４】
メモリ部２１０は、また、生産ステージ領域２２２、物流ステージ領域２２３、販売ステージ領域２２４、サービスステージ領域２２５、回収リサイクルステージ領域２２６及び共通領域２２７から構成される。生産業者は、生産の工程において、無線ＩＣタグに生産に関する情報を生産ステージ領域２２２に書き込み、又は無線ＩＣタグから参照することにより、製品の生産管理を行う。物流業者は、製品の輸送の過程において、無線ＩＣタグに輸送に関する情報を物流ステージ領域２２３に書き込み、又は無線ＩＣタグから参照することにより、製品の輸送管理を行う。同様にして、販売業者、サービス業者及び回収リサイクル業者は、それぞれの業務のプロセスにおいて、無線ＩＣタグにそれぞれの業務に関する情報を販売ステージ領域２２４、サービスステージ領域２２５及び回収リサイクルステージ領域２２６に書き込み、又は無線ＩＣタグから参照することにより、製品の業務管理を行う。
【００５５】
生産ステージ領域２２２には、非プロテクト部において、「メーカ名」、「品名」及び「品番」が記録され、プロテクト部において、「製番」、「製造日」、「工場名」、・・・、「生産センタ電話番号」及び「環境負荷物質情報」が記録されている。
物流ステージ領域２２３には、非プロテクト部において、「運送業者名」が記録され、プロテクト部において、「配送番号」、「配送先名」、「配送先住所」、「配送実績日」、・・・、「配送センタ電話番号」が記録されている。
【００５６】
販売ステージ領域２２４には、プロテクト部において、「卸業者名」、「小売店名」、「販売日」、・・・、「販売センタ電話番号」が記録され、ワンタイム部において、「保証期間」及び「保証番号」が記録されている。
サービスステージ領域２２５には、非プロテクト部において、「洗濯方法」、「洗濯回数」が記録され、プロテクト部において、「修理者名」、「修理日」、「修理部品」、・・・、「サービスセンタ電話番号」が記録されている。
【００５７】
回収リサイクルステージ領域２２６には、プロテクト部において、「回収業者名」、「回収日」、「廃棄業者」、「廃棄日」、「リユース記録」、・・・、「回収リサイクルセンタ電話番号」が記録され、ワンイム部において、「マニフェスト情報」が記録されている。
共通領域２２７には、「管理センタ電話番号」が記録されている。
（３）電源部２０４
電源部２０４は、アンテナ部２０１と接続され、アンテナ部２０１から電力信号を受け取り、受け取った電力信号を電荷として蓄積する。また、無線ＩＣタグ１０ａの各構成部に電力を供給する。
（４）復調部２０２
復調部２０２は、アンテナ部２０１から電力信号を受け取り、受け取った電力信号から２．４５ＧＨｚの周波数を有する信号を選択し、選択した信号からパルス信号波を抽出し、抽出したパルス信号波を命令解読部２０５へ出力する。
（５）命令解読部２０５
命令解読部２０５は、復調部２０２からパルス信号波を受け取る。受け取ったパルス信号波を解読して、オペランドを含む命令を抽出し、抽出した命令を制御部２０７へ出力する。抽出する命令には、図３に示すように、アクセス命令及びアクセス要求命令が含まれる。なお、これらの命令及びオペランドについては、前述したとおりであるので、説明は省略する。
（６）タグタイプ記憶部２０６
タグタイプ記憶部２０６は、タグタイプをあらかじめ記憶している。タグタイプは、周波数帯域タイプとプロトコルタイプとを含む。周波数帯域タイプは、無線ＩＣタグ１０ａが通信する際に用いる周波数帯域であり、プロトコルタイプは、無線ＩＣタグ１０ａが通信する際に用いる通信方式である。ここで、タグタイプ記憶部２０６が記憶しているプロトコルタイプは、フリーアクセスプロトコルである。
（７）制御部２０７
制御部２０７は、命令解読部２０５から命令を受け取る。これらの命令には、アクセス命令及びアクセス要求命令が含まれる。
【００５８】
アクセス要求命令を受け取ると、制御部２０７は、タグタイプ記憶部２０６からタグタイプを読み出し、読み出したタグタイプをオペランドとして含むタグタイプ送信命令を生成し、生成したタグタイプ送信命令を変調部２０３へ出力する。
アクセス命令を受け取ると、制御部２０７は、アクセス命令を入出力部２０９へ出力する。
【００５９】
制御部２０７は、アクセス命令がＲｅａｄ命令である場合には、入出力部２０９から読み出した情報と終了コードとを受け取り、アクセス命令がＷｒｉｔｅ命令である場合には、入出力部２０９から終了コードを受け取る。
（８）変調部２０３
変調部２０３は、制御部１０７からオペランドを含む命令を受け取り、命令からなるビット列を生成し、生成したビット列に含まれるビット（０又は１）に応じて、アンテナ部２０１が有するインピーダンスを切り換える。具体的には、各ビットが「１」のとき、前記インピーダンスを第１の値とし、各ビットが「０」のとき、第２の値とする。これにより、アンテナ部２０１から再放射される電波の振幅及び位相を変えることができ、この振幅及び位相の変化により情報を伝達することができる。
（９）入出力部２０９
入出力部２０９は、制御部２０７から、オペランドを含むアクセス命令を受け取る。アクセス命令は、Ｒｅａｄ命令及びＷｒｉｔｅ命令からなる。アクセス命令がＲｅａｄ命令である場合には、オペランドは、物理アドレスと読出バイト数とを含み、アクセス命令がＷｒｉｔｅ命令である場合には、オペランドは、物理アドレスと書込バイト数と書込内容とを含む。
【００６０】
入出力部２０９は、アクセス命令がＲｅａｄ命令である場合には、メモリ部２１０の前記物理アドレスにより示される位置から、前記読み出しバイト数分の情報を読み出し、読み出した情報を制御部２０７へ出力する。
入出力部２０９は、アクセス命令がＷｒｉｔｅ命令である場合には、メモリ部２０９の前記物理アドレスにより示される位置から、前記書込みバイト数分、前記書込内容を書き込み、終了コードを制御部２０７へ出力する。
【００６１】
ここで終了コードは、書込みが正常に終了したか否かを示し、正常に終了していない場合には、さらに、その理由を示す情報を含む。
（１０）アンテナ部２０１
アンテナ部２０１は、受信アンテナであり、電波を受信し、受信した電波を電力信号に変換して、電力信号を復調部２０２及び電源部２０４へ出力する。また、受信した電波を反射（再放射）する。
１．４  無線ＩＣタグ１０ｂの構成
無線ＩＣタグ１０の一例として、片方向認証プロトコルを有する無線ＩＣタグ１０ｂの構成について、説明する。
【００６２】
無線ＩＣタグ１０ｂは、無線ＩＣタグ１０ａと同様の形状を有し、同様の通信可能距離及び通信速度を有する。
無線ＩＣタグ１０ｂは、図１３に示すように、アンテナ部２０１とＩＣチップ部とから構成され、ＩＣチップ部は、復調部２０２、変調部２０３、電源部２０４、命令解読部２０５、タグタイプ記憶部２０６、制御部２０７、識別コード記憶部２０８、入出力部２０９、メモリ部２１０及び認証部２１１ａを有する。
【００６３】
無線ＩＣタグ１０ｂにおいて、無線ＩＣタグ１０ａと同じ符号を有する構成要素は、無線ＩＣタグ１０ａの構成要素とほぼ同様である。ここでは、無線ＩＣタグ１０ａとの差異点を中心にして説明する。
（１）命令解読部２０５
命令解読部２０５は、アクセス命令及びアクセス要求命令に加えて、さらに、認証子応答命令を抽出する。
（２）タグタイプ記憶部２０６
タグタイプ記憶部２０６が記憶しているプロトコルタイプは、片方向認証プロトコルである。
（３）制御部２０７
制御部２０７は、比較部２４４（後述する）からアクセス不許可の指示を受け取る。アクセス不許可の指示を受け取った場合に、制御部２０７は、１０（アクセス不許可）の終了コードをオペランドとして含むアクセス応答命令を生成し、生成したアクセス応答命令を変調部２０３へ出力する。
（４）認証部２１１ａ
認証部２１１ａは、図１４に示すように、乱数生成部２４１と暗号化部２４２と鍵記憶部２４３と比較部２４４とを有する。
（乱数生成部２４１）
乱数生成部２４１は、乱数として認証子Ｒ１を生成し、生成した認証子Ｒ１を暗号化部２４２と制御部２０７へ出力する。ここで、認証子Ｒ１は、６４ビット長である。
（鍵記憶部２４３）
鍵記憶部２４３は、１個の鍵Ｋ１を記憶している。この鍵は、５６ビット長である。鍵Ｋ１は、鍵記憶部１６２が記憶している鍵Ｋ１と同じ鍵である。
（暗号化部２４２）
暗号化部２４２は、暗号アルゴリズムＥ１を備えている。暗号アルゴリズムＥ１は、暗号化部１６１が備えている暗号アルゴリズムと同じである。
【００６４】
暗号化部２４２は、鍵記憶部２４３から鍵Ｋ１を読み出し、乱数生成部２４１から認証子Ｒ１を受け取り、鍵Ｋ１を用いて、受け取った認証子Ｒ１に暗号アルゴリズムＥ１を施して、認証子Ｒａを生成し、生成した認証子Ｒａを比較部２４４へ出力する。
認証子Ｒａは、次のように表現できる。
【００６５】
Ｒａ＝Ｅ１（Ｒ１、Ｋ１）
（比較部２４４）
比較部２４４は、命令解読部２０５から認証子応答命令を受け取り、受け取った認証子応答命令から認証子Ｒｂを抽出し、暗号化部２４２から認証子Ｒａを受け取る。次に、抽出した認証子Ｒｂと受け取った認証子Ｒａとが一致しているか否かを判定し、一致していない場合には、アクセス不許可の指示を制御部２０７へ出力する。
１．５  無線ＩＣタグ１０ｃの構成
無線ＩＣタグ１０の一例として、双方向認証プロトコルを有する無線ＩＣタグ１０ｃ（図示していない）の構成について、説明する。
【００６６】
無線ＩＣタグ１０ｃは、無線ＩＣタグ１０ａと同様の形状を有し、同様の通信可能距離及び通信速度を有する。
無線ＩＣタグ１０ｃは、アンテナ部２０１とＩＣチップ部とから構成され、ＩＣチップ部は、復調部２０２、変調部２０３、電源部２０４、命令解読部２０５、タグタイプ記憶部２０６、制御部２０７、識別コード記憶部２０８、入出力部２０９、メモリ部２１０及び認証部２１１ｂを有する。
【００６７】
無線ＩＣタグ１０ｃにおいて、無線ＩＣタグ１０ａと同じ符号を有する構成要素は、無線ＩＣタグ１０ａの構成要素とほぼ同様である。ここでは、無線ＩＣタグ１０ａとの差異点を中心にして説明する。
（１）命令解読部２０５
命令解読部２０５は、アクセス命令及びアクセス要求命令に加えて、さらに、認証子応答命令及び認証子送信命令を抽出する。
（２）タグタイプ記憶部２０６
タグタイプ記憶部２０６が記憶しているプロトコルタイプは、双方向認証プロトコルである。
（３）制御部２０７
制御部２０７は、比較部２４４（後述する）からアクセス不許可の指示を受け取る。アクセス不許可の指示を受け取った場合に、制御部２０７は、１０（アクセス不許可）の終了コードをオペランドとして含むアクセス応答命令を生成し、生成したアクセス応答命令を変調部２０３へ出力する。
【００６８】
また、制御部２０７は、認証子Ｒｄを暗号化部２４５から受け取り、受け取った認証子Ｒｄをオペランドとする認証子応答命令を生成し、生成した認証子応答命令を変調部２０３へ出力する。
（４）認証部２１１ｂ
認証部２１１ｂは、図１５に示すように、乱数生成部２４１と暗号化部２４２と鍵記憶部２４３と比較部２４４と暗号化部２４５とを有する。
【００６９】
乱数生成部２４１は、認証部２１１ａの乱数生成部２４１と同じであり、暗号化部２４２は、認証部２１１ａの暗号化部２４２と同じであり、比較部２４４は、認証部２１１ａの比較部２４４と同じである。
（鍵記憶部２４３）
鍵記憶部２４３は、２個の鍵Ｋ１及びＫ２を記憶している。これらの鍵は、それぞれ５６ビット長である。鍵Ｋ１及びＫ２は、鍵記憶部１７２が記憶している鍵Ｋ１及びＫ２と同じ鍵である。
（暗号化部２４５）
暗号化部２４５は、暗号アルゴリズムＥ２を備えている。暗号アルゴリズムＥ２は、暗号化部１７４が備えている暗号アルゴリズムと同じである。
【００７０】
暗号化部２４５は、鍵記憶部２４３から鍵Ｋ２を読み出し、命令解読部２０５から認証子送信命令を受け取り、認証子送信命令から認証子Ｒ２を抽出する。次に、鍵Ｋ２を用いて、抽出した認証子Ｒ２に暗号アルゴリズムＥ２を施して、認証子Ｒｄを生成し、生成した認証子Ｒｄを制御部２０７へ出力する。
認証子Ｒｄは、次のように表現できる。
【００７１】
Ｒｄ＝Ｅ２（Ｒ２、Ｋ２）
１．６  アクセスシステム１の動作
アクセスシステム１の動作について説明する。
（１）アクセスシステム１の概要動作
アクセスシステム１の概要動作について、図１６に示すフローチャートを用いて説明する。
【００７２】
携帯型リーダライタ２０は、アクセス要求命令を生成し、１の時間帯において３種類の周波数帯域による搬送波により電波としてアクセス要求命令を出力し（ステップＳ１０１）、無線ＩＣタグ１０は、いずれか１の搬送波によりアクセス要求命令を受け取り、タグタイプ送信命令を生成して出力し（ステップＳ１０２）、携帯型リーダライタ２０は、タグタイプ送信命令を受信し、受信したタグタイプに基づいて、周波数帯域とプロトコルとを決定し（ステップＳ１０３）、決定した周波数帯域とプロトコルとに基づいて、携帯型リーダライタ２０と無線ＩＣタグ１０との間で、フリーアクセスプロトコルによる処理（ステップＳ１０４）、双方向認証プロトコルにより処理（ステップＳ１０５）又は片方向認証プロトコルによる処理（ステップＳ１０６）を行い、次に、携帯型リーダライタ２０は入出力応答を出力する処理を行う（ステップＳ１０７）。
（２）携帯型リーダライタ２０のアクセス要求処理の動作
携帯型リーダライタ２０のアクセス要求処理の動作について、図１７に示すフローチャートを用いて説明する。ここで説明する動作は、図１６に示すフローチャートのステップＳ１０１に相当する。
【００７３】
入力部１０９は、操作者により操作指示を受け付け、制御部１１２へ出力し（ステップＳ１１１）、制御部１１２は、前記操作指示からアクセス命令とアクセスアドレスとを生成し（ステップＳ１１２）、次に、制御部１１２は、アクセス要求命令と変復調部識別コード「１」、「２」及び「３」を命令生成部１０７へ出力する（ステップＳ１１３）。命令生成部１０７は、変復調部識別コード「１」、「２」及び「３」で識別される変復調部１０４、１０５及び１０６へ前記アクセス要求命令を出力する（ステップＳ１１４）。
【００７４】
変復調部１０６は、１２５ＫＨｚ帯の搬送波により前記アクセス要求命令を出力する（ステップＳ１１５）。
また、変復調部１０５は、１３ＫＨｚ帯の搬送波により前記アクセス要求命令を出力する（ステップＳ１１６）。
また、変復調部１０４は、２．４ＧＨｚ帯の搬送波により前記アクセス要求命令を出力する（ステップＳ１１７）。
【００７５】
ここで、ステップＳ１１５、Ｓ１１６及びＳ１１７は、同一時間帯において、処理が行われる。
（３）無線ＩＣタグ１０のタグ読出及び出力処理の動作
無線ＩＣタグ１０のタグ読出及び出力処理の動作について、図１８に示すフローチャートを用いて説明する。ここで説明する動作は、図１６に示すフローチャートのステップＳ１０２に相当する。
【００７６】
アンテナ部２０１、復調部２０２及び命令解読部２０５を介して、制御部２０７は、アクセス要求命令を受け取り（ステップＳ１２１）、制御部２０７は、タグタイプ記憶部２０６から周波数帯域タイプとプロトコルタイプとからなるタグタイプを読み出し（ステップＳ１２２）、制御部２０７は、読み出したタグタイプを含むタグタイプ送信命令を生成し、生成したタグタイプ送信命令を変調部２０３及びアンテナ部２０１を介して出力する（ステップＳ１２３）。
（４）携帯型リーダライタ２０のタグタイプ受信とタグタイプ判断処理
携帯型リーダライタ２０のタグタイプ受信とタグタイプ判断処理の動作について、図１９に示すフローチャートを用いて説明する。ここで説明する動作は、図１６に示すフローチャートのステップＳ１０３に相当する。
【００７７】
制御部１１２は、アンテナ部１０１、変復調部１０４及び命令解読部１０８を介して、アンテナ部１０２、変復調部１０５及び命令解読部１０８を介して、又は、アンテナ部１０３、変復調部１０６及び命令解読部１０８を介して、タグタイプ送信命令を受信し（ステップＳ１３１）、制御部１１２は、受信したタグタイプをタグタイプ記憶部１１７へ書き込む（ステップＳ１３２）。制御部１１２は、次に、タグタイプに含まれるプロトコルタイプが、「フリーアクセス」であるか、「片方向認証」であるか、又は「双方向認証」であるかを判断し、「フリーアクセス」である場合に（ステップＳ１３３）、フリーアクセス部１１３を起動し（ステップＳ１３４）、「片方向認証」である場合に（ステップＳ１３３）、片方向認証部１１５を起動し（ステップＳ１３５）、「双方向認証」である場合に（ステップＳ１３３）、双方向認証部１１４を起動する（ステップＳ１３６）。
（５）アクセスシステム１のフリーアクセスプロトコルによる動作
アクセスシステム１のフリーアクセスプロトコルによる動作について、図２０に示すフローチャートを用いて説明する。ここで説明する動作は、図１６に示すフローチャートのステップＳ１０４に相当する。
【００７８】
命令制御部１５１は、制御部１１２から入出力命令を受け取り、受け取った入出力命令に基づいてアクセス命令を生成し（ステップＳ１４１）、生成したアクセス命令を命令生成部１０７、変復調部及びアンテナ部を介して出力し、制御部２０７は、アンテナ部２０１、復調部２０２及び命令解読部２０５を介して、アクセス命令を受け取る（ステップＳ１４２）。制御部２０７は、アクセス命令を入出力部２０９へ出力し、入出力部２０９はアクセス命令に従ってアクセスを実行し、アクセス結果を制御部２０７へ出力し、制御部２０７は、アクセス応答命令を生成し（ステップＳ１４３）、制御部２０７は、変調部２０３及びアンテナ部２０１を介してアクセス応答命令を出力する（ステップＳ１４４）。
（６）アクセスシステム１の片方向認証プロトコルによる動作
アクセスシステム１の片方向認証プロトコルによる動作について、図２１に示すフローチャートを用いて説明する。ここで説明する動作は、図１６に示すフローチャートのステップＳ１０６に相当する。
【００７９】
乱数生成部２４１は、乱数として認証子Ｒ１を生成し（ステップＳ１５１）、暗号化部２４２は、認証子Ｒａを生成し（ステップＳ１５３）、制御部２０７は、認証子Ｒ１を含む認証子送信命令を変調部２０３及びアンテナ部２０１を介して出力し、暗号化部１６１は、命令解読部１０８から認証子送信命令を受け取り（ステップＳ１５２）、暗号化部１６１は、認証子送信命令に含まれる認証子Ｒ１を抽出し、鍵記憶部１６２から鍵Ｋ１を読み出し、鍵Ｋ１を用いて、抽出した前記認証子Ｒ１に暗号アルゴリズムＥ１を施して、認証子Ｒｂを生成し（ステップＳ１５４）、生成した認証子Ｒｂを命令生成部１０７、変復調部、アンテナ部を介して出力し、比較部２４４は、命令解読部２０５から認証子応答命令を受け取り（ステップＳ１５５）、受け取った認証子応答命令から認証子Ｒｂを抽出し、暗号化部２４２から認証子Ｒａを受け取り、抽出した認証子Ｒｂと受け取った認証子Ｒａとが一致しているか否かを判定し、一致していない場合には（ステップＳ１５６）、制御部２０７は、アクセス不許可を含むアクセス応答命令を変調部２０３及びアンテナ部２０１を介して出力し、制御部１１２は、アンテナ部、変復調部及び命令解読部１０８を介して、アクセス応答命令を受け取り（ステップＳ１５６）、アクセス不許可ならば（ステップＳ１５８）、制御部１１２は、アクセスを中止する。アクセス許可ならば（ステップＳ１５８）、ステップＳ１５９からＳ１６２において、図２０のフローチャートにおけるステップＳ１４１からステップＳ１４４と同様である。
（７）アクセスシステム１の双方向認証プロトコルによる動作
アクセスシステム１の双方向認証プロトコルによる動作について、図２２に示すフローチャートを用いて説明する。ここで説明する動作は、図１６に示すフローチャートのステップＳ１０５に相当する。
【００８０】
ステップＳ１７１からＳ１７８までは、図２１に示すステップＳ１５１からＳ１５８までと同じである。
ステップＳ１７９からＳ１８４までは、ステップＳ１７１からＳ１７８までと同様である。ステップＳ１８４において、認証子Ｒｃと認証子Ｒｄが不一致なら、携帯型リーダライタ２０は、アクセスを中止する。
【００８１】
ステップＳ１８５からＳ１８８までは、図２０のフローチャートのステップＳ１４１からＳ１４４までと同様である。
（８）携帯型リーダライタ２０の入出力応答処理の動作
携帯型リーダライタ２０の入出力応答処理の動作について、図２３に示すフローチャートを用いて説明する。ここで説明する動作は、図１６に示すフローチャートのステップＳ１０７に相当する。
【００８２】
制御部１１２は、フリーアクセス部１１３、双方向認証部１１４又は片方向認証部１１５からアクセス応答命令を受け取り、アクセス応答命令から終了コードを抽出し、終了コードが１０（アクセス不許可）、１１（指定アドレス無し）、１２（書込不許可）及び１３（書込領域不足）であるなら（ステップＳ１９１）、それぞれの終了コードに応じて、制御部１１２は、メッセージ「アクセス不許可」、「指定アドレス無し」、「書込不許可」及び「書込領域不足」を表示部１１０へ出力し、表示部１１０は、受け取ったメッセージをメッセージ表示部１３４へ表示する（ステップＳ１９２）。
【００８３】
また、終了コードが０（正常終了）である場合（ステップＳ１９１）、アクセス応答命令に対応するアクセス命令がＲｅａｄ命令であるとき（ステップＳ１９３）、制御部１１２は、それぞれ、メッセージ「読出終了」を表示部１１０へ出力し、表示部１１０は、受け取ったメッセージをメッセージ表示部１３４へ表示し、制御部１１２は、アクセス応答命令から読出内容を抽出し、抽出した読出内容を表示部１１０へ出力し（ステップＳ１９７）、表示部１１０は、受け取った読出内容をデータ表示部１３３へ表示する（ステップＳ１９８）。
【００８４】
アクセス応答命令に対応するアクセス命令がＷｒｉｔｅ命令であるとき（ステップＳ１９３）、制御部１１２は、それぞれ、メッセージ「書込終了」を表示部１１０へ出力し（ステップＳ１９４）、表示部１１０は、受け取ったメッセージをメッセージ表示部１３４へ表示する（ステップＳ１９５）。
１．７  まとめ
上記に説明したように、携帯型リーダライタ２０は、同一時間帯において、３種類の搬送波によりアクセス要求命令を送信し、無線ＩＣタグ１０は、自身の周波数帯域タイプと通信プロトコルタイプとを送信し、さらに、携帯型リーダライタ２０は、受信した周波数帯域タイプと通信プロトコルタイプとを用いて、無線ＩＣタグ１０へ情報を書込み、又は無線ＩＣタグ１０から情報を読み出す。
【００８５】
こうして、無線ＩＣタグ１０の受信できる周波数帯域が異なる場合であっても、携帯型リーダライタ２０は、無線ＩＣタグ１０との間で通信を行える。
部品や部材などの「物」に添付され若しくは埋め込まれる無線ＩＣタグ、又は人の入退出用若しくは乗車券用として用いられる無線ＩＣカードなどの応用例により、規格が不統一であり、種々の仕様（通信周波数、変復調方式、プロトコル、データ形式、セキュリティ方式又は暗号化方式など）が混在して使用されている場合であっても、上記に説明したように、リーダライタと無線ＩＣタグとの間で通信が行える。
【００８６】
なお、上記の実施の形態において、タグタイプは、さらに、変復調方式、データ形式、セキュリティ方式又は暗号化方式を含むとしてもよい。
１．８  携帯型リーダライタ２０の変形例（１）
携帯型リーダライタ２０は、次のようにしてもよい。
携帯型リーダライタ２０は、図２４のフローチャートに示すように、１２５ＫＨｚ帯によりアクセス要求命令の生成処理を行い（ステップＳ２０１）、１２５ＫＨｚ帯によりアクセス要求命令を出力する（ステップＳ２０２）。
【００８７】
携帯型リーダライタ２０は、１２５ＫＨｚ帯によりタグタイプの受信を待ち受け（ステップＳ２０３）、タグタイプの受信があれば（ステップＳ２０４）、１２５ＫＨｚ帯により無線ＩＣタグ１０との間でアクセス処理を行う（ステップＳ２０５）。
所定時間内にタグタイプの受信が無ければ（ステップＳ２０４）、次に、携帯型リーダライタ２０は、１３ＭＨｚ帯によりアクセス要求命令の生成処理を行い（ステップＳ２０６）、１３ＭＨｚ帯によりアクセス要求命令を出力する（ステップＳ２０７）。
【００８８】
携帯型リーダライタ２０は、１３ＭＨｚ帯によりタグタイプの受信を待ち受け（ステップＳ２０８）、タグタイプの受信があれば（ステップＳ２０９）、１３ＭＨｚ帯により無線ＩＣタグ１０との間でアクセス処理を行う（ステップＳ２１０）。
所定時間内にタグタイプの受信が無ければ（ステップＳ２０９）、次に、携帯型リーダライタ２０は、２．４ＧＨｚ帯によりアクセス要求命令の生成処理を行い（ステップＳ２１１）、２．４ＧＨｚ帯によりアクセス要求命令を出力する（ステップＳ２１２）。無線ＩＣタグ１０は、タグタイプを読み出し（ステップＳ２１３）、出力する（ステップＳ２１４）。
【００８９】
携帯型リーダライタ２０は、２．４ＧＨｚ帯によりタグタイプの受信を待ち受け（ステップＳ２１５）、タグタイプの受信があれば（ステップＳ２１６）、２．４ＧＨｚ帯により無線ＩＣタグ１０との間でアクセス処理を行う（ステップＳ２１７）。
これにより、無線ＩＣタグ１０の受信できる周波数帯域が異なる様々な仕様であっても、携帯型リーダライタ２０は、無線ＩＣタグ１０との間で通信を行える。
１．９  携帯型リーダライタ２０の変形例（２）
携帯型リーダライタ２０は、次のようにしてもよい。
【００９０】
携帯型リーダライタ２０は、図２５に一例として示すように、周波数帯域タイプ履歴テーブル２５１を有している。
周波数帯域タイプ履歴テーブル２５１は、直近の過去にアクセスした無線ＩＣタグの周波数帯域タイプを１０個分記憶している。
携帯型リーダライタ２０は、図２６のフローチャートに示すように、周波数帯域タイプ履歴テーブル２５１から周波数帯域タイプを全て読み出し、周波数帯域タイプ履歴テーブル２５１に含まれる周波数帯域タイプの種類毎に、その発生頻度を計数し（ステップＳ２２１）、最も頻度の高い周波数帯域を第１出力周波数帯域とし（ステップＳ２２２）、次に頻度の高い周波数帯域を第２出力周波数帯域とし（ステップＳ２２３）、最も頻度の低い周波数帯域を第３出力周波数帯域とする（ステップＳ２２４）。このようにして、周波数帯域による出力順序を第１出力周波数帯域、第２出力周波数帯域、第３出力周波数帯域の順に決定する。
【００９１】
次に、上記の変形例（１）において、この順序により、アクセス要求命令を出力する。具体的には、図２４に示すフローチャートのステップＳ２０１〜Ｓ２０２において、第１出力周波数帯域を用い、ステップＳ２０６〜Ｓ２０７において、第２出力周波数帯域を用い、ステップＳ２１１〜Ｓ２１３において、第３出力周波数帯域を用いる。
【００９２】
こうして無線ＩＣタグとの通信が終了すると、携帯型リーダライタ２０は、無線ＩＣタグとの通信に用いた周波数帯域タイプを新たに周波数帯域タイプ履歴テーブル２５１に書き込み、最も最初に書き込まれた周波数帯域タイプを周波数帯域タイプ履歴テーブル２５１から削除する。
このように、過去に通信に用いた周波数帯域タイプの頻度を用いて、次に用いる周波数帯域タイプの優先順位を決定し、決定した優先順位に従った周波数帯域の順序により、アクセス要求命令を送信する。これにより、無線ＩＣタグ１０の受信できる周波数帯域が異なる様々な仕様であっても、携帯型リーダライタ２０は、無線ＩＣタグ１０との間で通信を行え、また、無線ＩＣタグ１０との間で用いることのできる周波数帯域を統計的に素早く決定できる。
１．１０  アクセスシステムの変形例
無線ＩＣタグ１０と携帯型リーダライタ２０とは、両者の間の通信のセキュリティを確保するために、通信されるデータを暗号化するとしていもよい。無線ＩＣタグ１０と携帯型リーダライタ２０とは、暗号化及び対応する復号化のためのプログラムを記憶しており、一方の装置は、データを暗号化して送信し、他方の装置は、暗号化されたデータを受信して復号する。暗号アルゴリズムの一例は、カオス暗号であり、ロジスティックマップ
Ｘ（ｔ＋１）＝４Ｘ（ｔ）｛１−Ｘ（ｔ）｝
を逐次計算させることにより、カオスブロック暗号を生成する。
１．１１  アクセスシステムの変形例
アクセスシステムは、次のように構成してもよい。
【００９３】
メモリ部２１０は、複数回の情報の読出しと複数回の情報の上書きが可能な半導体メモリから構成される第１領域と、複数回の情報の読出しと一度だけの情報の書込みが可能な半導体メモリから構成される第２領域とを含む。図１２において、非プロテクト部２３１及びプロテクト部２３２は、第１領域であり、ワンタイム２３３は、第２領域である。
【００９４】
無線ＩＣタグは、受信したアクセス命令に基づいて、前記第１領域又は前記第２領域のいずれにアクセスするか判断する。ここで、前記判断は、アクセス命令に含まれる物理アドレスを用いて行う。つまり、物理アドレスが第１領域又は第２領域のいずれを指し示しているかにより判断する。次に、前記判断結果に基づいて、前記第１領域又は前記第２領域にアクセスする。
【００９５】
第２領域に記憶されている情報の一例は、物品の保証期間、保証番号である。アクセス装置の一例は、前記情報記憶媒体が添付された物品の販売を管理する販売管理装置である。アクセス装置は、操作者から入金操作を受け付け、前記入金操作が受け付けられた場合に、前記物品の保証条件を示す保証情報の前記第２領域への書き込みを示すアクセス指示を要求するアクセス要求を生成する。情報記憶媒体は、前記第２領域へのアクセスであると判断し、前記判断結果に基づいて、前記保証情報を前記第２領域へ書き込む。
【００９６】
販売時点での応用例として、販売店にて、その販売日、販売店名及びその製品の保証期間や保証条件などの保証情報をリーダライタを介して、無線ＩＣタグに記憶させおくことにより、使用時の不具合対応、アップグレード対応、品質問題での回収対応など幅広いサービス・メンテナンス対応が可能となる。こうして、従来の保証書の保管や紛らわしい問い合わせ処理が不要となり、顧客満足度の向上に役立てることができる。
【００９７】
第２領域に記憶されている情報の別の一例は、物品の回収時のマニフェスト情報である。アクセス装置の一例は、前記情報記憶媒体が添付された物品の回収を管理する回収管理装置である。アクセス装置は、操作者から操作を受け付け、前記操作が受け付けられた場合に、前記物品のマニフェスト情報の前記第２領域への書き込みを示すアクセス指示を要求するアクセス要求を生成する。情報記憶媒体は、前記第２領域へのアクセスであると判断し、前記判断結果に基づいて、前記マニフェスト情報を前記第２領域へ書き込む。
【００９８】
現在施行が考えられているマニフェスト方式は、数枚綴りの紙の伝票を用いる。対象として家電製品（テレビ受像機、エアコン、冷蔵庫、洗濯機）であり、これらを排出者が販売店に持参し、その処理代金を支払い、その処理登録伝票として、マニフェスト伝票を受け取る。処理のスクラップに係る業者は、これを５年間保存する仕組みである。排出者からの処理に関する問い合わせに対し、処理が適正にされたことをこの伝票にて明確化する。しかしこの仕組みは、大量の紙と、その保管費用、検索チェックの費用がかかることが予想される。これを解決するために、回収・リサイクルの過程で、機器に埋め込まれた無線ＩＣタグに記録されている情報をリーダライタにより読み取り、ホストコンピュータに記憶し、必要に応じて、インターネットなどの通信手段を介して排出者がチェックできる。こうして、むだなく、速く低コストの回収システムが構築できる。
【００９９】
さらに、あらかじめ無線ＩＣタグに記憶させておいた環境負荷物質の種類や量を用いて、回収リサイクル時に、その内容を読み取り、回収記録として利用できる。また、リサイクル率の算出に当たり、このタグ内に製造時に記録された部材毎のデータ（種類、重量）をリーダライタにより読み取り、分別、リサイクル量の記録として、ホストコンピュータに書込み、利用することができる。
【０１００】
また、製品の分解情報や環境負荷物質の取り出し方法など、より込み入った手順や取り扱い方法に関しては、この無線ＩＣタグ内に全てを記憶させることは、メモリ容量、価格等から無理があるので、これらの方法の検索用の識別コードのみを記憶しておき、これらの方法については、ホストコンピュータにその詳細を記憶させておく。リーダライタにより識別コードを無線ＩＣタグから読み出し、その識別コードを用いて、該当する方法をホストコンピュータから読み出す。読み出した方法をリーダライタやパソコンに表示、印刷するようにしてもよい。
【０１０１】
第２領域に記憶されている情報の別の一例は、物品を構成する環境負荷物質に関する環境負荷物質情報（例えば、代替フロンガスの種類や量）である。アクセス装置の一例は、前記情報記憶媒体が添付された物品の製造を管理する製造管理装置である。アクセス装置は、操作者から操作を受け付け、前記操作が受け付けられた場合に、前記物品に含まれる環境負荷物質を示す環境負荷物質情報の前記第２領域への書き込みを示すアクセス指示を要求するアクセス要求を生成する。記憶情報媒体は、前記第２領域へのアクセスであると判断し、前記判断結果に基づいて、前記環境負荷物質情報を前記第２領域へ書き込む。前記環境負荷物質情報以外の他の例は、組み立て条件、加工条件、検査条件及びその測定値などの生産時の製造条件情報、ロット番号、生産工場の名称、製造日である。リサイクル回収時、製品の修理等のサービス対応時に、上記情報を読取、サービス、回収リサイクル等に役立てることができる。製品の修理、回収時に、前記製造条件を読み出し、読み出した製造条件を用いて、製品の修理、解体、再利用を行うとしてもよい。
２  第２の実施の形態
本発明の別の１の実施の形態としての印刷システム及び通信システムについて説明する。
２．１  印刷システム及び通信システムの構成
印刷シテスムは、図２７に外観を示すように、記憶領域を有する無線ＩＣタグ１０が添付された物品と、印刷装置６０とから構成されている。無線ＩＣタグ１０は、１２５ＫＨｚ帯の周波数帯域において通信を行う。印刷装置６０は、印字ヘッド６１とアンテナ６２を備え、無線ＩＣタグ１０に記録されている情報を読み出し、読み出した情報に基づいてバーコードを形成し、形成したバーコードを前記物品の包装材の表面上に印刷する。バーコード６３が前記包装材上の印刷されている。印刷装置６０は、管理装置５０に接続されており、前記読み出した情報を管理装置５０へ出力し、管理装置５０は前記情報を受け取り、記憶し、利用する。
【０１０２】
また、通信システムは、図２８及び図３０に示すように、記憶領域を有する無線ＩＣタグ１０が添付された物品と、携帯電話型リーダライタ７０と、無線基地局８５と、無線基地局８５が接続されている公衆通信網８６と、公衆通信網８６を介して無線基地局８５と接続されている管理センタ装置８０と、管理センタ装置８０と接続されている公衆通信網８７と、生産センタ装置９１と、物流センタ装置９２と、販売センタ装置９３と、サービスセンタ装置９４と、回収リサイクルセンタ装置９５とから構成されており、前記物品は、外表面にバーコード６３が印刷された包装材により包装され、生産センタ装置９１、物流センタ装置９２、販売センタ装置９３、サービスセンタ装置９４及び回収リサイクルセンタ装置９５は、それぞれ公衆通信網８７を介して管理センタ装置８０と接続されている。携帯電話型リーダライタ７０は、光を用いてバーコード６３からバーコード情報を読み出し、無線ＩＣタグ１０から電波を用いてタグ情報を読み出し、読み出したバーコード情報と読み出したタグ情報の一部とが一致している場合に、タグ情報が正しく読み出されたと判断する。さらに、携帯電話型リーダライタ７０は、無線基地局８５、公衆通信網８６、管理センタ装置８０及び公衆通信網８７を介して、生産センタ装置９１、物流センタ装置９２、販売センタ装置９３、サービスセンタ装置９４及び回収リサイクルセンタ装置９５のいずれかに読み出したタグ情報を送信し、生産センタ装置９１、物流センタ装置９２、販売センタ装置９３、サービスセンタ装置９４及び回収リサイクルセンタ装置９５のいずれかは、前記タグ情報を記憶する。このように、無線ＩＣタグ１０と生産センタ装置９１、物流センタ装置９２、販売センタ装置９３、サービスセンタ装置９４及び回収リサイクルセンタ装置９５のいずれかは、通信を行う。
２．２  印刷装置６０の構成
印刷装置６０は、図２９に示すように、アンテナ部３０１、変復調部３０２、命令生成部３０３、命令解読部３０４、入力部３０５、表示部３０６、制御部３０７、印刷部３０８及び記憶部３０９から構成されている。
【０１０３】
アンテナ部３０１、変復調部３０２、命令生成部３０３、命令解読部３０４及び制御部３０７は、図２に示す携帯型リーダライタ２０の構成要素であるアンテナ部、変復調部、命令生成部、命令解読部及び制御部と同様の機能、作用、構成を有するので説明を省略し、携帯型リーダライタ２０との相違点を中心にして説明する。
【０１０４】
制御部３０７は、アンテナ部３０１、変復調部３０２及び命令解読部３０４を介して、タグタイプ送信命令を受け取り、タグタイプ送信命令からタグタイプを抽出し、抽出したタグタイプを印刷部３０８へ出力する。
印刷部３０８は、制御部３０７からタグタイプを受け取り、受け取ったタグタイプを元にして、バーコードを形成し、形成したバーコードを物品の包装材の外表面上に印刷する。
【０１０５】
入力部３０５は、操作者による各種の操作指示を受け付ける。
表示部３０６は、制御部３０７から印刷に関する状態情報を受け取り、表示する。
記憶部３０９は、各種情報を記憶する。
なお、制御部３０７は、タグタイプに含まれる周波数帯域タイプのみを印刷部３０８へ出力し、印刷部３０８は、受け取った周波数帯域タイプを元にしてバーコードを形成するとしてもよい。また、周波数帯域タイプに代えて、プロトコルタイプを用いてもよい。
【０１０６】
印刷部３０８は、２次元コード又は文字を形成し、これらを印刷するとしてもよい。
２．３  携帯電話型リーダライタ７０の構成
携帯電話型リーダライタ７０は、図３１に示すように、アンテナ部３２１、変復調部３２２、命令生成部３２３、命令解読部３２４、入力部３３１、表示部３３２、制御部３３３、記憶部３３４、発光部３２５、発光制御部３２６、受光部３２８、コード解読部３２９、通信制御部３３５、無線部３３６、アンテナ部３３７、スピーカ３３８及びマイク３３９から構成されている。
【０１０７】
アンテナ部３２１、変復調部３２２、命令生成部３２３、命令解読部３２４及び制御部３３３は、図２に示す携帯型リーダライタ２０の構成要素であるアンテナ部、変復調部、命令生成部、命令解読部及び制御部と同様の機能、作用、構成を有するので説明を省略し、携帯型リーダライタ２０との相違点を中心にして説明する。
【０１０８】
発光制御部３２６は、制御部３３３から発光指示を受け取る。発光指示を受け取ると、発光部３２５に対して発光するように制御する。
発光部３２５は、発光制御部３２６の制御によりレーザ光を発光し走査する。発光部３２５により発生した光は、物品の包装材の外表面に印刷されたバーコードに照射され、バーコードにおいて反射する。前記印刷されたバーコードは、物品に添付されている無線ＩＣタグ１０のタグタイプを表示しているものである。
【０１０９】
受光部３２８は、バーコードにおいて反射した光を受け取り、電気信号に変換してコード解読部３２９へ出力する。
コード解読部３２９は、受光部３２８から電気信号を受け取り、受け取った電気信号を解読して、バーコード情報を生成し、生成したバーコード情報を制御部３３３へ出力する。
【０１１０】
制御部３３３は、コード解読部３２９からバーコード情報を受け取り、バーコード情報に含まれるタグタイプを抽出する。次に、バーコード情報から抽出したタグタイプと、電波により受信したタグタイプとを比較して、一致しているか否かを判断し、一致していないなら、表示部３３２に対して、不一致の旨を示すエラーメッセージを出力し、表示部３３２は、前記エラーメッセージを表示する。また、不一致の旨を示すエラー音声情報を通信制御部３３５を介して、スピーカ３３８へ出力し、スピーカ３３８は、エラー音声を出力する。
【０１１１】
一致しているなら、制御部３３３は、無線ＩＣタグ１０から配送番号と配送実績日と管理センタ電話番号とを読み出し、読み出した配送番号と配送実績日と管理センタ電話番号とを通信制御部３３５へ出力する。ここで、管理センタ電話番号は、管理センタ装置８０の電話番号である。
通信制御部３３５は、ＣＰＵ、音声ＣＯＤＥＣ、信号処理ＬＳＩ、ベースバンドフィルタなどからなり、制御部３３３から配送番号と配送実績日と管理センタ電話番号とを受け取る。通信制御部３３５は、前記管理センタ電話番号により発呼するように、無線部３３６を制御し、無線部３３６は、アンテナ部３３７、無線基地局８５及び公衆通信網８６を介して、管理センタ装置８０と通信回線を接続する。ここで、無線部３３６は、変復調器、シンセサイザ、ＡＧＣ（可変利得）アンプ、周波数変換器、高周波増幅器、アンテナ共用器などからなる。次に、通信制御部３３５は、前記接続された通信回線を介して、配送番号と配送実績日とを管理センタ装置８０へ送信する。次に、通信制御部３３５は、無線部３３６に対して接続された通信回線を切断するように制御し、無線部３３６は、通信回線を切断する。
２．４  管理センタ装置８０の構成
管理センタ装置８０は、図３２に示すように、データ記憶部３５１と入出力制御部３５２と回線接続部３５３と電話番号記憶部３５４とから構成され、以下に示す生産センタ装置９１、物流センタ装置９２、販売センタ装置９３、サービスセンタ装置９４及び回収リサイクルセンタ装置９５と、携帯電話型リーダライタ７０との間を中継する中継装置（中継管理装置）である。
【０１１２】
回線接続部３５３は、公衆通信網８６、８７を介して、他の装置との通信回線を接続する。
入出力制御部３５２は、回線接続部３５３、公衆通信網８６及び無線基地局８５を介して、携帯電話型リーダライタ７０と接続され、携帯電話型リーダライタ７０から配送番号と配送実績日とを受信し、受信した配送番号と配送実績日とをデータ記憶部３５１に書き込む。その後、入出力制御部３５２は、回線接続部３５３に対して接続された通信回線を切断するように制御し、回線接続部３５３は、通信回線を切断する。
【０１１３】
次に、入出力制御部３５２は、データ記憶部３５１に記憶されている配送番号と配送実績日とを読み出し、読み出した情報が、生産センタ、物流センタ、販売センタ、サービスセンタ及び回収リサイクルセンタのいずれのセンタと関連しているかを判断する。関連するセンタの電話番号を電話番号記憶部３５４から読み出し、読み出した電話番号により、発呼するように、回線接続部３５３を制御し、回線接続部３５３は、公衆通信網８７を介して、生産センタ装置９１、物流センタ装置９２、販売センタ装置９３、サービスセンタ装置９４及び回収リサイクルセンタ装置９５のいずれかであって、前記電話番号により特定されるセンタ装置と通信回線を接続し、次に、入出力制御部３５２は、読み出した配送番号と配送実績日とを、回線接続部３５３、公衆通信網８７を介して、前記電話番号により特定されるセンタ装置へ送信する。その後、入出力制御部３５２は、回線接続部３５３に対して接続された通信回線を切断するように制御し、回線接続部３５３は、通信回線を切断する。
【０１１４】
電話番号記憶部３５４は、センタ名称と対応する電話番号との組を複数個記憶している。
生産センタ装置９１、物流センタ装置９２、販売センタ装置９３、サービスセンタ装置９４及び回収リサイクルセンタ装置９５と、携帯電話型リーダライタ７０との間に管理センタ装置８０を設置する理由は以下の通りである。
【０１１５】
数多くの無線ＩＣタグは、物品に添付され、物品の寿命が尽きるまで、１０年間や２０年間などの長期間に渡って利用される。無線ＩＣタグの内部に生産センタ装置９１などの電話番号を記録している仮定し、この電話番号を変更しようとすると、数多くの無線ＩＣタグに記憶されている電話番号を変更しなければならない。生産センタ装置９１は、この電話番号を前記期間に渡って維持しなければならない。同一の電話番号を長期間に渡って維持することの困難性を回避するために、また数多くの無線ＩＣタグの書き換えを回避するために、無線ＩＣタグ１０内部に記録されている電話番号の数をできる限り少なくし、管理センタ装置８０の電話番号のみを記録することとしている。管理センタ装置８０は、生産センタ装置９１、物流センタ装置９２、販売センタ装置９３、サービスセンタ装置９４及び回収リサイクルセンタ装置９５の電話番号を記憶しており、これらの装置への中継装置となりうる。また、管理センタ装置８０に記録されている電話番号の変更は容易である。
２．５  生産センタ装置９１、物流センタ装置９２、販売センタ装置９３、サービスセンタ装置９４及び回収リサイクルセンタ装置９５の構成
物流センタ装置９２は、データ記憶部と入出力制御部と回線接続部とから構成される。
【０１１６】
回線接続部は、公衆通信網８７を介して、他の装置との通信回線を接続する。
入出力制御部は、回線接続部が公衆通信網８７を介して、管理センタ装置８０と接続されたときに、管理センタ装置８０から情報を受け取る。前記情報の具体的な一例は、配送番号と配送実績日とである。入出力制御部は、受け取った情報をデータ記憶部に書き込む。
【０１１７】
生産センタ装置９１、販売センタ装置９３、サービスセンタ装置９４及び回収リサイクルセンタ装置９５についても、同様の構成である。
２．６  印刷システム及び通信システムの動作
印刷システム及び通信システムの動作について説明する。
（１）印刷システムの動作
印刷システムの動作について、図３３に示すフローチャートを用いて説明する。
【０１１８】
印刷装置６０は、アクセス要求命令を生成し、電波により生成したアクセス要求命令を送信する（ステップＳ３０１）。無線ＩＣタグ１０は、アクセス要求命令を受信し、タグタイプを読み出し、読み出したタグタイプを含むタグタイプ送信命令を電波により送信する（ステップＳ３０２）。印刷装置６０の制御部３０７は、アンテナ部３０１、変復調部３０２及び命令解読部３０４を介して、タグタイプ送信命令を受け取り、タグタイプ送信命令からタグタイプを抽出し、抽出したタグタイプを印刷部３０８へ出力する（ステップＳ３０３）。印刷部３０８は、制御部３０７からタグタイプを受け取り、受け取ったタグタイプを元にして、バーコードを形成し（ステップＳ３０４）、形成したバーコードを物品の包装材の外表面上に印刷する（ステップＳ３０５）。
（２）携帯電話型リーダライタ７０の動作
携帯電話型リーダライタ７０の動作について、図３４及び図３５に示すフローチャートを用いて説明する。
【０１１９】
携帯電話型リーダライタ７０は、操作者により無線ＩＣタグ１０から情報を読み出し、物流センタへ送信する旨の操作を受け付け（ステップＳ３１１）、アクセス要求命令を生成し、電波により生成したアクセス要求命令を送信する（ステップＳ３１２）。無線ＩＣタグ１０は、アクセス要求命令を受信し、タグタイプを読み出し、読み出したタグタイプを含むタグタイプ送信命令を電波により送信する（ステップＳ３１３）。携帯電話型リーダライタ７０の制御部３３３は、アンテナ部３２１、変復調部３２２及び命令解読部３２４を介して、タグタイプ送信命令を受け取り、タグタイプ送信命令からタグタイプを抽出する（ステップＳ３１４）。これ以降、携帯電話型リーダライタ７０は抽出したタグタイプにより、無線ＩＣタグ１０との通信を行う。次に、制御部３３３は、発光制御部３２６に対して発光指示を出力し、発光制御部３２６は、制御部３３３から発光指示を受け取り、発光部３２５は、発光制御部３２６の制御により発光する（ステップＳ３１５）。発光部３２５により発生した光は、物品の包装材の外表面に印刷されたバーコードに照射され、バーコードにおいて反射する。受光部３２８は、前記反射光を受け取り、電気信号に変換してコード解読部３２９へ出力し、コード解読部３２９は、受光部３２８から電気信号を受け取り、受け取った電気信号を解読して、バーコード情報を生成し、生成したバーコード情報を制御部３３３へ出力する（ステップＳ３１６）。制御部３３３は、コード解読部３２９からバーコード情報を受け取り、バーコード情報に含まれるタグタイプを抽出する（ステップＳ３１７）。次に、バーコード情報から抽出したタグタイプと、電波により受信したタグタイプとを比較して、一致しているか否かを判断し、一致していないなら（ステップＳ３１８）、表示部３３２に対して、不一致の旨を示すエラーメッセージを出力し、表示部３３２は、前記エラーメッセージを表示し、また、制御部３３３は、不一致の旨を示すエラー音声情報を通信制御部３３５を介して、スピーカ３３８へ出力し、スピーカ３３８は、エラー音声を出力する（ステップＳ３１９）。
【０１２０】
一致しているなら（ステップＳ３１８）、制御部３３３は、配送番号と配送実績日と管理センタ電話番号とを無線ＩＣタグ１０から読み出すためのアクセス命令を生成し（ステップＳ３２０）、生成したアクセス命令を電波により送信し（ステップＳ３２１）、無線ＩＣタグ１０は、アクセス命令を受信し、内部に記憶している配送番号と配送実績日と管理センタ電話番号とを読み出し（ステップＳ３２２）、読み出した配送番号と配送実績日と管理センタ電話番号とをアクセス応答命令により送信し（ステップＳ３２３）、制御部３３３は、アクセス応答命令を受信し、アクセス応答命令から配送番号と配送実績日と管理センタ電話番号とを抽出し、通信制御部３３５は、制御部３３３から配送番号と配送実績日と管理センタ電話番号とを受け取る（ステップＳ３２４）。通信制御部３３５は、前記管理センタ電話番号により発呼するように、無線部３３６を制御し、無線部３３６は、アンテナ部３３７、無線基地局８５及び公衆通信網８６を介して、管理センタ装置８０と通信回線を接続する（ステップＳ３２５）。次に、通信制御部３３５は、前記接続された通信回線を介して、配送番号と配送実績日とを管理センタ装置８０へ送信する（ステップＳ３２６）。次に、通信制御部３３５は、無線部３３６に対して接続された通信回線を切断するように制御し、無線部３３６は、通信回線を切断する（ステップＳ３２７）。
（３）管理センタ装置８０の動作
管理センタ装置８０の動作について、図３６に示すフローチャートを用いて説明する。
【０１２１】
入出力制御部３５２は、回線接続部３５３、公衆通信網８６及び無線基地局８５を介して、携帯電話型リーダライタ７０と接続され、携帯電話型リーダライタ７０から配送番号と配送実績日とを受信し、受信した配送番号と配送実績日とをデータ記憶部３５１に書き込み、入出力制御部３５２は、回線接続部３５３に対して接続された通信回線を切断するように制御し、回線接続部３５３は、通信回線を切断する（ステップＳ３５１）。
【０１２２】
次に、入出力制御部３５２は、データ記憶部３５１に記憶されている配送番号と配送実績日とを読み出し、読み出した情報が、生産センタ、物流センタ、販売センタ、サービスセンタ及び回収リサイクルセンタのいずれのセンタと関連しているかを判断する（ステップＳ３５２）。関連するセンタの電話番号を電話番号記憶部３５４から読み出し（ステップＳ３５３、ステップＳ３５４、ステップＳ３５５）、読み出した電話番号により、発呼するように、回線接続部３５３を制御し、回線接続部３５３は、公衆通信網８７を介して、生産センタ装置９１、物流センタ装置９２、販売センタ装置９３、サービスセンタ装置９４及び回収リサイクルセンタ装置９５のいずれかであって、前記電話番号により特定されるセンタ装置と通信回線を接続し（ステップＳ３５６）、次に、入出力制御部３５２は、読み出した配送番号と配送実績日とを、回線接続部３５３、公衆通信網８７を介して、前記電話番号により特定されるセンタ装置へ送信する（ステップＳ３５７）。その後、入出力制御部３５２は、回線接続部３５３に対して接続された通信回線を切断するように制御し、回線接続部３５３は、通信回線を切断する（ステップＳ３５８）。
（４）生産センタ装置９１、物流センタ装置９２、販売センタ装置９３、サービスセンタ装置９４及び回収リサイクルセンタ装置９５の動作
物流センタ装置９２の動作について、図３７に示すフローチャートを用いて説明する。
【０１２３】
物流センタ装置９２の入出力制御部は、回線接続部が公衆通信網８７を介して、管理センタ装置８０と接続されたときに、管理センタ装置８０から配送番号と配送実績日とを受信し（ステップＳ３６０）、入出力制御部は、受信し配送番号と配送実績日とをデータ記憶部に書き込む（ステップＳ３６１）。
なお、生産センタ装置９１、販売センタ装置９３、サービスセンタ装置９４及び回収リサイクルセンタ装置９５の動作についても同様である。
２．７  印刷システムの変形例（１）
印刷装置６０は、無線ＩＣタグ１０の添付されている物品を包装する包装材にバーコードを印刷するとしているが、次のようにしてもよい。
【０１２４】
テープの上に複数の無線ＩＣタグ１０が一定の間隔を於いて付着されており、また、各無線ＩＣタグ１０が付着している位置に対応して前記テープの上に識別用のマークが印刷されている。前記テープは、リールに巻き取られている。
印刷装置６０は、リールに巻き取られているテープを引き出しながら、識別用のマークを光により検出する。マークを検出すると、上記に説明したように、印刷装置６０は、検出したマークに近接してテープ上に付着している無線ＩＣタグ１０からタグタイプを読み出し、読み出したタグタイプによりバーコードを形成し、形成したバーコードを前記無線ＩＣタグ１０の上面に印刷する。印刷が終了すると、さらにテープを引き出し、次の無線ＩＣタグの上面に同様にしてバーコードを印刷する。印刷装置６０は、引き出したテープを、別のリールに徐々に巻き取っていく。
【０１２５】
バーコードの印刷された無線ＩＣタグが付着されたテープを巻き取った前記別のリール４００の外観を図３８（ａ）に示す。この図に示すように、テープ４０２上に、無線ＩＣタグ４０３が付着され、無線ＩＣタグ４０３の上面にバーコードが印刷されている。無線ＩＣタグ４０３の近辺でテープ４０２上に、識別用のマーク４０４が印刷されている。
【０１２６】
バーコードの印刷された無線ＩＣタグが付着されたテープを巻き取ったリールは、電子回路基盤に電子部品を装着する際に、電子部品を供給するために用いられる。
このように、バーコードを無線ＩＣタグの外表面に印刷するとしてもよい。
２．８  印刷システムの変形例（２）
印刷装置６０は、無線ＩＣタグの添付されている物品を包装する包装材にバーコードを印刷するとしているが、無線ＩＣタグの添付されている物品の面上にバーコードを印刷するとしてもよい。
【０１２７】
無線ＩＣタグの添付されている物品の一例を図３８（ｂ）に示す。この図に示すように、物品４１０の前面下部において、無線ＩＣタグ４１１が添付され、無線ＩＣタグ４１１にロゴ４１２が添付されている。物品４１０の側面下部において、バーコード４１３が印刷されている。
２．９  印刷システムの変形例（３）
印刷装置６０は、無線ＩＣタグ１０の添付されている物品を包装する包装材にタグタイプを表示するバーコードを印刷するとしているが、次のようにしてもよい。
【０１２８】
変形例としての印刷システムの動作について、図３９に示すフローチャートを用いて説明する。
変形例としての印刷装置６０は、アクセス要求命令を生成し、電波により生成したアクセス要求命令を送信する（ステップＳ３８１）。無線ＩＣタグ１０は、アクセス要求命令を受信し、タグタイプを読み出し、読み出したタグタイプを含むタグタイプ送信命令を電波により送信する（ステップＳ３８２）。印刷装置６０は、タグタイプ送信命令を受け取る（ステップＳ３８２）。
【０１２９】
次に、変形例としての印刷装置６０は、無線ＩＣタグを個別に識別する識別ココードを無線ＩＣタグから読み出す旨の識別コードのアクセス命令を生成し、電波により生成したアクセス命令を送信する（ステップＳ３８４）。無線ＩＣタグ１０は、前記アクセス命令を受信し、識別コードを識別コード記憶部２０８から読み出し（ステップＳ３８５）、読み出した識別コードを含むアクセス応答命令を生成し、生成したアクセス応答命令を電波により送信する（ステップＳ３８６）。印刷装置６０は、アクセス応答命令を受け取る（ステップＳ３８７）。印刷装置６０は、アクセス応答命令から識別コードを抽出し、抽出した識別コードを印刷部３０８へ出力する（ステップＳ３８８）。印刷部３０８は、制御部３０７から識別コードを受け取り、受け取った識別コードを元にして、バーコードを形成し（ステップＳ３８８）、形成したバーコードを物品の包装材の外表面上に印刷する（ステップＳ３８９）。
２．９  印刷システムの変形例（４）
印刷装置６０は、次のようにしてバーコードを印刷してもよい。
【０１３０】
印刷装置６０は、無線ＩＣタグ１０が記憶しているタグタイプを読み出して、読み出したタグタイプに暗号アルゴリズムを施して暗号化タグタイプを生成し、生成した暗号化タグタイプからバーコードを形成し、形成したバーコードを印刷する。
また、印刷装置６０は、無線ＩＣタグ１０が記憶しているタグタイプを読み出して、乱数を生成する。次に、生成した乱数と読み出したタグタイプとを１ビット毎に交互に併合する。併合された結果に対して暗号アルゴリズムを施して暗号化タグタイプを生成し、生成した暗号化タグタイプからバーコードを形成し、形成したバーコードを印刷する。
【０１３１】
また、印刷装置６０は、無線ＩＣタグ１０が記憶しているタグタイプを読み出して、乱数を生成する。次に、生成した乱数と読み出したタグタイプとを１ビット毎に交互に併合する。併合された結果からバーコードを形成し、形成したバーコードを印刷する。
携帯電話型リーダライタ７０は、上記により印刷されたバーコードから元のタグタイプを復元する場合には、それぞれ、逆の手順を施す。
【０１３２】
前記印刷媒体の面上にタグタイプに暗号アルゴリズムを施して生成された暗号化タグタイプを表示するバーコード（形象）が印刷されている。携帯電話型リーダライタ７０は、光を用いて前記印刷媒体面上に印刷されているバーコードを読み出し、読み出したバーコードに基づいて暗号化タグタイプを生成し、生成した暗号化タグタイプに復号アルゴリズムを施してタグタイプを生成する。ここで、前記復号アルゴリズムは、平文に前記暗号アルゴリズムを施して生成された暗号文を復号するアルゴリズムである
また、前記印刷媒体の面上にタグタイプと他の情報とを所定の基準により併合して生成された併合情報を表示するバーコードが印刷されている。携帯電話型リーダライタ７０は、光を用いて前記印刷媒体面上に印刷されているバーコードを読み出し、読み出したバーコードに基づいて併合情報を生成し、生成した併合情報から前記所定の基準により部分の情報を抽出してタグタイプを生成する。ここで、前記所定の基準は、２個の情報を１ビット毎に交互に取り出して結合することである。他の情報の一例は、ランダムに生成された乱数である。
【０１３３】
また、前記印刷媒体の面上にタグタイプと他の情報とを所定の基準により併合して生成された併合情報にさらに暗号アルゴリズムを施して暗号化情報を生成し、生成した暗号化情報を表示するバーコードが印刷されている。携帯電話型リーダライタ７０は、光を用いて前記印刷媒体面上に印刷されているバーコードを読み出し、読み出したバーコードに基づいて形象情報を生成し、生成した形象情報に復号アルゴリズムを施して暗号化前の併合情報を生成し、生成した併合情報から前記所定の基準により部分の情報を抽出してタグタイプとする。
【０１３４】
また、上記において、バーコードを用いてるとしているが、２次元コードを用いてもよい。２次元コードの生成及び２次元コードからの情報の復元については、公知であるので説明を省略する。また、文字を用いてもよい。文字からの情報の復元については、公知である。
また、上記において、タグタイプの代わりに、無線ＩＣタグ１０を個別に識別する媒体識別コードを用いてもよい。また、タグタイプに含まれる周波数帯域タイのみプを用いてもよいし、プロトコルタイプのみを用いてもよい。
【０１３５】
また、変復調方式、データ形式、セキュリティ方式又は暗号化方式をそれぞれ識別する情報を用いてもよい。
２．１０  携帯電話型リーダライタの変形例
変形例としての携帯電話型リーダライタ７０の動作について、図４０に示すフローチャートを用いて説明する。
【０１３６】
変形例としての携帯電話型リーダライタ７０は、操作者による操作を受け付け（ステップＳ４０１）、アクセス要求命令を生成し、電波により生成したアクセス要求命令を送信する（ステップＳ４０２）。無線ＩＣタグ１０は、タグタイプを読み出し、読み出したタグタイプを含むタグタイプ送信命令を電波により送信する（ステップＳ４０３）。携帯電話型リーダライタ７０の制御部３３３は、タグタイプ送信命令を受け取り、タグタイプ送信命令からタグタイプを抽出する（ステップＳ４０４）。これ以降、携帯電話型リーダライタ７０は抽出したタグタイプにより、無線ＩＣタグ１０との通信を行う。次に、制御部３３３は、発光制御部３２６に対して発光指示を出力し、発光部３２５は、発光制御部３２６の制御により発光する（ステップＳ４０９）。バーコードは、無線ＩＣタグ１０の識別コードを表示している。受光部３２８は、前記反射光を受け取り（ステップＳ４１０）、電気信号に変換してコード解読部３２９へ出力し、コード解読部３２９は、受光部３２８から電気信号を受け取り、受け取った電気信号を解読して、バーコード情報を生成し、生成したバーコード情報を制御部３３３へ出力する（ステップＳ４１１）。
【０１３７】
携帯電話型リーダライタ７０は、無線ＩＣタグを個別に識別する識別コードを無線ＩＣタグから読み出す旨の識別コードのアクセス命令を生成し、電波により生成したアクセス要求命令を送信する（ステップＳ４０５）。無線ＩＣタグ１０は、前記アクセス要求命令を受信し、識別コードを識別コード記憶部２０８から読み出し（ステップＳ４０６）、読み出した識別コードを含むアクセス応答命令を生成し、生成したアクセス応答命令を電波により送信する（ステップＳ４０７）。携帯電話型リーダライタ７０は、アクセス応答命令を受け取り、アクセス応答命令から識別コードを抽出する（ステップＳ４０８）。
【０１３８】
携帯電話型リーダライタ７０は、バーコード情報から抽出した識別コードと、電波により受信した識別コードとを比較して、一致しているか否かを判断し、一致していないなら（ステップＳ４１２）、不一致の旨を示すエラーメッセージを出力し、不一致の旨を示すエラー音声を出力する（ステップＳ４１３）。
一致しているなら（ステップＳ４１２）、携帯電話型リーダライタ７０は、アクセス処理を行う。
２．１１  通信システムの変形例
変形例としての通信システムは、図２８及び図４１に示すように、記憶領域を有する無線ＩＣタグ１０が添付された物品と、携帯電話型リーダライタ７０と、無線基地局８５と、無線基地局８５が接続されている公衆通信網８６と、生産センタ装置９１と、物流センタ装置９２と、販売センタ装置９３と、サービスセンタ装置９４と、回収リサイクルセンタ装置９５とから構成されており、前記物品は、外表面にバーコード６３が印刷された包装材により包装され、生産センタ装置９１、物流センタ装置９２、販売センタ装置９３、サービスセンタ装置９４及び回収リサイクルセンタ装置９５は、それぞれ公衆通信網８７を介して無線基地局８５と接続されている。携帯電話型リーダライタ７０は、光を用いてバーコード６３からバーコード情報を読み出し、無線ＩＣタグ１０から電波を用いてタグ情報を読み出し、読み出したバーコード情報と読み出したタグ情報の一部とが一致している場合に、タグ情報が正しく読み出されたと判断する。ここで、電波を用いて読み出したタグ情報は、生産センタ装置９１、物流センタ装置９２、販売センタ装置９３、サービスセンタ装置９４及び回収リサイクルセンタ装置９５のいずれかの電話番号を含んでいる。さらに、携帯電話型リーダライタ７０は、無線基地局８５及び公衆通信網８６を介して、前記電話番号を用いて、発呼することにより、生産センタ装置９１、物流センタ装置９２、販売センタ装置９３、サービスセンタ装置９４及び回収リサイクルセンタ装置９５のいずれかと通信回線を接続し、通信回線の接続された生産センタ装置９１、物流センタ装置９２、販売センタ装置９３、サービスセンタ装置９４及び回収リサイクルセンタ装置９５のいずれかに読み出したタグ情報を送信し、生産センタ装置９１、物流センタ装置９２、販売センタ装置９３、サービスセンタ装置９４及び回収リサイクルセンタ装置９５のいずれかは、前記タグ情報を記憶する。
２．１２  まとめ
媒体情報を記憶している無線ＩＣタグなどの情報記憶媒体は、物品に添付されている。物品、物品を包装する包装材又は無線ＩＣタグなどの外表面である印刷媒体の面上に媒体情報を表示するバーコード、２次元コード又は文字からなる形象が印刷されている。携帯電話型リーダライタなどのアクセス装置は、光を用いて前記印刷媒体面上に印刷されているバーコードなどの形象を読み出し、読み出した形象に基づいて媒体情報を生成し、また、前記情報記憶媒体から媒体情報を読み出す。生成した媒体情報と読み出した媒体情報とが一致する場合に、前記アクセス装置と前記情報記憶媒体との間で情報を送受信する。
【０１３９】
また、印刷装置は、情報記憶媒体から媒体情報を読み出し、読み出した媒体情報を表示するバーコード、２次元コード又は文字からなる形象を形成し、情報記憶媒体が添付されている物品、物品を包装する包装材又は情報記憶媒体などの外表面である印刷媒体の面上に前記形成した形象を印刷する。
また、情報記憶媒体は、センタ装置の電話番号を記憶しており、移動電話機などの携帯電話型リーダライタは、前記電話番号を読み出して、受信した前記電話番号に基づいて発呼して、前記センタ装置との間で前記公衆回線網を介して回線を接続し、以降、前記センタ装置と前記情報記憶媒体との間で相互に通信を行う。
３  第３の実施の形態
本発明の別の１の実施の形態としての納品システム及び検品システムについて説明する。
３．１  納品システムの構成と動作
納品システムは、バーコードが表面に印刷された物品を格納する格納パレット５００と携帯型リーダライタとから構成されている。
【０１４０】
格納パレット５００は、図４２に示すように、凹形状の籠であり、外側面に無線ＩＣタグ５０１が添付されている。無線ＩＣタグ５０１は、無線ＩＣタグ１０と同様の構成を有する。格納パレット５００内に格納されている物品の表面に印刷されたバーコードは、当該物品を識別する商品番号を示している。
無線ＩＣタグ５０１は、サービスステージ領域において、図４４に示す納品リストテーブル５１２を有している。納品リストテーブル５１２は、商品番号と数量と単価と小計との組を複数個記憶する商品情報領域と総金額を記憶する総金額領域とを含む。
【０１４１】
携帯型リーダライタは、携帯型リーダライタ２０を構成する構成要素を含み、さらに、携帯電話型リーダライタ７０を構成する発光部３２５、発光制御部３２６、受光部３２８及びコード解読部３２９を含む。
携帯型リーダライタのテーブル記憶部１１６は、さらに、図４３に示す商品テーブル５１１を有している。商品テーブル５１１は、商品番号と商品名と単価とから構成される組を複数個含んでいる。
【０１４２】
携帯型リーダライタの動作について、図４５に示すフローチャートを用いて説明する。
携帯型リーダライタは、操作者からバーコード読み取りを示す操作指示を受け付けると、物品に印刷されているバーコードからバーコード情報を読み取る（ステップＳ４３１）。バーコード情報は、商品番号を表示している。携帯型リーダライタは、商品テーブル５１１から、読み取った前記商品番号と同じ組に含まれている単価を読み出し（ステップＳ４３２）、商品番号と単価との組を内部に記憶する（ステップＳ４３３）。携帯型リーダライタは、操作者からバーコード読み取りの終了を示す操作指示を受け付けるまで（ステップＳ４３４）、前記バーコードの読取りと、単価の読出しと、商品番号と単価との組の記憶とを繰り返す（ステップＳ４３１〜ステップＳ４３３）。
【０１４３】
携帯型リーダライタは、操作者からバーコード読み取りの終了を示す操作指示を受け付けると（ステップＳ４３４）、記憶している商品番号毎に、商品の数量を集計し（ステップＳ４３５）、商品番号毎の単価を合計して小計を算出し（ステップＳ４３６）、全ての商品の単価を合計して総金額を算出し（ステップＳ４３７）、商品番号毎に、商品番号と、数量と、単価と、小計とからなる組を無線ＩＣタグ５０１内の納品リストテーブル５１２の商品情報領域に書込み、総金額を総金額領域に書き込む（ステップＳ４３８）。
【０１４４】
操作者は、物品毎にバーコード読出操作を行って当該物品を格納パレット５００に格納し、全ての物品の読出操作が終了すると、集計操作を行う。
３．２  検品システムの構成と動作
検品システムは、格納パレット５００と携帯型リーダライタとから構成されている。
【０１４５】
格納パレット５００は、検品システムの格納パレット５００と同様の構成である。格納パレット５００に付着されている無線ＩＣタグ５０１は、図４４に示す納品リストテーブル５１２を有している。納品リストテーブル５１２は、商品番号と数量と単価と小計との組を複数個記憶する商品情報領域と総金額を記憶する総金額領域とを含み、前記商品情報領域は、あらかじめ、商品番号と数量と単価と小計との組を複数個記憶しており、総金額領域は、あらかじめ、総金額を記憶している。
【０１４６】
携帯型リーダライタは、検品システムの携帯型リーダライタと同様の構成を有する。
携帯型リーダライタの動作について、図４６に示すフローチャートを用いて説明する。
携帯型リーダライタは、無線ＩＣタグ５０１の納品リストテーブル５１２から、商品番号と数量と単価と小計との全ての組と、総金額とを読み出す（ステップＳ４４１）。
【０１４７】
次に、携帯型リーダライタは、操作者からバーコード読み取りを示す操作指示を受け付けると、物品に印刷されているバーコードからバーコード情報を読み取る（ステップＳ４４２）。バーコード情報は、商品番号を表示している。携帯型リーダライタは、読み取った前記商品番号を記憶する（ステップＳ４４３）。携帯型リーダライタは、操作者からバーコード読み取りの終了を示す操作指示を受け付けるまで（ステップＳ４４４）、前記バーコードの読取りと、商品番号の記憶とを繰り返す（ステップＳ４４２〜ステップＳ４４３）。
【０１４８】
携帯型リーダライタは、操作者からバーコード読み取りの終了を示す操作指示を受け付けると（ステップＳ４４４）、記憶している商品番号毎に、商品の数量を集計し（ステップＳ４４５）、商品番号毎に、前記記憶している数量と集計した前記数量とを比較する。全ての商品番号の数量が一致するなら（ステップＳ４４６）、一致することを示すメッセージを表示し（ステップＳ４４７）、検品完了を示す「検品完了」を無線ＩＣタグ５０１へ書き込む（ステップＳ４４８）。
【０１４９】
商品番号の数量の不一致が存在するなら（ステップＳ４４６）、携帯型リーダライタは、一致しないことを示すメッセージを表示し（ステップＳ４４９）、さらに、数量が不一致の商品番号を全て表示する（ステップＳ４５０）。
操作者は、格納パレット５００から物品を取り出しながら、物品毎にバーコード読出操作を行い、全ての物品の読出操作が終了すると、集計操作を行う。
３．３  まとめ
以上説明したように、納品システムは、バーコードなどの形象が印刷された印刷媒体と、前記印刷媒体が添付された物品と、電波を用いて非接触に読み書き可能な情報記憶媒体と、物品を格納するための格納籠と、前記情報記憶媒体との間で情報を送受信する携帯情報端末装置とから構成され、物品を納品する際の納品情報を生成する。物品の種類を識別する情報に基づいて形成された形象が印刷された印刷媒体が当該物品の外表面に添付され、前記情報記憶媒体は、前記格納籠に添付されている。
【０１５０】
前記携帯情報端末装置は、操作者から読出操作、又は集計操作の入力を受け付け、読出操作の入力が受け付けられた場合に、光を用いて物品に添付された前記印刷媒体上の形象を読み出し、読み出した形象に基づいて対応する識別情報を生成し、生成した識別情報を記憶し、集計操作の入力が受け付けられた場合に、記憶している全ての識別情報を読み出し、同じ識別情報毎に識別情報の出現頻度を算出し、算出した前記識別情報毎の出現頻度を電波を用いて送信する。
【０１５１】
情報記憶媒体は、電波を用いて送信された識別情報毎の出現頻度を受信して、受信した識別情報毎の出現頻度を納品情報として記憶する。
操作者は、物品毎に読出操作を行って当該物品を格納籠に格納し、全ての物品の読出操作が終了すると、集計操作を行う
また、検品システムは、形象が印刷された印刷媒体と、前記印刷媒体が添付された物品と、電波を用いて非接触に読み書き可能な情報記憶媒体と、物品を格納している格納籠と、前記情報記憶媒体との間で情報を送受信する携帯情報端末装置とから構成され、物品を検品する際の検品情報を生成する。物品の種類を識別する情報に基づいて形成された形象が印刷された印刷媒体が当該物品の外表面に添付され、前記情報記憶媒体は、前記格納籠に添付されている。
【０１５２】
前記情報記憶媒体は、前記格納籠に格納されている物品の種類を識別する識別情報毎の出現頻度を記憶している。
前記携帯情報端末装置は、操作者から読出操作、又は集計操作の入力を受け付け、読出操作の入力が受け付けられた場合に、光を用いて物品に添付された前記印刷媒体上の形象を読み出し、読み出した形象に基づいて対応する識別情報を生成し、生成した識別情報を記憶する。集計操作の入力が受け付けられた場合に、記憶している全ての識別情報を読み出し、同じ識別情報毎に識別情報の出現頻度を算出し、前記情報記憶媒体から前記識別情報毎の出現頻度を電波を用いて受信し、識別情報毎に、算出した出現頻度と受信した出現頻度とを比較し、比較結果を検品情報として出力する。
【０１５３】
操作者は、格納籠から物品を取り出しながら、物品毎に読出操作を行い、全ての物品の読出操作が終了すると、集計操作を行う。
４  第４の実施の形態
本発明の別の１の実施の形態としてのコンピュータゲームシステム及び販売システムについて説明する。
４．１  コンピュータゲームシステムの構成及び動作
コンピュータゲームシステムは、コンピュータゲーム機と非接触ＣＤ−ＲＯＭ５６１とから構成される。
【０１５４】
コンピュータゲーム機は、図４７（ａ）にその外観図を示すように、ディスプレィ部５５１と本体部５５２とコントローラ５５３とから構成されている。
本体部５５２は、マイクロプロセッサとコンピュータプログラムが記憶されているＲＯＭとＲＡＭとＣＤ−ＲＯＭ入出力部とを含む。さらに、本体部５５２は、携帯型リーダライタ２０の構成要素である変復調部、命令生成部、命令解読部、制御部、双方向認証部、テーブル記憶部、タグタイプ記憶部を含む。また、コントローラ５５３は、複数のボタンとアンテナ部５５４を備えている。アンテナ部５５４は、携帯型リーダライタ２０の構成要素であるアンテナ部と同様である。
【０１５５】
非接触ＣＤ−ＲＯＭ５６１は、図４７（ｂ）にその外観図を示す。非接触ＣＤ−ＲＯＭ５６１は、中空円盤形状を有し、前記中空円盤内に、光により情報の書込み又は読み出しがされる中空円状の記録部５６４を備えている。また、前記円盤の外円周の近辺内側に沿って円状に貼られた導線からなるアンテナ部５６２を備え、前記円盤の内円周の近辺外側にチップ部５６３を備え、アンテナ部５６２とチップ部５６３とは接続されている。チップ部５６３は、図１３にしめす無線ＩＣタグ１０ｂの構成要素である復調部２０２、変調部２０３、電源部２０４、命令解読部２０５、タグタイプ記憶部２０６、制御部２０７、識別コード記憶部２０８、入出力部２０９及びメモリ部２１０を含んでいる。
【０１５６】
メモリ部２１０に記憶されている情報の一例を図４８に示す。メモリ部２１０は、生産ステージ領域５７２と物流ステージ領域５７３と販売ステージ領域５７４とサービスステージ領域５７５と回収リサイクルステージ領域５７６と共通領域５７７とから構成され、生産ステージ領域５７２は、「ゲームソフトメーカ名」と「ゲーム名」と「版数」と「品番」と「制作日」とを記録しており、  物流ステージ領域５７３は、「運送業者名」を記録しており、販売ステージ領域５７４は、「卸業者名」と「小売店名」と「販売日」と正当に販売されたか否かを示す「販売情報」とを記録しており、サービスステージ領域５７５は、「課金情報」と「使用権利情報」と「使用回数」と「使用権利者名」と「ゲーム経過情報」と「キャラクタパワー情報」と「ゲーム改訂情報アドレス」と「使用権利者パスワード」と「サービスセンタ電話番号」とを記録しており、回収リサイクルステージ領域５７６は、「リユース記録」とを記録している。共通領域５７７に記録されている情報はない。
【０１５７】
コンピュータゲームシステムの動作について、図４９及び図５０に示すフローチャートを用いて説明する。
コンピュータゲーム機は、課金情報と使用権利情報と使用回数と使用権利者パスワードを非接触ＣＤ−ＲＯＭ５６１内のチップ部５６３が有するメモリ部２１０から読み出す（ステップＳ４７１）。コンピュータゲーム機は、操作者から使用権利者パスワードの入力を受け付け（ステップＳ４７２）、読み出した使用権利者パスワードと入力を受け付けた使用権利者パスワードとを比較して、一致しないならば（ステップＳ４７３）、一致しないことを示すメッセージを表示して（ステップＳ４７４）、終了する。
【０１５８】
使用権利者パスワードが一致しているならば（ステップＳ４７３）、課金情報の残高を確認し、残高が無いなら（ステップＳ４７５）、残高が無いことを示すメッセージを表示して（ステップＳ４７６）、終了する。
課金情報の残高があるなら（ステップＳ４７５）、使用回数の残を確認し、残が無いなら（ステップＳ４７７）、残が無いことを示すメッセージを表示して（ステップＳ４７８）、終了する。
【０１５９】
使用回数の残があるなら（ステップＳ４７７）、使用権利情報を確認し、使用権利情報が正式に購入したことを示す正式版であるなら（ステップＳ４７９）、課金情報及び使用回数を減じ、課金情報及び使用回数をメモリ部２１０に上書きする（ステップＳ４８０）。
次に、ゲーム経過情報とキャラクタパワー情報とをメモリ部２１０から読み出し（ステップＳ４８１）、非接触ＣＤ−ＲＯＭ５６１の記録部５６４からゲームプログラムを読み出し、読み出したゲーム経過情報とキャラクタパワー情報とに基づいて、前記ゲームプログラムを起動する（ステップＳ４８２）。ゲーム経過情報は、ゲームを再開する位置を示す情報を含み、この位置からゲームプログラムが再開される。使用権利情報に基づいて、ゲームプログラムが実行され（ステップＳ４８３）、操作者によるゲーム終了を示す操作指示が受け付けられると（ステップＳ４８４）、現時点のゲーム経過情報と現時点のキャラクタパワー情報とをメモリ部２１０に上書きする（ステップＳ４８５）。
【０１６０】
なお、次のようにしてもよい。コンピュータゲーム機は、家庭内ＬＡＮを介して、インターネットに接続されている。家庭内ＬＡＮは、各種家電機器や家庭内サーバ機としてのパソコンを接続している。また、ゲームメーカーが運営するゲームソフトサーバ機がインターネットに接続されており、ゲームソフトの改訂に関する情報を記憶している。ゲームソフトサーバ機のインターネット上のアドレスが、非接触ＣＤ−ＲＯＭ５６１のメモリ部２１０にゲーム改訂情報アドレスとして記憶されている。
【０１６１】
コンピュータゲーム機は、非接触ＣＤ−ＲＯＭ５６１のメモリ部２１０からゲーム改訂情報アドレスを読み出し、読み出したゲーム改訂情報アドレスを用いて、インターネットを介して、ゲームソフトサーバ機に接続し、接続したゲームソフトサーバ機から、ゲームソフトの改訂に関する情報を取り出し、取り出した情報を用いて、ゲームプログラムを実行する。
４．２  販売システム
販売システムは、入金処理を行うキャッシュレジスタ装置と非接触ＣＤ−ＲＯＭ５６１とから構成される。
【０１６２】
販売管理装置であるキャッシュレジスタ装置は、携帯型リーダライタ２０の構成要素であるアンテナ部、変復調部、命令生成部、命令解読部、制御部、双方向認証部、テーブル記憶部及びタグタイプ記憶部などを含み、非接触ＣＤ−ＲＯＭを販売する販売店に設置されて販売者により操作される。
非接触ＣＤ−ＲＯＭ５６１は、前記コンピュータゲームシステムにおける非接触ＣＤ−ＲＯＭ５６１と同じである。
【０１６３】
非接触ＣＤ−ＲＯＭ５６１が、販売店において正当に購入されると、販売者の操作により、キャッシュレジスタ装置は、支払いのされた金額に相当する額の課金情報と、正式版であることを示す使用権利情報と、前記課金情報に見合った使用回数とを非接触ＣＤ−ＲＯＭ５６１のメモリ部２１０に上書きする。また、正当に販売されたことを示す販売情報をメモリ部２１０に上書きする。
４．３  万引防止装置
万引防止装置は、前記販売店の入り口に設置され、携帯型リーダライタ２０の構成要素であるアンテナ部、変復調部、命令生成部、命令解読部、制御部、双方向認証部、テーブル記憶部及びタグタイプ記憶部などを含む。
【０１６４】
万引防止装置は、非接触ＣＤ−ＲＯＭ５６１のメモリ部２１０から販売情報を読み出し、読み出した販売情報が正当に販売されていないことを示す場合に、万引防止装置は、警報を発する。
このようにして、正当に販売されていない非接触ＣＤ−ＲＯＭが販売店の入り口から持ち出された場合に、入れ口に設置された万引防止装置は、警報を発するので、万引の防止ができる。
４．４  その他の変形例
上記において、コンピュータゲーム機と非接触ＣＤ−ＲＯＭの例を示しているが、前記非接触ＣＤ−ＲＯＭは、ＣＤ、ＤＶＤ、ＤＶＤ−ＲＯＭ、ＤＶＤ−ＲＡＭなどの光ディスク媒体であるとしてもよい。これらの光ディスク媒体は、非接触ＣＤ−ＲＯＭと同様に、アンテナ部５６２とチップ部５６３とを備えている。
【０１６５】
これらの光ディスク媒体には、映画、静止画、動画、音声などの情報が記録されていおり、これらの光ディスク媒体を再生する光ディスク媒体再生装置（一例は、ＤＶＤプレーヤ）は、前記コンピュータゲーム機と同様に、光ディスク媒体のチップ部５６３に記録されている権利情報などを用いて、これらの映画、静止画、動画、音声などの情報を再生するとしてもよい。
【０１６６】
また、光ディスク媒体再生装置を利用者が操作するためのリモコンが、携帯型リーダライタ２０と同様の構成を有しており、光ディスク媒体再生装置及びホストコンピュータ装置がインターネットに接続されており、リモコンは、無線ＩＣタグ又は非接触ＣＤ−ＲＯＭにアクセスし、アクセス結果を赤外線又は無線通信（例えば、２．４ＧＨｚ帯のスペクトル拡散を使用する通信）を用いて前記光ディスク媒体再生装置へ出力し、さらにインターネットを介して前記ホストコンピュータ装置へ送信するとしていもよい。
４．５  まとめ
以上説明したように、光を用いて情報の読み書きが可能な光ディスク媒体は、半導体メモリを備え、電波を用いてアクセス要求を受信し、受信したアクセス要求に応じて前記半導体メモリにアクセスし、アクセス結果を電波を用いて送信する。
【０１６７】
また、前記光ディスク媒体から情報を読み出して再生する光ディスク媒体再生装置は、電波を用いてアクセス要求を送信し、アクセス要求に応じたアクセス結果を電波を用いて受信し、アクセス結果に含まれる権利情報に基づいて、前記光ディスク媒体から光を用いて読み書きが可能な情報の再生が許可されるか否かを判断し、判断結果に基づいて、前記情報を読み出して再生する。
５  第５の実施の形態
本発明の別の１の実施の形態としての電波を用いて非接触に読み書き可能な情報記憶媒体について説明する。
５．１  無線ＩＣタグの構成
電波を用いて非接触に読み書き可能な情報記憶媒体としての無線ＩＣタグは次に示すように形成してもよい。
【０１６８】
無線ＩＣタグ５９１は、図５１（ａ）に示すように、長さ３ｍｍ、幅０．５ｍｍ、厚さ０．５ｍｍの板状に成形された樹脂５９５内に、半導体部５９４が封入されて形成されている。半導体部５９４は、長さ２ｍｍ、幅４ｍｍ、厚さ０．２ｍｍの板形状を有し、ＩＣ部５９２とアンテナ部５９３とから構成される大規模集積回路（ＬＳＩ）である。
【０１６９】
無線ＩＣタグ５９１は、ＵＨＦ帯（すなわち、８６８ＭＨｚ、９１５ＭＨｚ）、２．４ＧＨｚ帯、５ＧＨｚ帯の通信周波数を用いる。ＵＨＦ帯以上の無線ＩＣタグでは、そのアンナテ寸法は、略半波長又は１／４波長でよく、比較的小さいので、このように同一半導体のチップ上にアンテナと機能素子とを形成できる。こうして、小型化、工数削減（低コスト化）、高信頼化（接続部の高信頼化）を実現できる。
【０１７０】
例えば、２．４ＧＨｚ帯の無線ＩＣタグの場合、長さ３ｃｍ、幅０．５ｍｍで、メモリ等の機能素子の上にアンテナを形成し、裏面にアンテナを形成したものを試作した。
ＩＣ部５９２は、図１３に示す無線ＩＣタグ１０ｂを構成する復調部２０２、変調部２０３、電源部２０４、命令解読部２０５、タグタイプ記憶部２０６、制御部２０７、識別コード記憶部２０８、入出力部２０９、メモリ部２１０及び認証部２１１ａを含む。アンテナ部５９３は、アンテナ部２０１と同じである。
【０１７１】
また、無線ＩＣタグは次に示すように形成してもよい。
無線ＩＣタグ５９８は、図５１（ｂ）に示すように、長さ３ｍｍ、幅２ｍｍ、厚さ０．５ｍｍの板状に成形された樹脂５９６内に、半導体部５９７が封入されて形成されている。半導体部５９７は、長さ０．４ｍｍ、幅０．３ｍｍ、厚さ０．２ｍｍの板形状を有し、機能素子とパッチアンテナとを同一半導体チップ上に形成し、図１３に示す無線ＩＣタグ１０ｂを構成するアンテナ部２０１、復調部２０２、変調部２０３、電源部２０４、命令解読部２０５、タグタイプ記憶部２０６、制御部２０７、識別コード記憶部２０８、入出力部２０９、メモリ部２１０及び認証部２１１ａを含む。
５．２  無線ＩＣカードの構成
電波を用いて非接触に読み書き可能な情報記憶媒体としての無線ＩＣカードは次に示すように形成してもよい。
【０１７２】
無線ＩＣカード６０９ａは、１２５ＫＨｚ帯及び１３ＭＨｚ帯域の周波数の電波を受信し、図５２（ａ）にその外観を示し、図５３に回路ブロック図を示すように、長さ７０ｍｍ、幅４０ｍｍ、厚さ１ｍｍの板状に成形された樹脂６０５ａ内に、ＩＣチップ部６０１と共振用のコンデンサ６０２ａと電源用のコンデンサ６０３ａとコイル状のアンテナであるコイル６０４ａが封入されて形成されている。
【０１７３】
コンデンサ６０２ａ及び６０３ａは、それぞれＩＣチップ部６０１に接続されている。コンデンサ６０２ａ及び６０３ａのキャパシタンスＣ１及びＣ２は、それぞれ、７５ｐＦ及び５００ｐＦである。
コイル６０４ａは、樹脂６０５ａの内部であって樹脂６０５ａの外周に近接した周状部において、絶縁体が被覆された１本の導線が前記外周に沿ってコイル状に３〜４回巻かれ、前記コイルにより形成される面と樹脂６０５ａの板状面とが略一致するように形成されており、前記導線の両端は、ＩＣチップ部６０１に接続されている。コイル６０４ａのインダクタンスＬは、１．７μＨである。
【０１７４】
ＩＣチップ部６０１は、整流部と変調部２０３と復調部２０２とクロック生成部と命令解読部２０５とタグタイプ記憶部２０６と制御部２０７と識別コード記憶部２０８と入出力部２０９とメモリ部２１０とを含んでいる。
詳細の仕様については、以下のとおりである。１ＫビットのＦｅＲＡＭのメモリ、変調方式（タグからリーダライタへは、ＢＰＳＫ、リーダライタからタグへは、ＡＳＫ）、独自方式のプロトコル、ＮＲＺのビットコーディング、ＣＲＣのエラーチェック、半二重の通信方式。
【０１７５】
コイル６０４ａとコンデンサ６０２ａとは、並列して接続されてアンテナを形成し、その両端は、それぞれ、整流部、変調部２０３、復調部２０２及びクロック生成部に接続されており、コイル６０４ａとコンデンサ６０２ａとから形成されるアンテナは、電波を受信し、受信した電波を電力信号に変換して、整流部、変調部２０３、復調部２０２及びクロック生成部へ供給する。
【０１７６】
コンデンサ６０３ａは、整流部を介して電力信号を受け取り、受け取った電力信号を電荷として蓄積する。また、無線ＩＣカード６０９ａの各構成部に電力を供給する。
変調部２０３、復調部２０２、命令解読部２０５、タグタイプ記憶部２０６、制御部２０７、識別コード記憶部２０８、入出力部２０９及びメモリ部２１０は、図１１に示す無線ＩＣタグ１０ａを構成する構成要素と同じである。また、クロック生成部は、基準となるクロックを生成し、各構成要素に供給する。
【０１７７】
また、無線ＩＣカードは次に示すように形成してもよい。
無線ＩＣカード６０９ｂは、１２５ＫＨｚ帯域の周波数の電波を受信し、図５２（ｂ）にその外観を示すように、樹脂６０５ｂ内に、ＩＣチップ部６０１と共振用のコンデンサ６０２ｂと電源用のコンデンサ６０３ｂとコイル状のアンテナであるコイル６０４ｂが封入されて形成されている。
【０１７８】
コンデンサ６０２ｂ及び６０３ｂのキャパシタンスＣ１及びＣ２は、それぞれ、１０００ｐＦ及び４００００ｐＦである。また、コイル６０４ｂのインダクタンスＬは、１．６ｍＨであり、巻き数は、５０巻である。その他の点については、無線ＩＣカード６０９ａと同様であるので説明を省略する。
このように、無線ＩＣカード６０９ａと無線ＩＣカード６０９ｂにおいて、ＩＣチップ部６０１は同じであり、共振用のコンデンサ及び電源用のコンデンサのキャパシタンス、コイルのインダクタンス及び巻き数が異なる。
【０１７９】
このように、機能素子を含むチップ部を共通にし、外付けのアンテナ、コンデンサにより周波数を調整することにより、複数種類の周波数帯域で通信できる無線ＩＣカードを製造することができる。
６  第６の実施の形態
本発明の別の１の実施の形態としてのアクセスシステムについて説明する。
【０１８０】
このアクセスシステムは、床下に配線されたコンピュータのＬＡＮケーブルや電話線に添付された無線ＩＣタグ１０ｄと、携帯型リーダライタ２０とから構成され、床下に配線されたコンピュータのＬＡＮケーブルや電話線の種類などを床上から知るために用いられる。
ここで、携帯型リーダライタ２０は、図２に示す携帯型リーダライタ２０と同様であるので、説明を省略する。
６．１  無線ＩＣタグ１０ｄの構成
無線ＩＣタグ１０ｄは、図５４に示すように、アンテナ部２０１ａ、２０１ｂ、復調部２０２ａ、２０２ｂ、変調部２０３ａ、２０３ｂ、電源部２０４、命令解読部２０５、タグタイプ記憶部２０６、制御部２０７、識別コード記憶部２０８、入出力部２０９及びメモリ部２１０から構成されている。
【０１８１】
これらの構成要素は、図１１に示す無線ＩＣタグ１０ａの構成要素とほぼ同様であるので、以下において、異なる点についてのみ説明を行う。
アンテナ部２０１ａ、復調部２０２ａ及び変調部２０３ａは、１２５ＫＨｚ帯域の周波数の電波を受信し、また反射する。ここで、復調部２０２ａは、復調部２０２ａであることを識別情報を復調した情報に付加して、命令解読部２０５へ出力し、命令解読部２０５は、識別情報をそのまま制御部２０７へ出力する。
【０１８２】
アンテナ部２０１ｂ、復調部２０２ｂ及び変調部２０３ｂは、２．４ＧＨｚ帯域の周波数の電波を受信し、また反射する。ここで、復調部２０２ｂは、復調部２０２ｂであることを識別情報を復調した情報に付加して、命令解読部２０５へ出力し、命令解読部２０５は、識別情報をそのまま制御部２０７へ出力する。
タグタイプ記憶部２０６は、タグタイプとして、１２５ＫＨｚ帯域及びフリーアクセスプロトコルの組と、２．４ＧＨｚ帯域及びフリーアクセスプロトコルの組とを記憶している。
【０１８３】
メモリ部２１０は、図５５に示すように、上記のケーブルや電話線などの「線の種類情報」と、線が接続する物と物との関係を示す「系統」と、線を識別する「ＩＤ」と、線が配置されている位置を識別する「線の位置」とを記憶している。
制御部２０７は、アンテナ部２０１ａ、復調部２０２ａ及び命令解読部２０５を介して携帯型リーダライタ２０から送信された命令と、復調部２０２ａを識別する識別情報とを受け取る。また、アンテナ部２０１ｂ、復調部２０２ｂ及び命令解読部２０５を介して携帯型リーダライタ２０から送信された命令と、復調部２０２ｂを識別する識別情報とを受け取る。
【０１８４】
復調部２０２ａを識別する識別情報とを受け取った場合には、制御部２０７は、以降は、アンテナ部２０１ａ、復調部２０２ａ及び変調部２０３ａを介して、携帯型リーダライタ２０と通信を行う。復調部２０２ｂを識別する識別情報とを受け取った場合には、以降は、アンテナ部２０１ｂ、復調部２０２ｂ及び変調部２０３ｂを介して、携帯型リーダライタ２０と通信を行う。また、復調部２０２ａを識別する識別情報と復調部２０２ｂを識別する識別情報の両方を受け取った場合には、以降は、アンテナ部２０１ａ、復調部２０２ａ及び変調部２０３ａを介して、携帯型リーダライタ２０と通信を行う。
６．２  アクセスシステムの動作
アクセスシステムの動作について、図５６に示すフローチャートを用いて説明する。
【０１８５】
携帯型リーダライタ２０は、アクセス要求命令を生成し（ステップＳ５０１）、３種類の周波数の電波により生成したアクセス要求命令を送信し（ステップＳ５０２）、無線ＩＣタグ１０ｄは、２種類又は１種類の周波数の電波によりアクセス要求命令を受信しする（ステップＳ５０３）。無線ＩＣタグ１０ｄは、次に、識別情報を抽出し、受信したアクセス要求命令を解読し（ステップＳ５０４）、抽出した識別情報に該当するタグタイプを読み出し（ステップＳ５０５）、読み出したタグタイプを含むタグタイプ送信命令を生成し（ステップＳ５０６）、生成したタグタイプ送信命令を電波を反射することにより送信する（ステップＳ５０７〜Ｓ５０８）。携帯型リーダライタ２０は、タグタイプ送信命令を受信して、用いる周波数帯域とプロトコルタイプとを決定し（ステップＳ５０９）、無線ＩＣタグ１０ｄから線の種類に関する情報を読み出す旨のアクセス命令を生成し（ステップＳ５１０）、電波により生成したアクセス命令を送信し、無線ＩＣタグ１０ｄは、前記アクセス命令を受信する（ステップＳ５１１）。無線ＩＣタグ１０ｄは、メモリ部２１０にアクセスして線の種類に関する情報を読み出し（ステップＳ５１２）、読み出した線の種類に関する情報を含むアクセス応答命令を生成し（ステップＳ５１３）、生成したアクセス応答命令を電波により送信し（ステップＳ５１４）、携帯型リーダライタ２０は、アクセス応答命令を受け取る（ステップＳ５１５）。
６．３  まとめ
オフィスに複数台設置されているコンピュータやプリンタなどを接続する複数の配線毎に、前記配線が接続する機器と機器とを示す情報などが記録されている無線ＩＣタグを添付し、これらの複数の配線をオフィスの床下に埋め込む。
【０１８６】
リーダライタを床上から操作して、これらの無線ＩＣタグに記録されている情報を読み出すことにより、機器と機器とを接続する配線に関する情報を知ることができる。
１２５ＫＨｚ帯域の周波数の電波は、無線ＩＣタグ１０ｄに金属が近接していると、前記金属に吸収され、無線ＩＣタグ１０ｄは、前記電波を受信できない。また、２．４ＫＨｚ帯域の周波数の電波は、無線ＩＣタグ１０ｄと携帯型リーダライタ２０との間に水分が存在すると、前記金属に吸収され、無線ＩＣタグ１０ｄは、前記電波を受信できない。
【０１８７】
無線ＩＣタグ１０ｄは、１２５ＫＨｚ帯域及び２．４ＧＨｚ帯域の周波数の電波を受信することができるので、上記のような状態であっても、無線ＩＣタグ１０ｄと携帯型リーダライタ２０との間で通信できる可能性が高くなる。
アクセス装置の一例は、情報記憶媒体が添付された物品の位置を管理する物品位置管理装置である。情報記憶媒体は、当該物品を識別する物品識別子と当該物品が空間上に配置されている位置を識別する位置識別子とを記憶している。アクセス装置は、情報記憶手段に記憶されている物品識別子と位置識別子とを読み出す指示を示すアクセス要求を生成し、前記読み出す指示を示すアクセス要求を送信する。情報記憶媒体は、前記読み出す指示を示すアクセス要求を受信し、内部からアクセス結果情報として物品識別子と位置識別子とを読み出し、物品識別子と位置識別子とを送信する。アクセス装置は、物品識別子と位置識別子とを受信する。
【０１８８】
このように、無線ＩＣタグを物品に添付することにより、物品の位置管理を行うことができる。
なお、無線ＩＣタグが狭い範囲内に複数コンピュータある場合に、無線ＩＣタグから記憶されている情報を正確に読み出すために、リーダライタは、衝突防止機能を有している。
７  第７の実施の形態
本発明の別の１の実施の形態としての無線ＩＣタグ１０について説明する。
【０１８９】
無線ＩＣタグ１０は、第１の実施の形態において説明した無線ＩＣタグと同じてあり、電波を用いて非接触に読み書き可能な情報記憶媒体であって、取り外し自在に物品に添付される。
図５７に示すように、物品６５１はその外表面上に、無線ＩＣタグ１０が嵌合するように凹状に設けられた凹部６５２を有し、凹部６５２の底面に４個のネジ穴６５３が穿設されている。
【０１９０】
無線ＩＣタグ１０は、４個のネジ穴６５３に対応して、穿設された４個の穴６５４を有する。無線ＩＣタグ１０は、凹部６５２と嵌合し、４個のネジ６５５により固定されている。
ロゴが表面に印刷された板状の部材６５６が、凹部６５２と嵌合する無線ＩＣタグ１０を覆うように、物品６５１の外表面に接着剤により固定されている。
【０１９１】
このように、無線ＩＣタグ１０はネジにより物品に固定されているので、容易に取り外すことができる。
こうして、無線ＩＣタグの添付されている物品のリサイクル時に、物品に添付されて無線ＩＣタグを物品から分離・取り出しが容易にできる。
８  第８の実施の形態
本発明の別の１の実施の形態としての電磁調理システムについて説明する。
【０１９２】
この電磁調理システムは、調理方法の記録されている無線ＩＣタグ６７２が添付された食材容器６７１と、電磁調理装置とから構成され、電磁調理装置は、無線ＩＣタグ６７２から調理方法を読み出し、調理方法に基づいて、食材を調理する。
図５８（ａ）に示すように、食材容器６７１は、外表面に無線ＩＣタグ６７２が添付されており、内部に食材が入れられている。
【０１９３】
無線ＩＣタグ６７２は、図１２に示すように、生産ステージ領域において、食材を識別する「品名」と「品番」とを記憶している。
電磁調理装置は、一例として、電子レンジであり、携帯型リーダライタ２０と同様の構成を内蔵している。また、様々な食材について、食材の品番と、当該食材に応じた調理方法との組を記憶している。ここで、調理方法の一例は、電磁調理装置が照射する電磁波の照射時間である。無線ＩＣタグ１０の添付された食材容器が電磁調理装置の内部に利用者により入れられると、電磁調理装置は、無線ＩＣタグ１０の生産ステージ領域に記録されている「品番」を読み出し、次に、読み出した品番に対応する照射時間を読み出し、読み出した照射時間中、電磁波を間に食材容器に対して照射する。
【０１９４】
なお、無線ＩＣタグ１０は、調理方法として「照射時間」を記憶しており、電磁調理装置は、無線ＩＣタグ１０から「照射時間」を読み出し、読み出した「照射時間」中、電磁波を食材容器に対して照射するとしてもよい。
また、調理方法の一例は、電磁調理装置が照射する電磁波の照射時間と電磁波の強度であるとしてもよい。
【０１９５】
このように、無線ＩＣタグを加工食品を含む食品の包装容器に埋め込み、この無線ＩＣタグと通信できるリーダライタを電化調理器に設ける。無線ＩＣタグは、最適な調理条件や調理の好みに応じた複数種類の調理条件を記憶しており、電化調理器は、最適な調理条件を用いて、又は利用者から調理の好みの入力を受け付けて好みに対応する調理条件を読み出し、読み出した調理条件を用いて、これらの食品を調理する。
９  第９の実施の形態
本発明の別の１の実施の形態としての洗濯システムについて説明する。
【０１９６】
この洗濯システムは、洗濯方法が記録されている無線ＩＣタグ６８３が添付された衣服６８１と、家庭用電気洗濯機とから構成され、家庭用電気洗濯機は、無線ＩＣタグ６８３から洗濯方法を読み出し、読み出した洗濯方法に基づいて衣服６８１を洗濯する。
図５８（ｂ）に示すように、ラベル６８４の裏面に無線ＩＣタグ６８３が貼り付けられ、無線ＩＣタグ６８３が貼り付けられたラベル６８４が衣服６８１の襟裏側部６８２に縫い付けられる。
【０１９７】
衣服６８１に付されている無線ＩＣタグ６８３は、図１２に示すように、サービスステージ領域において、「洗濯方法」と「洗濯回数」とを記憶している。
家庭用電気洗濯機は、携帯型リーダライタ２０と同様の構成を内蔵している。また、様々な洗濯方法に応じた洗濯コースを記憶している。衣服６８１が家庭用電気洗濯機の洗濯槽内に入れられると、家庭用電気洗濯機は、無線ＩＣタグ６８３のサービスステージ領域に記録されている「洗濯方法」と「洗濯回数」とを読み出し、家庭用電気洗濯機は、読み出した洗濯方法に応じた洗濯コースを読み出し、さらに読み出した「洗濯回数」により、読み出した洗濯コースを変更し、変更された洗濯コースに基づいて、衣服６８１の洗濯を開始する。ここで、「洗濯回数」による洗濯コースの変更の具体例は、「洗濯回数」が多い場合には、衣服６８１の生地がかなり傷んでいると考えられるので、洗濯槽の回転をゆっくりとすることであり、「洗濯回数」が少ない場合には、衣服６８１の生地の痛みが少ないと考えられるので、洗濯槽の回転を激しくすることである。洗濯が終了すると、家庭用電気洗濯機は、読み出した「洗濯回数」に１の値を加算し、１が加算された「洗濯回数」を無線ＩＣタグ６８３のサービスステージ領域に上書きする。
【０１９８】
このようして、洗濯物のライフサイクル管理や長寿命化を図ることができる。
１０  その他の変形例
なお、本発明を上記実施の形態に基づいて説明してきたが、本発明は上記実施の形態に限定されないのはもちろんである。すなわち、以下のような場合も本発明に含まれる。
（１）無線ＩＣタグに、さらに、温度センサ、圧力センサなどのセンサを付加し、これらのセンサにより、定期的に、無線ＩＣタグの周辺の温度、圧力などを検出し、検出した温度、圧力などを無線ＩＣタグ内に記録するようにしてもよい。こうして、製品の製造時から使用時までの温度及び圧力の履歴を管理する。また、この無線ＩＣタグは、これらのセンサを駆動させるため電池を備えているとしてもよい。リーダライタからの呼びかけに応じて、その履歴データを通信する。
【０１９９】
具体的には、生産物をある一定温度範囲、圧力範囲に保つ必要がある応用装置であり、機能素子から構成されるチップ部は、メモリ機能や無線通信機能の他に、Ａ／Ｄコンバータを内蔵し、センサ素子の信号をデジタル化してチップのメモリに時々刻々取り込む。
なお、無線ＩＣタグは、温度センサ又は圧力センサのどちらか一方を有するとしてもよい。
【０２００】
また、電池を備えず、電源としてリーダライタから送信される電波を電力として蓄積するパッシブタイプの無線ＩＣタグであるとしてもよい。この場合には、リーダライタから電波が送信されている間に、センシングし、そのデータを蓄積又は送信する。このように構成すると電池交換が不要となる。
（２）冷蔵庫の外装ケースに凹部を形成し、そこに無線ＩＣタグを埋め込む。無線ＩＣタグが埋め込まれた位置を知らせるために、目印のシール、又は環境適用マークであるグリーンシールを、その位置又はその近傍位置に貼るようにしてもよい。この場合、埋め込み位置がすぐに確認できるので、リーダライタによる読み書きの狙い位置とできる。
【０２０１】
また、製品の外装ケースに無線ＩＣタグを埋め込み、無線ＩＣタグの埋め込まれた位置又は近傍位置に、マークを添付するようにしてもよい。マークは、バーコード、２次元コード又は文字のいずれかである。リーダライタは、携帯型リーダライタ２０と同様の構成を有する。さらに、前記マークが添付されている位置を含む広い範囲を走査する光学式の読取部を備え、前記マークが添付されている位置を検出する。また、リーダライタは、指向性を有するアンテナを備え、前記検出された位置に指向性を向けて電波を送信する。
（３）本発明は、本実施の形態に示す方法であるとしてもよい。
【０２０２】
また、これらの方法をコンピュータにより実現するコンピュータプログラムであるとしてもよいし、前記コンピュータプログラムからなるデジタル信号であるとしてもよい。
また、本発明は、前記コンピュータプログラム又は前記デジタル信号をコンピュータ読み取り可能な記録媒体、例えば、フロッピーディスク、ハードディスク、ＣＤ―ＲＯＭ、ＭＯ、ＤＶＤ、ＤＶＤ−ＲＯＭ、ＤＶＤ−ＲＡＭ、半導体メモリなど、に記録したものとしてもよい。また、これらの記録媒体に記録されている前記コンピュータプログラム又は前記デジタル信号であるとしてもよい。
【０２０３】
また、本発明は、前記コンピュータプログラム又は前記デジタル信号を、電気通信回線、無線又は有線通信回線、インターネットを代表とするネットワーク等を経由して伝送するものとしてもよい。
（４）本発明は、上記に示す実施の形態、複数の変形例、又は上記実施の形態及び複数の変形例の一部を組み合わせるとしてもよい。
【０２０４】
【発明の効果】
上記に説明したように、本発明は、電波を用いて非接触に読み書き可能な情報記憶媒体と前記情報記憶媒体との間で電波を用いて情報を送受信するアクセス装置とから構成されるアクセスシステムであって、前記アクセス装置は、それぞれ異なる周波数の電波により情報を送信する複数の装置送信手段と、前記複数の周波数とそれぞれ同一の周波数の電波により送信される情報を受信する複数の装置受信手段と、前記複数の装置送信手段に対して、一の時間帯において前記情報記憶媒体に対するアクセスの開始を示すアクセス要求情報を送信するように制御する装置制御手段とを備え、前記情報記憶媒体は、前記アクセス装置の送信する周波数のうちの１と同一の周波数の電波により前記アクセス要求情報を受信する媒体受信手段と、前記受信する周波数と同一の周波数の電波により情報を送信する媒体送信手段と、前記アクセス要求情報を受信すると、前記アクセス要求情報に対する応答を示すアクセス応答情報を送信するように、前記媒体送信手段に対して制御する媒体制御手段とを備える。
【０２０５】
この構成によると、情報記憶媒体の受信できる周波数帯域が異なる場合であっても、アクセス装置は、前記情報記憶媒体との間で通信を行えるという効果がある。
ここで、前記情報記憶媒体は、さらに、前記媒体受信手段が受信する周波数を識別する周波数識別子を記憶しているタイプ記憶手段を有し、前記媒体制御手段は、前記タイプ記憶手段から周波数識別子を読み出し、読み出した周波数識別子を含むアクセス応答情報を送信するように制御し、前記複数の装置受信手段のうちの１の装置受信手段は、前記アクセス応答情報を受信し、前記装置制御手段は、さらに、受信したアクセス応答情報に含まれる周波数識別子により識別される周波数を用いる前記装置送信手段及び前記装置受信手段に対して、それぞれ送信及び受信を行うように制御する。
【０２０６】
この構成によると、情報記憶媒体から周波数識別子が送信されるので、以降は、この周波数識別子による識別される周波数帯域を用いて、アクセス装置と、情報記憶媒体との間で通信を行えるという効果がある。
ここで、前記アクセス装置は、さらに、前記アクセス装置により用いられる複数の通信手順をそれぞれ示す通信手順識別子を記憶している通信手順記憶手段を有し、前記タイプ記憶手段は、さらに、前記情報記憶媒体が用いる１の通信手順を識別する通信手順識別子を含み、前記媒体制御手段は、さらに、前記タイプ記憶手段から通信手順識別子を読み出し、読み出した通信手順識別子を含むアクセス応答情報を送信するように制御し、前記通信手順識別子により識別される通信手順により前記アクセス装置との間の通信を制御し、前記複数の装置受信手段のうちの１の装置受信手段は、前記アクセス応答情報を受信し、前記装置制御手段は、さらに、受信したアクセス応答情報に含まれる通信手順識別子により識別される通信手順を前記通信手順記憶手段から読み出し、読み出した通信手順を用いて前記情報記憶媒体との間の通信を制御する。
【０２０７】
この構成によると、情報記憶媒体から通信手順識別子が送信されるので、以降は、この通信手順識別子による識別される通信手順を用いて、アクセス装置と情報記憶媒体との間で通信を行えるという効果がある。
ここで、前記通信手順識別子により識別される通信手順は、アクセス装置と情報記憶媒体との間で認証手続きを伴わずにアクセスを許可するフリーアクセス手順であり、前記情報記憶媒体は、情報を記憶する領域を有する記憶手段を含み、前記装置制御手段は、前記周波数識別子により識別される周波数を用いる前記装置送信手段に対して、情報記憶媒体へのアクセスを指示するアクセス命令を送信するように制御し、前記媒体受信手段は、さらに、前記アクセス命令を受信し、前記媒体制御手段は、さらに、受信した前記アクセス命令に従って、前記記憶手段にアクセスし、前記アクセスにより得られる情報を示すアクセス結果情報を送信するように前記媒体送信手段に対して制御し、前記周波数識別子により識別される周波数を用いる前記装置受信手段は、さらに、前記アクセス結果情報を受信する。
【０２０８】
この構成によると、前記通信手順は、フリーアクセス手順であるので、アクセス装置と情報記憶媒体との間で自由に通信を行えるという効果がある。
ここで、前記通信手順識別子により識別される通信手順は、前記アクセス装置と前記情報記憶媒体との間の双方向認証が成功した場合にアクセスを許可する双方向認証手順であり、前記情報記憶媒体は、情報を記憶する領域を有する記憶手段を含み、前記アクセス装置と前記情報記憶媒体とは、相互に認証を行い、前記装置制御手段は、相互の認証が成功した場合に、前記周波数識別子により識別される周波数を用いる前記装置送信手段に対して、情報記憶媒体へのアクセスを指示するアクセス命令を送信するように制御し、前記媒体受信手段は、さらに、相互の認証が成功した場合に、前記アクセス命令を受信し、前記媒体制御手段は、さらに、受信した前記アクセス命令に従って、前記記憶手段にアクセスし、前記アクセスにより得られる情報を示すアクセス結果情報を送信するように前記媒体送信手段に対して制御し、前記周波数識別子により識別される周波数を用いる前記装置受信手段は、さらに、前記アクセス結果情報を受信する。
【０２０９】
この構成によると、前記通信手順は、双方向認証手順であり、アクセス装置と情報記憶媒体との間で、互いに認証が成功した場合にのみ、通信を行うので、情報が不正に利用されることを防ぐことができる。
ここで、前記通信手順識別子により識別される通信手順は、前記情報記憶媒体が前記アクセス装置を認証する片方向認証が成功した場合にアクセスを許可する片方向認証手順であり、前記情報記憶媒体は、情報を記憶する領域を有する記憶手段を含み、前記情報記憶媒体は前記アクセス装置の認証を行い、前記装置制御手段は、認証が成功した場合に、前記周波数識別子により識別される周波数を用いる前記装置送信手段に対して、情報記憶媒体からの情報の読み出しを指示する読出命令を含むアクセス命令を送信するように制御し、前記媒体受信手段は、さらに、認証が成功した場合に、前記アクセス命令を受信し、前記媒体制御手段は、さらに、受信した前記アクセス命令に含まれる読出命令に従って、前記記憶手段にアクセスし、前記アクセスにより得られる情報を示すアクセス結果情報を送信するように前記媒体送信手段に対して制御し、前記周波数識別子により識別される周波数を用いる前記装置受信手段は、さらに、前記アクセス結果情報を受信する。
【０２１０】
この構成によると、前記通信手順は、片方向認証手順であり、情報記憶媒体がアクセス装置を認証し、正当なアクセス装置のみが情報記憶媒体にアクセスするので、正当なアクセス装置へのみ情報を出力できる。
ここで、前記通信手順識別子により識別される通信手順は、アクセス装置が情報記憶媒体を認証する片方向認証が成功した場合にアクセスを許可する片方向認証手順であり、前記情報記憶媒体は、情報を記憶する領域を有する記憶手段を含み、前記アクセス装置は前記情報記憶媒体の認証を行い、前記装置制御手段は、認証が成功した場合に、前記周波数識別子により識別される周波数を用いる前記装置送信手段に対して、情報記憶媒体への情報の書き込みを指示する書込命令を含むアクセス命令を送信するように制御し、前記媒体受信手段は、さらに、認証が成功した場合に、前記アクセス命令を受信し、前記媒体制御手段は、さらに、受信した前記アクセス命令に含まれる書込命令に従って、前記記憶手段にアクセスし、前記アクセスにより得られる情報を示すアクセス結果情報を送信するように前記媒体送信手段に対して制御し、前記周波数識別子により識別される周波数を用いる前記装置受信手段は、さらに、前記アクセス結果情報を受信する。
【０２１１】
この構成によると、前記通信手順は、片方向認証手順であり、アクセス装置が情報記憶媒体を認証し、アクセス装置が正当な情報記憶媒体にのみアクセスするので、正当な情報記憶媒体へのみ情報を出力できる。
また、本発明は、電波を用いて非接触に読み書き可能な情報記憶媒体と前記情報記憶媒体との間で電波を用いて情報を送受信するアクセス装置とから構成されるアクセスシステムであって、前記アクセス装置は、それぞれ異なる周波数の電波により情報を送信する複数の装置送信手段と、前記複数の周波数とそれぞれ同一の周波数の電波により送信される情報を受信する複数の装置受信手段と、前記複数の装置送信手段に対して、それぞれ異なる時間帯において時系列的順序により前記情報記憶媒体に対するアクセスの開始を示すアクセス要求情報を送信するように制御する装置制御手段とを備え、前記情報記憶媒体は、前記アクセス装置の送信するの周波数のうちの１と同一の周波数の電波により前記アクセス要求情報を受信する媒体受信手段と、前記受信する周波数と同一の周波数の電波により情報を送信する媒体送信手段と、前記アクセス要求情報を受信すると、前記アクセス要求情報に対する応答を示すアクセス応答情報を送信するように、前記媒体送信手段に対して制御する媒体制御手段とを備える。
【０２１２】
この構成によると、情報記憶媒体の受信できる周波数帯域が異なる場合であっても、アクセス装置は、異なる周波数により順に通信を行うので、必ず情報記憶媒体との間で通信が行えるという効果がある。
ここで、前記アクセス装置は、さらに、前記装置受信手段が過去に受信した電波の周波数を複数個記憶している周波数記憶手段を備え、前記装置制御手段は、周波数毎に前記周波数記憶手段に記憶されている周波数の数を計数し、計数された数に基づいて前記時系列的順序を決定し、決定された前記時系列的順序により前記複数の装置送信手段に対して送信するように制御する。
【０２１３】
この構成によると、過去に用いた周波数帯域の頻度に応じて、用いる周波数の順序を決定するので、アクセス装置は、統計的に素早く情報記憶媒体との間で通信が行えるという効果がある。
また、本発明は、形象が印刷された印刷媒体と、電波を用いて非接触に読み書き可能な情報記憶媒体と、前記情報記憶媒体との間で電波を用いて情報を送受信するアクセス装置とから構成されるアクセスシステムであって、前記印刷媒体の面上に第１情報を表示する形象が印刷され、前記アクセス装置は、光読出手段と、装置送信手段と、装置受信手段と、照合手段とから構成され、前記情報記憶媒体は、前記情報記憶媒体に関連する第１媒体情報を記憶している情報記憶手段と、媒体受信手段と、媒体送信手段とから構成され、前記光読出手段は、光を用いて前記印刷媒体面上に印刷されている形象を読み出し、読み出した形象に基づいて第２情報を生成し、前記装置送信手段は、アクセス要求を電波を用いて送信し、前記媒体受信手段は、アクセス要求を電波を用いて受信し、前記媒体送信手段は、前記情報記憶手段から第１媒体情報を読み出し、読み出した第１媒体情報を電波を用いて送信し、前記装置受信手段は、電波を用いて送信された第１媒体情報を受信し、前記照合手段は、受信した前記第１媒体情報と生成された前記第２情報とが一致しているか否かを判断し、前記アクセス装置と前記情報記憶媒体とは、一致すると判断される場合に、第１情報と第１媒体情報とが同一であるとみなして、前記アクセス装置と前記情報記憶媒体との間で情報を送受信する。
【０２１４】
この構成によると、印刷媒体面上から読み出した情報と、情報記憶媒体から読み出した情報とを照合するので、アクセス装置は、情報記憶媒体との間で確実に通信を行えるという効果がある。
ここで、前記印刷媒体の面上に第１情報に暗号アルゴリズムを施して生成された暗号化情報を表示する形象が印刷され、前記光読出手段は、光を用いて前記印刷媒体面上に印刷されている形象を読み出し、読み出した形象に基づいて形象情報を生成し、生成した形象情報を復号アルゴリズムを施して第２情報を生成し、前記復号アルゴリズムは、平文に前記暗号アルゴリズムを施して生成された暗号文を復号するアルゴリズムである。
【０２１５】
また、前記印刷媒体の面上に第１情報と他の情報とを所定の基準により併合して生成された併合情報を表示する形象が印刷され、前記光読出手段は、光を用いて前記印刷媒体面上に印刷されている形象を読み出し、読み出した形象に基づいて形象情報を生成し、生成した形象情報から前記所定の基準により部分の情報を抽出して第２情報を生成する。
【０２１６】
また、前記印刷媒体の面上に第１情報と他の情報とを所定の基準により併合して生成された併合情報にさらに暗号アルゴリズムを施して暗号化情報を生成し、生成した暗号化情報を表示する形象が印刷され、前記光読出手段は、光を用いて前記印刷媒体面上に印刷されている形象を読み出し、読み出した形象に基づいて形象情報を生成し、生成した形象情報に復号アルゴリズムを施し、復号結果から前記所定の基準により部分の情報を抽出することにより第２情報を生成し、前記復号アルゴリズムは、平文に前記暗号アルゴリズムを施して生成された暗号文を復号するアルゴリズムである。
【０２１７】
この構成によると、印刷媒体面上に表示された形象が示す情報が不用意に他者に知られることがないという効果がある。
ここで、前記印刷媒体の面上に第１情報をバーコードを用いて表示する形象が印刷され、前記光読出手段は、光を用いて前記印刷媒体面上に印刷されている形象を読み出し、読み出したバーコードからなる形象に対応する第２情報を生成する。
【０２１８】
この構成によると、印刷媒体面上の形象は、バーコードにより表示されているので、確実に形象を読み出すことができる。
ここで、前記印刷媒体の面上に第１情報を２次元コードを用いて表示する形象が印刷され、前記光読出手段は、光を用いて前記印刷媒体面上に印刷されている形象を読み出し、読み出した２次元コードからなる形象に対応する第２情報を生成する。
【０２１９】
この構成によると、印刷媒体面上の形象は、２次元コードにより表示されているので、より多くの情報を盛り込むことができる。
ここで、前記印刷媒体の面上に第１情報を文字を用いて表示する形象が印刷され、前記光読出手段は、光を用いて前記印刷媒体面上に印刷されている形象を読み出し、読み出した文字からなる形象に対応する第２情報を生成する。
【０２２０】
この構成によると、印刷媒体面上の形象は、文字により表示されているので、人が直接読むことができる。
ここで、前記印刷媒体の面上に情報記憶媒体を個別に識別する媒体識別情報である第１情報を表示する形象が印刷され、前記情報記憶手段は、前記情報記憶媒体を個別に識別する媒体識別情報である第１媒体情報を記憶している。
【０２２１】
この構成によると、情報記憶媒体を識別する媒体識別子により照合するので、照合が確実に行える。
ここで、前記印刷媒体の面上に情報記憶媒体の種類を示すタイプ情報である第１情報を表示する形象が印刷され、前記情報記憶手段は、前記情報記憶媒体の種類を示すタイプ情報である第１媒体情報を記憶している。
【０２２２】
この構成によると、情報記憶媒体の種類を示すタイプ情報により照合するので、照合が確実に行える。
また、本発明は、電波を用いて非接触に読み書き可能な情報記憶媒体と、前記情報記憶媒体から電波を用いて情報を読み出して印刷媒体上に印刷する印刷装置とから構成される印刷システムであって、前記印刷装置は、装置送信手段と、装置受信手段と、形象生成手段と、印刷手段とから構成され、前記情報記憶媒体は、前記情報記憶媒体に関する媒体情報を記憶している情報記憶手段と、媒体受信手段と、媒体送信手段とから構成され、前記装置送信手段は、アクセス要求を電波を用いて送信し、前記媒体受信手段は、アクセス要求を電波を用いて受信し、前記媒体送信手段は、前記情報記憶手段から媒体情報を読み出し、読み出した前記媒体情報を電波を用いて送信し、前記装置受信手段は、電波を用いて送信された前記媒体情報を受信し、前記形象生成手段は、受信した前記媒体情報に基づいて形象を生成し、前記印刷手段は、生成された形象を印刷媒体上に印刷する。
【０２２３】
この構成によると、情報記憶媒体が記憶している情報を用いて印刷媒体面上に形象を印刷するので、情報記憶媒体の情報と印刷媒体面上の形象が示す情報とを確実に一致させることができる。
ここで、前記形象生成手段は、受信した前記媒体情報に暗号アルゴリズムを施して暗号化媒体情報を生成し、暗号化媒体情報から形象を生成する。
【０２２４】
また、前記形象生成手段は、乱数を生成し、受信した前記媒体情報と乱数とを所定の基準により併合して乱数化媒体情報を生成し、生成した乱数化媒体情報から形象を生成する。
また、前記形象生成手段は、乱数を生成し、受信した前記媒体情報と乱数とを所定の基準により併合して乱数化媒体情報を生成し、生成した乱数化媒体情報に暗号アルゴリズムを施して暗号化媒体情報を生成し、生成した暗号化媒体情報から形象を生成する。
【０２２５】
この構成によると、印刷媒体面上に表示された形象が示す情報が不用意に他者に知られることがないという効果がある。
ここで、前記印刷媒体は、前記情報記憶媒体の一面であり、前記印刷手段は、生成された形象を前記情報記憶媒体の前記面上に印刷する。
この構成によると、情報記憶媒体の上に形象を印刷するので、情報記憶媒体の内容と印刷媒体面上の形象の内容とを確実に一致させることができる。
【０２２６】
ここで、前記情報記憶媒体は、物品に付され、前記印刷媒体は、前記物品の一面であり、前記印刷手段は、生成された形象を前記物品の前記面上に印刷する。この構成によると、情報記憶媒体が添付される物品の上に形象を印刷するので、情報記憶媒体の情報と印刷媒体面上の形象が示す情報とを確実に一致させることができる。
【０２２７】
ここで、前記情報記憶媒体は、物品に付され、前記物品は、包装材により包装され、前記印刷媒体は、前記物品を包装する前記包装物の外表面であり、前記印刷手段は、生成された形象を前記包装物の前記外表面上に印刷する。
この構成によると、情報記憶媒体が添付される物品の包装材の上に形象を印刷するので、情報記憶媒体の情報と印刷媒体面上の形象が示す情報とを確実に一致させることができる。
【０２２８】
ここで、前記形象生成手段は、受信した前記媒体情報に基づいてバーコードからなる形象を生成し、前記印刷手段は、生成されたバーコードからなる形象を印刷媒体上に印刷する。
この構成によると、形象をバーコードにより表現するので、形象を確実に読める。
【０２２９】
ここで、前記形象生成手段は、受信した前記媒体情報に基づいて２次元コードからなる形象を生成し、前記印刷手段は、生成された２次元コードからなる形象を印刷媒体上に印刷する。
この構成によると、形象を２次元コードにより表現するので、多くの情報を形象に盛り込むことができる。
【０２３０】
ここで、前記形象生成手段は、受信した前記媒体情報に基づいて文字からなる形象を生成し、前記印刷手段は、生成された文字からなる形象を印刷媒体上に印刷する。
この構成によると、形象を文字により表現するので、人が直接読める。
ここで、前記情報記憶手段は、媒体情報として前記情報記憶媒体を個別に識別する媒体識別情報を記憶し、前記媒体送信手段は、前記情報記憶手段から前記媒体識別情報を読み出し、読み出した前記媒体識別情報を電波を用いて送信し、前記装置受信手段は、電波を用いて送信された前記媒体識別情報を受信し、前記形象生成手段は、受信した前記媒体識別情報に基づいて形象を生成する。
【０２３１】
この構成によると、情報記憶媒体を識別する媒体識別子を形象とするので、照合が確実に行える。
ここで、前記情報記憶手段は、媒体情報として前記情報記憶媒体の種類を示すタイプ情報を記憶し、前記媒体送信手段は、前記情報記憶手段から前記タイプ情報を読み出し、読み出した前記タイプ情報を電波を用いて送信し、前記装置受信手段は、電波を用いて送信された前記タイプ情報を受信し、前記形象生成手段は、受信した前記タイプ情報に基づいて形象を生成する。
【０２３２】
この構成によると、情報記憶媒体の種類を示すタイプ情報を形象とするので、照合が確実に行える。
また、本発明は、電波を用いて非接触に読み書き可能な情報記憶媒体であって、前記情報記憶媒体は、前記情報記憶媒体に関する媒体情報を記憶している情報記憶手段を有し、前記媒体情報に基づいて形成された形象が前記情報記憶媒体の一面上に印刷されている。
【０２３３】
この構成によると、情報記憶媒体の上に形象を印刷するので、情報記憶媒体の内容と印刷媒体面上の形象の内容とを確実に一致させることができる。
また、本発明は、電波を用いて非接触に読み書き可能な情報記憶媒体が添付された物品であって、前記情報記憶媒体は、前記情報記憶媒体に関する媒体情報を記憶している情報記憶手段を有し、前記媒体情報に基づいて形成された形象が前記物品の外表面上に印刷されている。
【０２３４】
この構成によると、情報記憶媒体が添付される物品の上に形象を印刷するので、情報記憶媒体の情報と印刷媒体面上の形象が示す情報とを確実に一致させることができる。
また、本発明は、電波を用いて非接触に読み書き可能な情報記憶媒体が添付された物品であって、前記情報記憶媒体は、前記情報記憶媒体に関する媒体情報を記憶している情報記憶手段を有し、前記物品は、包装材により包装され、前記媒体情報に基づいて形成された形象が前記物品を包装する包装材の外表面上に印刷されている。
【０２３５】
この構成によると、情報記憶媒体が添付される物品の包装材の上に形象を印刷するので、情報記憶媒体の情報と印刷媒体面上の形象が示す情報とを確実に一致させることができる。
また、本発明は、電波を用いて非接触に読み書き可能な情報記憶媒体と、前記情報記憶媒体との間で情報を送受信する移動電話機と、前記移動電話機との間で公衆回線網を介して通信を行うセンタ装置とから構成されるアクセス通信システムであって、前記情報記憶媒体は、前記センタ装置の電話番号を記憶している記憶手段と、前記電話番号を電波を用いて送信する送信手段とを備え、前記移動電話機は、電波を用いて前記電話番号を受信する受信手段と、前記センタ装置との間で前記公衆回線網を介して回線を接続するために、受信した前記電話番号に基づいて発呼する発呼手段と、回線の接続されたセンタ装置との間で通信を行う第１通信手段とを備え、前記センタ装置は、回線の接続された前記移動電話機との間で通信を行う第２通信手段を備え、前記移動電話機と前記センタ装置との間で回線が接続された場合に、前記センタ装置と前記情報記憶媒体との間で通信を行う。
【０２３６】
この構成によると、移動電話機は、情報記憶媒体に記憶されている電話番号によりセンタ装置との間で通信回線を接続するので、情報記憶媒体とセンタとの間で容易に通信ができる。
ここで、前記アクセス通信システムは、さらに、第１情報を表示する形象が印刷された印刷媒体を含み、前記移動電話機は、さらに、前記光読出手段と、装置送信手段と、装置受信手段と、照合手段とを含み、前記情報記憶媒体は、さらに、前記情報記憶媒体に関連する第１媒体情報を記憶している情報記憶手段と、請求項３５に記載の媒体受信手段と、媒体送信手段とを含み、前記照合手段により一致すると判断される場合に、第１情報と第１媒体情報とが同一であるとみなして、前記移動電話機と前記情報記憶媒体との間で情報を送受信する。
【０２３７】
この構成によると、印刷媒体面上から読み出した情報と、情報記憶媒体から読み出した情報とを照合するので、移動電話機は、情報記憶媒体との間で確実に通信を行えるという効果がある。
ここで、前記移動電話機は、さらに、回線の接続された前記センタ装置との間で通話を行う第１通話手段を含み、前記センタ装置は、さらに、回線の接続された前記移動電話機との間で通話を行う第２通話手段を含み、前記移動電話機と前記センタ装置との間で回線が接続された場合に、前記移動電話機と前記センタ装置との間で通話を行う。
【０２３８】
この構成によると、通信回線が接続されたセンタの間で通話ができるので、移動電話機の利用者は、センタに駐在する人と直接対話ができる。
また、本発明は、電波を用いて非接触に読み書き可能な情報記憶媒体と、前記情報記憶媒体との間で情報を送受信する移動電話機と、中継管理装置と、前記中継管理装置を介して前記移動電話機との間で通信を行うセンタ装置とから構成されるアクセス通信システムであって、前記情報記憶媒体は、前記中継管理装置の電話番号を記憶している第１記憶手段と、前記電話番号を電波を用いて送信する送信手段とを備え、前記移動電話機は、電波を用いて前記電話番号を受信する受信手段と、前記中継管理装置との間で公衆回線網を介して回線を接続するために、受信した前記電話番号に基づいて発呼する発呼手段と、回線の接続された中継管理装置との間で通信を行う第１通信手段とを備え、前記中継管理装置は、前記センタ装置の電話番号を記憶している第２記憶手段と、前記センタ装置との間で公衆回線網を介して回線を接続するために、記憶している前記電話番号に基づいて発呼する発呼手段と、回線の接続された前記移動電話機との間で通信を行う第２通信手段と、回線の接続された前記センタ装置との間で通信を行う第３通信手段とを備え、前記センタ装置は、回線の接続された前記中継管理装置との間で通信を行う第４通信手段を備え、前記移動電話機と前記中継管理装置との間で回線が接続され、前記中継管理装置と前記センタ装置との間で回線が接続された場合に、前記情報記憶媒体と前記センタ装置との間で通信を行う。
【０２３９】
この構成によると、移動電話機は、情報記憶媒体に記憶されている電話番号により中継管理装置と接続し、さらにセンタ装置との間で通信回線を接続することにより、情報記憶媒体とセンタとの間で通信ができるので、すでに多く流通している情報記憶媒体に記憶されている電話番号を変更することなく、センタ装置の電話番号を自由に設定し、変更することができる。
【０２４０】
また、本発明は、形象が印刷された印刷媒体と、前記印刷媒体が付された物品と、電波を用いて非接触に読み書き可能な情報記憶媒体と、物品を格納するための格納籠と、前記情報記憶媒体との間で情報を送受信する携帯情報端末装置とから構成され、物品を納品する際の納品情報を生成する納品システムであって、
物品の種類を識別する識別情報に基づいて形成された形象が印刷された印刷媒体が当該物品の外表面に付され、前記携帯情報端末装置は、入力手段と、光読出手段と、識別情報記憶手段と、装置送信手段と、集計手段とから構成され、前記情報記憶媒体は、納品情報記憶手段と、媒体受信手段とから構成され、前記情報記憶媒体は、前記格納籠に添付され、前記入力手段は、操作者から読出操作、及び集計操作の入力を受け付け、前記光読出手段は、読出操作の入力が受け付けられた場合に、光を用いて物品に付された前記印刷媒体上の形象を読み出し、読み出した形象に基づいて対応する識別情報を生成し、生成した識別情報を前記識別情報記憶手段に書き込み、前記集計手段は、集計操作の入力が受け付けられた場合に、前記識別情報記憶手段に書き込まれている全ての識別情報を読み出し、同じ識別情報毎に識別情報の出現頻度を算出し、前記装置送信手段は、前記識別情報毎の出現頻度を電波を用いて送信し、前記媒体受信手段は、電波を用いて送信された識別情報毎の出現頻度を受信し、前記納品記憶手段は、受信した識別情報毎の出現頻度を納品情報として記憶し、操作者は、物品毎に読出操作を行って当該物品を格納籠に格納し、全ての物品の読出操作が終了すると、集計操作を行う。
【０２４１】
この構成によると、納品情報を確実にかつ容易に作成することができる。
また、本発明は、形象が印刷された印刷媒体と、前記印刷媒体が付された物品と、電波を用いて非接触に読み書き可能な情報記憶媒体と、物品を格納している格納籠と、前記情報記憶媒体との間で情報を送受信する携帯情報端末装置とから構成され、物品を検品する際の検品情報を生成する検品システムであって、物品の種類を識別する識別情報に基づいて形成された形象が印刷された印刷媒体が当該物品の外表面に付され、前記携帯情報端末装置は、入力手段と、光読出手段と、識別情報記憶手段と、装置受信手段と、集計手段と、照合手段と、出力手段とから構成され、前記情報記憶媒体は、前記格納籠に格納されている全ての物品の種類を識別する識別情報毎の出現頻度を記憶している納品情報記憶手段と、媒体送信手段とから構成され、前記情報記憶媒体は、前記格納籠に添付され、前記入力手段は、操作者から読出操作、及び集計操作の入力を受け付け、前記光読出手段は、読出操作の入力が受け付けられた場合に、光を用いて物品に添付された前記印刷媒体上の形象を読み出し、読み出した形象に基づいて対応する識別情報を生成し、生成した識別情報を前記識別情報記憶手段に書き込み、前記集計手段は、集計操作の入力が受け付けられた場合に、前記識別情報記憶手段に書き込まれている全ての識別情報を読み出し、同じ識別情報毎に識別情報の出現頻度を算出し、前記媒体送信手段は、携帯情報端末装置からの要求に応じて、前記納品情報記憶手段から識別情報毎の出現頻度を読み出し、読み出した識別情報毎の出現頻度を電波を用いて送信し、前記装置受信手段は、前記識別情報毎の出現頻度を電波を用いて受信し、前記照合手段は、識別情報毎に、算出した出現頻度と受信した出現頻度とを比較し、前記出力手段は、前記比較結果を検品情報として出力し、操作者は、格納籠から物品を取り出しながら、物品毎に読出操作を行い、全ての物品の読出操作が終了すると、集計操作を行う。
【０２４２】
この構成によると、検品情報を確実にかつ容易に作成することができる。
また、本発明は、光を用いて情報の読み出し又は書込みが可能な光ディスク媒体であって、半導体メモリから構成される情報記憶手段と、電波を用いてアクセス要求を受信する受信手段と、受信したアクセス要求に応じて前記情報記憶手段にアクセスし、アクセス結果情報を生成するアクセス手段と、生成された前記アクセス結果情報を電波を用いて送信する送信手段とを備える。
【０２４３】
この構成によると、光ディスク媒体は、電波により情報の読み書きができるので、さらに多様な用途がある。
また、本発明は、光を用いて情報の読み出しのみが可能である前記光ディスク媒体である。
この構成によると、光を用いて情報の読み出しのみが行える光ディスク媒体は、電波により情報の読み書きができるので、さらに多様な用途がある。
【０２４４】
また、本発明は、請求項１２０記載の光ディスク媒体から情報を読み出して再生する光ディスク媒体再生装置であって、前記光ディスク媒体は、光を用いて情報の読み書きが可能な光記憶手段を有し、前記情報記憶手段は、光記憶手段に記憶されている情報の再生が許可されるか否かを示す権利情報を記憶しており、前記アクセス手段は、前記権利情報を含むアクセス結果情報を生成し、前記光ディスク媒体再生装置は、電波を用いてアクセス要求を送信する送信手段と、アクセス要求に応じたアクセス結果情報を電波を用いて受信する受信手段と、アクセス結果情報に含まれる権利情報に基づいて、情報の再生が許可されるか否かを判断する判断手段と、情報の再生が許可される場合に、前記光記憶手段から情報を読み出して再生する再生手段とを備える。
【０２４５】
この構成によると、電波により情報の読み書きがされる権利情報を用いて、光ディスク媒体に記録されている光を用いた情報を再生するので、光を用いた情報の不正な利用を防ぐことができる。
また、本発明は、前記光ディスク媒体の販売を管理する光ディスク媒体販売管理装置であって、前記光ディスク媒体は、光を用いて情報の読み書きが可能な光記憶手段を有し、前記情報記憶手段は、光記憶手段に記憶されている情報の再生が許可されるか否かを示す権利情報を記憶する領域を含み、前記光ディスク媒体販売管理装置は、操作者から入金操作を受け付ける入力手段と、前記入金操作が受け付けられた場合に、電波を用いて、情報の再生を許可する旨を示す許可情報を権利情報として前記領域に書き込む要求を含むアクセス要求を送信する送信手段と含み、前記アクセス手段は、許可情報を権利情報として前記領域に書き込む。
【０２４６】
この構成によると、正当に入金がされた場合に、権利情報を書き込むので、光ディスク媒体に記録されている光を用いた情報の不正な利用を防ぐことができる。
また、本発明は、前記情報記憶手段は、さらに、当該光ディスク媒体が正当に販売されたか否かを示す情報を記憶する領域を含み、前記送信手段は、さらに、前記入金操作が受け付けられた場合に、電波を用いて、当該光ディスク媒体が正当に販売されたことを示す販売情報を前記領域に書き込む要求を含むアクセス要求を送信し、前記アクセス手段は、販売情報を前記領域に書き込む。
【０２４７】
この構成によると、正当に購入がされた場合に、販売情報を書き込むので、万引防止装置により、光ディスク媒体の販売店からの不正な持ち出しを防ぐことができる。
ここで、前記権利情報は、光記憶手段に記憶されている情報の再生許可回数を含む。
【０２４８】
この構成によると、権利情報は、再生許可回数を含むので、光ディスク媒体に記録されている光を用いた情報の多様な利用が実現できる。
また、本発明は、請求項１２０記載の光ディスク媒体が万引きされることを防止する万引防止装置であって、前記光ディスク媒体は、光を用いて情報の読み書きが可能な光記憶手段を有し、前記情報記憶手段は、当該光ディスク媒体が正当に販売されたか否かを示す販売情報を記憶する領域を含み、前記万引防止装置は、電波を用いてアクセス要求を送信する送信手段と、アクセス要求に応じたアクセス結果情報を電波を用いて受信する受信手段と、アクセス結果情報に含まれる販売情報に基づいて、当該光ディスク媒体が正当に販売されたか否かを判断する判断手段と、当該光ディスク媒体が正当に販売されていないと判断される場合に、警告を出力する警告手段とを備える。
【０２４９】
この構成によると、光ディスク媒体の販売店からの不正な持ち出しを防ぐことができる。
また、本発明は、請求項１２１記載の光ディスク媒体からコンピュータゲームの実行手順が記述されているゲームプログラムを読み出して実行するコンピュータゲーム機であって、前記光ディスク媒体は、光を用いて情報の読み出しが可能な光記憶手段を有し、前記光記憶手段は、ゲームプログラムを記憶しており、前記情報記憶手段は、光記憶手段に記憶されているゲームプログラムの実行が許可されるか否かを示す権利情報を記憶しており、前記アクセス手段は、前記権利情報を含むアクセス結果情報を生成し、前記コンピュータゲーム機は、電波を用いてアクセス要求を送信する送信手段と、アクセス要求に応じたアクセス結果情報を電波を用いて受信する受信手段と、アクセス結果情報に含まれる権利情報に基づいて、ゲームプログラムの実行が許可されるか否かを判断する判断手段と、ゲームプログラムの実行が許可される場合に、前記光記憶手段からゲームプログラムを読み出し、読み出した前記ゲームプログラムを実行する実行手段とを備える。
【０２５０】
この構成によると、電波により情報の読み書きがされる権利情報を用いて、光ディスク媒体に記録されているゲームプログラムを実行するので、ゲームプログラムの不正な利用を防ぐことができる。
ここで、前記情報記憶手段は、さらに、ゲームプログラムの再実行位置を示す位置情報を記憶しており、前記アクセス手段は、前記位置情報を含むアクセス結果情報を生成し、前記受信手段は、前記位置情報を含むアクセス結果情報を受信し、前記実行手段は、受信した前記位置情報により示される再実行位置から読み出した前記ゲームプログラムを実行する。
【０２５１】
この構成によると、電波により情報の読み書きがされる位置報報を用いて、ゲームプログラムの実行を開始する位置を決定できるので、ゲームプログラムの多様な利用が実現できる。
ここで、前記コンピュータゲームには、能力を有するキャラクタが登場し、前記情報記憶手段は、さらに、前記キャラクタの能力の程度を示す能力情報を記憶しており、前記アクセス手段は、前記能力情報を含むアクセス結果情報を生成し、前記受信手段は、前記能力情報を含むアクセス結果情報を受信し、前記実行手段は、受信した前記能力情報に応じた能力を有するキャラクタをコンピュータゲーム内に登場させる。
【０２５２】
この構成によると、電波により情報の読み書きがされるキャラクタの能力情報を用いて、ゲームプログラムを実行できるので、ゲームプログラムの多様な利用が実現できる。
ここで、前記コンピュータゲーム機は、さらに、操作者からコンピュータゲームの終了指示を受け付ける入力手段を含み、前記送信手段は、前記終了指示が受け付けられた場合に、電波を用いて、終了指示を受け付けた時点におけるコンピュータゲームの位置を示す位置情報と、同時点におけるキャラクタの能力を示す能力情報を前記領域に上書きする要求を含むアクセス要求を送信し、前記アクセス手段は、位置情報と能力情報とを前記領域に上書きする。
【０２５３】
この構成によると、ゲームの終了時に位置情報とキャラクタの能力情報とを上書きするので、ゲーム途中で中断しても、再度、継続的にゲームプログラムを実行できる。
また、本発明は、電波を用いて非接触に読み書き可能な情報記憶媒体であって、電波を送受信するアンテナ部と、受信した電波による信号を復調する復調部と、信号を変調する変調部と、復調された信号を解読する命令解読部と、不揮発性メモリから構成され、読み書き可能な領域を含むメモリ部と、メモリ部との間で情報の入出力を行うメモリ入出力部と、前記各部の動作を制御する制御部と、受信した電波により電力を蓄積するコンデンサを含み前記各部へ電力を供給する電源部とが一体として半導体上に形成される。
【０２５４】
この構成によると、半導体上に一体として形成されているので、情報記憶媒体の製造が容易になる。
また、本発明は、電波を用いて非接触に読み書き可能な情報記憶媒体であって、受信した電波による信号を復調する復調部と、信号を変調する変調部と、復調された信号を解読する命令解読部と、不揮発性メモリから構成され、読み書き可能な領域を含むメモリ部と、メモリ部との間で情報の入出力を行うメモリ入出力部と、前記各部の動作を制御する制御部とが一体として形成された半導体チップと、電波を送受信するコイル状のアンテナと、共振用コンデンサと、受信した電波により電力を蓄積するコンデンサを含み前記各部へ電力を供給する電源部とを備える。
【０２５５】
この構成によると、周波数帯域の異なる情報記憶媒体であっても、半導体チップ部を共有できる。
また、本発明は、電波を用いて非接触に読み書き可能な情報記憶媒体であって、取り外し自在に物品に添付される。
この構成によると、リサイクルが容易となる。
【０２５６】
また、本発明は、電波を用いて非接触に読み書き可能な情報記憶媒体であって、情報の読出しと情報の上書きが可能な半導体メモリから構成される第１領域と、情報の読出しと一度だけの書込みが可能な半導体メモリから構成される第２領域とを含む情報記憶手段と、電波を用いて前記第１領域又は前記第２領域のいずれかへのアクセス指示を要求するアクセス要求を受信する受信手段と、受信したアクセス要求に基づいて、前記第１領域又は前記第２領域のいずれにアクセスするか判断する判断手段と、前記判断結果に基づいて、前記情報記憶手段の前記第１領域又は前記第２領域にアクセスし、アクセス結果情報を生成するアクセス手段と、生成された前記アクセス結果情報を電波を用いて送信する送信手段とを備える。
【０２５７】
この構成によると、第２領域に記録されている情報の改竄ができない。
また、本発明は、電波を用いて非接触に読み書き可能な請求項１３４記載の情報記憶媒体に対して情報を送受信するアクセス装置であって、前記第１領域又は前記第２領域のいずれかへのアクセス指示を要求するアクセス要求を生成する生成手段と、電波を用いて、生成されたアクセス要求を送信する送信手段と含む。
この構成によると、第２領域に記録されている情報の改竄ができない情報記憶媒体にアクセスすることができる。
【０２５８】
また、本発明は、前記アクセス装置は、前記情報記憶媒体が添付された物品の販売を管理する販売管理装置であって、さらに、操作者から入金操作を受け付ける入力手段を含み、前記生成手段は、前記入金操作が受け付けられた場合に、前記物品の保証条件を示す保証情報の前記第２領域への書き込みを示すアクセス指示を要求するアクセス要求を生成し、前記判断手段は、前記第２領域へのアクセスであると判断し、前記アクセス手段は、前記判断結果に基づいて、前記保証情報を前記第２領域へ書き込む。
【０２５９】
この構成によると、物品の保証情報を改竄のできない第２領域に書き込むことができる。
また、本発明は、前記アクセス装置は、前記情報記憶媒体が添付された物品の回収を管理する回収管理装置であって、さらに、操作者から操作を受け付ける入力手段を含み、前記生成手段は、前記操作が受け付けられた場合に、前記物品のマニフェスト情報の前記第２領域への書き込みを示すアクセス指示を要求するアクセス要求を生成し、前記判断手段は、前記第２領域へのアクセスであると判断し、前記アクセス手段は、前記判断結果に基づいて、前記マニフェスト情報を前記第２領域へ書き込む。
【０２６０】
この構成によると、物品のマニフェスト情報を改竄のできない第２領域に書き込むことができる。
また、本発明は、前記アクセス装置は、前記情報記憶媒体が添付された物品の製造を管理する製造管理装置であって、さらに、操作者から操作を受け付ける入力手段を含み、前記生成手段は、前記操作が受け付けられた場合に、前記物品に含まれる環境負荷物質を示す環境負荷物質情報の前記第２領域への書き込みを示すアクセス指示を要求するアクセス要求を生成し、前記判断手段は、前記第２領域へのアクセスであると判断し、前記アクセス手段は、前記判断結果に基づいて、前記環境負荷物質情報を前記第２領域へ書き込む。
【０２６１】
この構成によると、物品の環境負荷物質情報を改竄のできない第２領域に書き込むことができる。
また、本発明は、電波を用いて非接触に読み書き可能な情報記憶媒体が添付された容器に封入された食材を調理する電磁調理装置であって、前記情報記憶媒体は、半導体メモリから構成され、前記容器に封入された食材の調理情報を記憶している情報記憶手段と、電波を用いてアクセス要求を受信する受信手段と、受信したアクセス要求に応じて前記情報記憶手段にアクセスし、前記調理情報を読み出すアクセス手段と、読み出した前記調理情報を電波を用いて送信する送信手段とを備え、前記電磁調理装置は、電波を用いて調理情報の読み出しを指示するアクセス要求を送信する送信手段と、調理情報を電波を用いて受信する受信手段と、受信した調理情報に基づいて、前記容器に封入されている食材を調理する調理手段とを備える。
【０２６２】
この構成によると、食材の調理が容易になる。
また、本発明は、電波を用いて非接触に読み書き可能な情報記憶媒体が添付された衣料品を洗濯する電気洗濯機であって、前記情報記憶媒体は、半導体メモリから構成され、前記衣料品の洗濯情報を記憶している情報記憶手段と、電波を用いてアクセス要求を受信する受信手段と、受信したアクセス要求に応じて前記情報記憶手段にアクセスし、前記洗濯情報を読み出すアクセス手段と、読み出した前記洗濯情報を電波を用いて送信する送信手段とを備え、前記電気洗濯機は、電波を用いて洗濯情報の読み出しを指示するアクセス要求を送信する送信手段と、洗濯情報を電波を用いて受信する受信手段と、受信した洗濯情報に基づいて、前記衣料品を洗濯する洗濯手段とを備える。
【０２６３】
この構成によると、衣料品の洗濯が容易になる。
また、本発明は、前記洗濯情報は、洗濯回数を含み、前記送信手段は、さらに、前記洗濯手段により前記衣料品が洗濯される場合に、前記洗濯回数に１を加算する指示を含むアクセス要求を送信し、前記受信手段は、前記指示を含むアクセス要求を受信し、前記アクセス手段は、情報記憶手段から前記洗濯回数を含む洗濯情報を読み出し、読み出した前記洗濯情報に含まれる前記洗濯回数に１を加算して前記情報記憶手段に上書きする。
【０２６４】
また、前記洗濯手段は、前記洗濯情報に含まれる洗濯回数に応じて、洗濯方法を変更する。
この構成によると、衣料品の洗濯の洗濯回数に応じて洗濯方法が変更できるので、衣料品の生地を傷める可能性が小さい。
また、本発明は、電波を用いて非接触に読み書き可能な情報記憶媒体であって、情報を記憶する領域を有する情報記憶手段と、複数種類の周波数の電波のいずれかを用いて前記情報記憶手段へのアクセス指示を要求するアクセス要求を受信する媒体受信手段と、受信したアクセス要求に基づいて、前記情報記憶手段にアクセスし、アクセス結果情報を生成するアクセス手段と、生成された前記アクセス結果情報を前記媒体受信手段により用いられた周波数の電波を用いて送信する媒体送信手段とを備える。
【０２６５】
また、電波を用いて非接触に読み書き可能な請求項１４３記載の情報記憶媒体に対して情報を送受信するアクセス装置であって、前記情報記憶手段へのアクセス指示を要求するアクセス要求を生成する生成手段と、複数種類の周波数の電波を用いて、生成されたアクセス要求を送信する装置送信手段と、複数種類の周波数の電波のいずれかを用いて、送信された前記アクセス結果情報を受信する装置受信手段と含む。
【０２６６】
この構成によると、情報記憶媒体は、複数の周波数帯域を有するので、情報記憶媒体が配置されている条件が悪い場合であっても、アクセス装置と情報記憶媒体との間でアクセスができる。
ここで、前記アクセス装置は、前記情報記憶媒体が添付された物品の位置を管理する物品位置管理装置であって、前記情報記憶手段は、当該物品を識別する物品識別子と当該物品が空間上に配置されている位置を識別する位置識別子とを記憶しており、前記生成手段は、前記情報記憶手段に記憶されている物品識別子と位置識別子とを読み出す指示を示すアクセス要求を生成し、前記装置送信手段は、前記読み出す指示を示すアクセス要求を送信し、前記媒体受信手段は、前記読み出す指示を示すアクセス要求を受信し、前記アクセス手段は、前記情報記憶手段からアクセス結果情報として物品識別子と位置識別子とを読み出し、前記媒体送信手段は、読み出した物品識別子と位置識別子とを送信し、前記装置受信手段は、送信された物品識別子と位置識別子とを受信する。
【０２６７】
この構成によると、情報記憶媒体は、複数の周波数帯域を有するので、情報記憶媒体が添付されている物品が配置されている条件が悪い場合であっても、情報記憶媒体との間でアクセスができる。
【図面の簡単な説明】
【図１】本発明の１の実施の形態としてのアクセスシステム１の外観を示す。
【図２】携帯型リーダライタ２０の構成を示すブロック図である。
【図３】携帯型リーダライタ２０と無線ＩＣタグ１０との間で通信される命令を示す。
【図４】表示部１１０が表示する画面の一例を示す。
【図５】タグタイプ記憶部１１７が記憶している情報の一例を示す。
【図６】テーブル記憶部１１６が記憶している周波数帯域タイプテーブル１４１とプロトコルタイプテーブル１４２とを示す。
【図７】フリーアクセス部１１３の構成を示すブロック図である。
【図８】片方向認証部１１５の構成を示すブロック図である。
【図９】双方向認証部１１４の構成を示すブロック図である。
【図１０】記録媒体３０に記憶されている情報の一例をに示す。
【図１１】無線ＩＣタグ１０ａの構成を示すブロック図である。
【図１２】メモリ部２１０が記憶している情報の一例を示す。
【図１３】無線ＩＣタグ１０ｂの構成を示すブロック図である。
【図１４】認証部２１１ａの構成を示すブロック図である。
【図１５】認証部２１１ｂの構成を示すブロック図である。
【図１６】アクセスシステム１の概要動作を示すフローチャートである。
【図１７】携帯型リーダライタ２０のアクセス要求処理の動作を示すフローチャートである。
【図１８】無線ＩＣタグ１０のタグ読出及び出力処理の動作を示すフローチャートである。
【図１９】携帯型リーダライタ２０のタグタイプ受信とタグタイプ判断処理の動作を示すフローチャートである。
【図２０】アクセスシステム１のフリーアクセスプロトコルによる動作を示すフローチャートである。
【図２１】アクセスシステム１の片方向認証プロトコルによる動作を示すフローチャートである。
【図２２】アクセスシステム１の双方向認証プロトコルによる動作を示すフローチャートである。
【図２３】携帯型リーダライタ２０の入出力応答処理の動作を示すフローチャートである。
【図２４】携帯型リーダライタ２０の変形例の動作を示すフローチャートである。
【図２５】携帯型リーダライタ２０の変形例が有する周波数帯域タイプ履歴テーブル２５１の一例を示す。
【図２６】携帯型リーダライタ２０の変形例の周波数帯域の出力順序を決定する動作を示すフローチャートである。
【図２７】印刷シテスムの外観を示す。
【図２８】通信システムの外観を示す。
【図２９】印刷装置６０の構成を示すブロック図である。
【図３０】通信システムの構成を示すブロック図である。
【図３１】携帯電話型リーダライタ７０の構成を示すブロック図である。
【図３２】管理センタ装置の構成を示すブロック図である。
【図３３】印刷システムの動作を示すフローチャートである。
【図３４】携帯電話型リーダライタ７０の動作を示すフローチャートである。図３５に続く。
【図３５】携帯電話型リーダライタ７０の動作を示すフローチャートである。図３４から続く。
【図３６】管理センタ装置８０の動作を示すフローチャートである。
【図３７】物流センタ装置９２の動作を示すフローチャートである。
【図３８】（ａ）バーコードの印刷された無線ＩＣタグが付着されたテープを巻き取ったリール４００の外観を示す。
（ｂ）無線ＩＣタグの添付されている物品の一例を示す。
【図３９】変形例としての印刷システムの動作をフローチャートである。
【図４０】変形例としての携帯電話型リーダライタ７０の動作を示すフローチャートである。
【図４１】変形例としての通信システムの構成を示すブロック図である。
【図４２】格納パレット５００の外観を示す。
【図４３】商品テーブル５１１の一例を示す。
【図４４】納品リストテーブル５１２の一例を示す。
【図４５】納品システムにおける携帯型リーダライタの動作を示すフローチャートである。
【図４６】検品システムにおける携帯型リーダライタの動作を示すフローチャートである。
【図４７】（ａ）コンピュータゲーム機の外観を示す。
（ｂ）非接触ＣＤ−ＲＯＭ５６１の外観を示す。
【図４８】非接触ＣＤ−ＲＯＭ５６１のメモリ部２１０に記憶されている情報の一例を示す。
【図４９】コンピュータゲームシステムの動作を示すフローチャートである。図５０へ続く。
【図５０】コンピュータゲームシステムの動作を示すフローチャートである。図４９から続く。
【図５１】（ａ）無線ＩＣタグ５９１の外観を示す。
（ｂ）無線ＩＣタグ５９８の外観を示す。
【図５２】（ａ）無線ＩＣカード６０９ａの外観を示す。
（ｂ）無線ＩＣカード６０９ｂの外観を示す。
【図５３】無線ＩＣカード６０９ａの構成を示す回路ブロック図である。
【図５４】無線ＩＣタグ１０ｄの構成を示すブロック図である。
【図５５】無線ＩＣタグ１０ｄのメモリ部２１０に記憶されている情報の一例を示す。
【図５６】アクセスシステムの動作を示すフローチャートである。
【図５７】無線ＩＣタグが物品上に取り付けられる様子を示す。
【図５８】（ａ）無線ＩＣタグ６７２が添付された食材容器６７１の外観を示す。
（ｂ）無線ＩＣタグ６８３が添付された衣服６８１を示す。
【符号の説明】
１０    無線ＩＣタグ
２０    携帯型リーダライタ
３０    記録媒体
４０    管理装置
５０    管理装置
６０    印刷装置
７０    携帯電話型リーダライタ
８０    管理センタ装置
９１    生産センタ装置
９２    物流センタ装置
９３    販売センタ装置
９４    サービスセンタ装置
９５    回収リサイクルセンタ装置
【図１】
0003696477.tif 000002
【図２】
0003696477.tif 000003
【図３】
0003696477.tif 000004
【図４】
0003696477.tif 000005
【図５】
0003696477.tif 000006
【図６】
0003696477.tif 000007
【図７】
0003696477.tif 000008
【図８】
0003696477.tif 000009
【図９】
0003696477.tif 000010
【図１０】
0003696477.tif 000011
【図１１】
0003696477.tif 000012
【図１２】
0003696477.tif 000013
【図１３】
0003696477.tif 000014
【図１４】
0003696477.tif 000015
【図１５】
0003696477.tif 000016
【図１６】
0003696477.tif 000017
【図１７】
0003696477.tif 000018
【図１８】
0003696477.tif 000019
【図１９】
0003696477.tif 000020
【図２０】
0003696477.tif 000021
【図２１】
0003696477.tif 000022
【図２２】
0003696477.tif 000023
【図２３】
0003696477.tif 000024
【図２４】
0003696477.tif 000025
【図２５】
0003696477.tif 000026
【図２６】
0003696477.tif 000027
【図２７】
0003696477.tif 000028
【図２８】
0003696477.tif 000029
【図２９】
0003696477.tif 000030
【図３０】
0003696477.tif 000031
【図３１】
0003696477.tif 000032
【図３２】
0003696477.tif 000033
【図３３】
0003696477.tif 000034
【図３４】
0003696477.tif 000035
【図３５】
0003696477.tif 000036
【図３６】
0003696477.tif 000037
【図３７】
0003696477.tif 000038
【図３８】
0003696477.tif 000039
【図３９】
0003696477.tif 000040
【図４０】
0003696477.tif 000041
【図４１】
0003696477.tif 000042
【図４２】
0003696477.tif 000043
【図４３】
0003696477.tif 000044
【図４４】
0003696477.tif 000045
【図４５】
0003696477.tif 000046
【図４６】
0003696477.tif 000047
【図４７】
0003696477.tif 000048
【図４８】
0003696477.tif 000049
【図４９】
0003696477.tif 000050
【図５０】
0003696477.tif 000051
【図５１】
0003696477.tif 000052
【図５２】
0003696477.tif 000053
【図５３】
0003696477.tif 000054
【図５４】
0003696477.tif 000055
【図５５】
0003696477.tif 000056
【図５６】
0003696477.tif 000057
【図５７】
0003696477.tif 000058
【図５８】
0003696477.tif 000059